(57)【要約】  ＭＣＷなどの複数のストリームを用いたデータ伝送においてストリーム毎にフィードバックする際の情報量を削減しつつ、フィードバック情報の誤差を抑制する。複数のストリームにおいて複数のコードワードによるデータ伝送を行い、再送時にはブランキング送信が行われる無線通信装置であって、通信相手局からのコードワードの受信結果に対応する応答信号としてＮａｃｋを検出するＮａｃｋ検出部と、Ｎａｃｋを検出した場合に複数のストリーム間のＣＱＩのビット数の配分を変更するＣＱＩビット数配分決定部と、決定されたＣＱＩビット数配分に応じて、各ストリームのＣＱＩ情報を生成するフィードバックＣＱＩ情報生成部と、Ａｃｋ／Ｎａｃｋ情報、各ストリームのランキング情報、生成したＣＱＩ情報を含むフィードバック情報を送信するフィードバック情報送信部とを備える。
2009022468.tif 000002
【特許請求の範囲】
【請求項１】
複数のストリームにおいて複数のコードワードによるデータ伝送を行い、前記コードワードの再送時には通信相手局との間で前記複数のストリームのうちの受信品質の良好な上位ストリームのみで再送がなされるブランキング（Blanking）送信が行われる無線通信装置であって、
前記複数のストリームにより通信相手局から送信されたコードワードの受信結果に対応する応答信号を生成する応答信号生成部と、
前記複数のストリームの各ストリームの受信品質を示す受信品質情報を生成する受信品質情報生成部と、
前記受信品質情報のリソース配分を制御するもので、前記応答信号としてＮａｃｋ信号を検出した場合に、前記複数のストリーム間の受信品質情報のリソース配分を変更するリソース配分制御部と、
前記応答信号及び前記受信品質情報を含むフィードバック情報を前記通信相手局へ送信するフィードバック情報送信部と、
を備える無線通信装置。
【請求項２】
請求項１に記載の無線通信装置であって、
前記リソース配分制御部は、前記Ｎａｃｋ信号を検出しない場合には、前記ブランキング送信が実施されない送信の前に通知する受信品質情報において、前記複数のストリームのうちの上位ストリームのリソースを少なくしたリソース配分とする無線通信装置。
【請求項３】
請求項１に記載の無線通信装置であって、
前記リソース配分制御部は、前記Ｎａｃｋ信号を検出した場合は、前記ブランキング送信が実施される送信の前に通知する受信品質情報において、前記複数のストリームのうちの上位ストリームのリソースを多くしたリソース配分とする無線通信装置。
【請求項４】
請求項１に記載の無線通信装置であって、
前記リソース配分制御部は、前記Ｎａｃｋ信号を検出しない場合には、前記ブランキング送信が実施されない送信の前に通知する受信品質情報において、前記複数のストリームのうちの下位ストリームのリソースを上位ストリームのリソースよりも多くしたリソース配分とする無線通信装置。
【請求項５】
請求項１に記載の無線通信装置であって、
前記複数のストリームとして４つのストリームを用いたデータ伝送を行う場合に、
前記リソース配分制御部は、前記Ｎａｃｋ信号を検出した場合は、前記ブランキング送信が実施される送信の前に通知する受信品質情報において、前記４つのストリームのうちの上位２つのストリームのリソースを多くしたリソース配分とする無線通信装置。
【請求項６】
請求項３に記載の無線通信装置であって、
前記リソース配分制御部は、前記複数のストリームのうちの上位ストリームで送信されたコードワードにおいて前記Ｎａｃｋ信号が発生した場合は、前記上位ストリームのリソースを多くしたリソース配分とし、前記複数のストリームのうちの下位ストリームで送信されたコードワードにおいて前記Ｎａｃｋ信号が発生した場合は、前記上位ストリームのリソースを少なくしたリソース配分とする無線通信装置。
【請求項７】
請求項６に記載の無線通信装置であって、
前記フィードバック情報送信部は、前記下位ストリームで送信されたコードワードにおいて前記Ｎａｃｋ信号が発生した場合は、前記下位ストリームで送信されたコードワードの誤り具合を示す情報を前記フィードバック情報に含める無線通信装置。
【請求項８】
複数のストリームにおいて複数のコードワードによるデータ伝送を行い、前記コードワードの再送時には通信相手局との間で前記複数のストリームのうちの受信品質の良好な上位ストリームのみで再送するブランキング（Blanking）送信を行う無線通信装置であって、
前記通信相手局からのフィードバック情報を受信するフィードバック情報受信部と、
前記フィードバック情報に含まれる前記コードワードの受信結果に対応する応答信号を抽出する応答信号抽出部と、
前記応答信号としてＮａｃｋ信号の有無に応じて、前記フィードバック情報に含まれる受信品質情報のリソース配分を判定するリソース配分判定部と、
前記リソース配分に基づき、前記受信品質情報から前記複数のストリームの各ストリームの受信品質を再現する受信品質再現部と、
前記受信品質に基づいて前記各ストリームで送信するコードワードの適応制御を行う適応制御部と、
を備える無線通信装置。
【請求項９】
請求項８に記載の無線通信装置であって、
前記リソース配分判定部は、前記Ｎａｃｋ信号を検出しない場合には、前記複数のストリームのうちの上位ストリームのリソースを少なくしたリソース配分と判定し、前記適応制御部は、前記リソース配分に基づき再現された受信品質によって適応制御を行って前記ブランキング送信を実施しない通常の送信を行う無線通信装置。
【請求項１０】
請求項８に記載の無線通信装置であって、
前記リソース配分判定部は、前記Ｎａｃｋ信号を検出した場合は、前記複数のストリームのうちの上位ストリームのリソースを多くしたリソース配分と判定し、前記適応制御部は、前記リソース配分に基づき再現された受信品質によって適応制御を行って前記上位ストリームを用いたブランキング送信を行う無線通信装置。
【請求項１１】
請求項８に記載の無線通信装置であって、
前記リソース配分判定部は、前記Ｎａｃｋ信号を検出しない場合には、前記複数のストリームのうちの下位ストリームのリソースを上位ストリームのリソースよりも多くしたリソース配分と判定し、前記適応制御部は、前記リソース配分に基づき再現された受信品質によって適応制御を行って前記ブランキング送信を実施しない通常の送信を行う無線通信装置。
【請求項１２】
請求項８に記載の無線通信装置であって、
前記複数のストリームとして４つのストリームを用いたデータ伝送を行う場合に、
前記リソース配分判定部は、前記Ｎａｃｋ信号を検出した場合は、前記４つのストリームのうちの上位２つのストリームのリソースを多くしたリソース配分と判定し、前記適応制御部は、前記リソース配分に基づき再現された受信品質によって適応制御を行って前記上位２つのストリームを用いたブランキング送信を行う無線通信装置。
【請求項１３】
請求項１０に記載の無線通信装置であって、
前記リソース配分判定部は、前記複数のストリームのうちの上位ストリームで送信されたコードワードにおいて前記Ｎａｃｋ信号が発生した場合は、前記上位ストリームのリソースを多くしたリソース配分と判定し、前記複数のストリームのうちの下位ストリームで送信されたコードワードにおいて前記Ｎａｃｋ信号が発生した場合は、前記上位ストリームのリソースを少なくしたリソース配分と判定し、前記適応制御部は、前記リソース配分に基づき再現された受信品質によって適応制御を行って前記上位ストリームを用いたブランキング送信を行う無線通信装置。
【請求項１４】
請求項１〜１３のいずれかに記載の無線通信装置を備える無線通信基地局装置。
【請求項１５】
請求項１〜１３のいずれかに記載の無線通信装置を備える無線通信移動局装置。
【請求項１６】
複数のストリームにおいて複数のコードワードによるデータ伝送を行い、前記コードワードの再送時には通信相手局との間で前記複数のストリームのうちの受信品質の良好な上位ストリームのみで再送するブランキング（Blanking）送信を行う無線通信システムであって、
前記複数のストリームにより送信装置から送信されたコードワードの受信結果に対応する応答信号を生成する応答信号生成部と、
前記複数のストリームの各ストリームの受信品質を示す受信品質情報を生成する受信品質情報生成部と、
前記受信品質情報のリソース配分を制御するもので、前記応答信号としてＮａｃｋ信号を検出した場合に、前記複数のストリーム間の受信品質情報のリソース配分を変更するリソース配分制御部と、
前記応答信号及び前記受信品質情報を含むフィードバック情報を前記通信相手局へ送信するフィードバック情報送信部と、を有する受信装置と、
前記受信装置からのフィードバック情報を受信するフィードバック情報受信部と、
前記フィードバック情報に含まれる前記コードワードの受信結果に対応する応答信号を抽出する応答信号抽出部と、
前記応答信号としてＮａｃｋ信号の有無に応じて、前記フィードバック情報に含まれる受信品質情報のリソース配分を判定するリソース配分判定部と、
前記リソース配分に基づき、前記受信品質情報から前記複数のストリームの各ストリームの受信品質を再現する受信品質再現部と、
前記受信品質に基づいて前記各ストリームで送信するコードワードの適応制御を行う適応制御部と、を有する送信装置と、
を備える無線通信システム。
【請求項１７】
複数のストリームにおいて複数のコードワードによるデータ伝送を行い、前記コードワードの再送時には通信相手局との間で前記複数のストリームのうちの受信品質の良好な上位ストリームのみで再送がなされるブランキング（Blanking）送信が行われる無線通信装置における無線通信方法であって、
前記複数のストリームにより通信相手局から送信されたコードワードの受信結果に対応する応答信号を生成し、
前記複数のストリームの各ストリームの受信品質を示す受信品質情報を生成し、
前記受信品質情報のリソース配分を制御するもので、前記応答信号としてＮａｃｋ信号を検出した場合に、前記複数のストリーム間の受信品質情報のリソース配分を変更し、
前記応答信号及び前記受信品質情報を含むフィードバック情報を前記通信相手局へ送信する無線通信方法。
【請求項１８】
複数のストリームにおいて複数のコードワードによるデータ伝送を行い、前記コードワードの再送時には通信相手局との間で前記複数のストリームのうちの受信品質の良好な上位ストリームのみで再送するブランキング（Blanking）送信を行う無線通信装置における無線通信方法であって、
前記通信相手局からのフィードバック情報を受信し、
前記フィードバック情報に含まれる前記コードワードの受信結果に対応する応答信号を抽出し、
前記応答信号としてＮａｃｋ信号の有無に応じて、前記フィードバック情報に含まれる受信品質情報のリソース配分を判定し、
前記リソース配分に基づき、前記受信品質情報から前記複数のストリームの各ストリームの受信品質を再現し、
前記受信品質に基づいて前記各ストリームで送信するコードワードの適応制御を行う無線通信方法。
【発明の詳細な説明】
【技術分野】
【０００１】
本発明は、複数のアンテナを使用して通信を行うＭＩＭＯ（Multiple Input Multiple Output）等に適用可能な無線通信装置、無線通信システム及び無線通信方法に関する。
【背景技術】
【０００２】
移動通信の国際的な標準化団体である３ＧＰＰ（3rd Generation Partnership Project）などにおいて、高速データ伝送を実現する通信システムとして、符号化と再送技術を組み合わせたハイブリッド−ＡＲＱ（Hybrid-Automatic Repeat reQuest）（以下、ＨＡＲＱと記載）を用いたパケット伝送システムが検討されている。そして、さらなる高速大容量のデータ伝送を実現する方式として、ＭＩＭＯ伝送の１つである空間分割多重（ＳＤＭ：Space Division Multiplexing）伝送が注目されている。ＭＩＭＯ伝送とは、送受信双方において複数アンテナを使って信号を伝送する技術で、ＳＤＭ伝送とは、複数のアンテナを使って異なる信号（ストリーム）を空間的に多重する技術である。このＳＤＭ伝送を使うことで、時間や周波数のリソースを拡大することなく周波数利用効率を増大させることができる。【０００３】
ＳＤＭでは、ストリーム毎に変調方式と符号化率（ＭＣＳ：Modulation and Coding Scheme）を適応的に制御するＡＭＣ（Adaptive Modulation and Coding）を適用することで、さらに周波数利用効率を向上させることができる。ＡＭＣでは、受信側から受信品質を示すＣＱＩ（Channel Quality Indicator）を送信側にフィードバックし、送信側において、そのフィードバックされたＣＱＩに応じたＭＣＳを選択する。ストリーム毎にＡＭＣを適用する場合には、それぞれのストリームのＣＱＩをフィードバックする必要がある。このようなＭＣＳの制御単位であるデータ系列はコードワード（ＣＷ：Codeword）と呼ばれ、ストリーム毎にコードワードを制御する複数コードワードを用いる送信方法はＭＣＷ（Multiple Codeword）と呼ばれている。【０００４】
また、セルラー環境では、基地局近傍からセルエッジまで対応するため、ＳＩＮＲ（Signal to Interference and Noise Ratio）にして３０ｄＢ程度のダイナミックレンジを持つＣＱＩが必要である。３ＧＰＰなどの標準化では、ＡＭＣを精度良く機能させるために、３０ｄＢ程度のダイナミックレンジを、約１ｄＢステップで表現するＣＱＩが用いられている。つまり、１つのＣＱＩに対して５ビット（３２段階）の情報が必要である。【０００５】
ＭＣＷにおけるＨＡＲＱ方式の従来技術として、非特許文献１に示されているようなBlanking（以下、ブランキングと記載）が検討されている。ブランキングとは次のような技術である。まず、初回送信時には、各アンテナから各コードワードを送信する。そして、その複数のコードワードの中に誤りが発生した場合には、誤りが発生したコードワードだけを再送する。このとき、誤りがないコードワードでは新規コードワードを送信しない。このように、空間多重した全コードワードにおいて誤りがなくなるまで、新規のコードワードを送信せずに、誤りが発生しているコードワードだけを再送する技術が、ブランキングである。【０００６】
上記のようにコードワード毎に適応変調を行うＭＣＷにおいてＨＡＲＱを採用する場合、コードワード毎にＣＱＩをフィードバックする必要がある。このため、送信コードワード数が増加すると、ＣＱＩフィードバックにおけるフィードバックビット数の総量が増加してしまう。例えば、２コードワード送信の場合を考えると、１つのコードワードのＣＱＩを５ビットとすると、２コードワードでは、（５ビット）×（２コードワード）で合計１０ビット必要となる。そして、送信コードワード数が増加すると、ＣＱＩビット数は送信コードワード数倍に増加する。そして、フィードバック情報が増加すると、フィードバック情報を送信する逆回線におけるオーバーヘッドが増大してしまい、逆回線の周波数効率を低下させてしまう。このことから、オーバーヘッドの少ないＣＱＩフィードバックが望まれる。
【非特許文献１】3GPP TSG RAN WG1 #44, R1-060459, QUALCOMM Europe, "Implications of MCW MIMO on DL HARQ", February, 2006
【発明の開示】
【発明が解決しようとする課題】
【０００７】
上述したように、ＭＣＷにおけるＨＡＲＱでは、コードワード毎にＣＱＩをフィードバックする必要があるため、送信コードワード数が増加すると、ＣＱＩフィードバックにおけるフィードバックビット数の総量が増加してしまう、といった課題がある。【０００８】
本発明の目的は、上記事情に鑑みてなされたもので、ＭＣＷなどの複数のストリームを用いたデータ伝送においてストリーム毎にフィードバックする際の情報量を削減しつつ、フィードバック情報の誤差を抑制することが可能な無線通信装置、無線通信システム及び無線通信方法を提供することである。
【課題を解決するための手段】
【０００９】
本発明の第１の態様では、複数のストリームにおいて複数のコードワードによるデータ伝送を行い、前記コードワードの再送時には通信相手局との間で前記複数のストリームのうちの受信品質の良好な上位ストリームのみで再送がなされるブランキング（Blanking）送信が行われる無線通信装置であって、前記複数のストリームにより通信相手局から送信されたコードワードの受信結果に対応する応答信号を生成する応答信号生成部と、前記複数のストリームの各ストリームの受信品質を示す受信品質情報を生成する受信品質情報生成部と、前記受信品質情報のリソース配分を制御するもので、前記応答信号としてＮａｃｋ信号を検出した場合に、前記複数のストリーム間の受信品質情報のリソース配分を変更するリソース配分制御部と、前記応答信号及び前記受信品質情報を含むフィードバック情報を前記通信相手局へ送信するフィードバック情報送信部と、を備える無線通信装置を提供する。
これにより、受信品質情報のリソース配分を制御することで、複数のストリームを用いたデータ伝送においてストリーム毎にフィードバックする際の情報量を削減することが可能となる。この際、Ｎａｃｋ信号を検出した場合にリソース配分を変更することで、フィードバック情報の総量を抑えつつ、情報圧縮に起因する受信品質の誤差の発生に対して、本来必要である受信品質との誤差の発生を抑えて、特性劣化を防ぐことが可能となる。【００１０】
本発明の第２の態様では、上記無線通信装置において、前記リソース配分制御部は、前記Ｎａｃｋ信号を検出しない場合には、前記ブランキング送信が実施されない送信の前に通知する受信品質情報において、前記複数のストリームのうちの上位ストリームのリソースを少なくしたリソース配分とするものを含む。
これにより、受信品質の変動が小さい上位ストリームのリソースを少なくすることで、フィードバック情報に誤差が生じることなく、情報量を削減できる。【００１１】
本発明の第３の態様では、本発明の第１の態様における無線通信装置であって、前記リソース配分制御部は、前記Ｎａｃｋ信号を検出した場合は、前記ブランキング送信が実施される送信の前に通知する受信品質情報において、前記複数のストリームのうちの上位ストリームのリソースを多くしたリソース配分とするものを含む。
これにより、ブランキング送信時に必要な上位ストリームの受信品質情報のリソースを多くすることで、フィードバック情報の総量を抑えつつ、伝搬路状況の大きな変動に起因する受信品質情報の誤差の発生を抑えて精度の高い受信品質情報をフィードバックでき、特性劣化を防ぐことが可能となる。【００１２】
本発明の第４の態様では、本発明の第１の態様における無線通信装置であって、前記リソース配分制御部は、前記Ｎａｃｋ信号を検出しない場合には、前記ブランキング送信が実施されない送信の前に通知する受信品質情報において、前記複数のストリームのうちの下位ストリームのリソースを上位ストリームのリソースよりも多くしたリソース配分とするものを含む。
これにより、ブランキング送信が行われない場合は、下位ストリームのリソースを上位ストリームのリソースより多くすることで、上位ストリームのように受信品質の変動が小さく受信品質情報の誤差が発生しない状況では、フィードバック情報のリソースを少なくして情報量を削減することが可能である。【００１３】
本発明の第５の態様では、本発明の第１の態様における無線通信装置であって、前記複数のストリームとして４つのストリームを用いたデータ伝送を行う場合に、前記リソース配分制御部は、前記Ｎａｃｋ信号を検出した場合は、前記ブランキング送信が実施される送信の前に通知する受信品質情報において、前記４つのストリームのうちの上位２つのストリームのリソースを多くしたリソース配分とするものを含む。
これにより、４ストリーム送信時においても、ブランキング送信時におけるフィードバック情報の総量を抑えつつ、伝搬路状況の大きな変動に起因する受信品質情報の誤差の発生を抑えることができ、特性劣化を防ぐことが可能となる。【００１４】
本発明の第６の態様では、本発明の第３の態様における無線通信装置であって、前記リソース配分制御部は、前記複数のストリームのうちの上位ストリームで送信されたコードワードにおいて前記Ｎａｃｋ信号が発生した場合は、前記上位ストリームのリソースを多くしたリソース配分とし、前記複数のストリームのうちの下位ストリームで送信されたコードワードにおいて前記Ｎａｃｋ信号が発生した場合は、前記上位ストリームのリソースを少なくしたリソース配分とするものを含む。
これにより、フィードバック情報の総量を抑えつつ、伝搬路状況の大きな変動に起因する受信品質情報の誤差の発生を抑えて特性劣化を防ぐことができ、さらに、上位ストリームまたは下位ストリームのいずれでＮａｃｋ信号が発生したかによってリソース配分を変更することで、情報量をさらに削減することが可能である。【００１５】
本発明の第７の態様では、本発明の第６の態様における無線通信装置であって、前記フィードバック情報送信部は、前記下位ストリームで送信されたコードワードにおいて前記Ｎａｃｋ信号が発生した場合は、前記下位ストリームで送信されたコードワードの誤り具合を示す情報を前記フィードバック情報に含めるものを含む。
これにより、通信相手局では、コードワードの誤り具合を示す情報によって再送に必要なデータ量が分かるので、データ伝送に関するリソースを効率的に利用可能である。【００１６】
本発明の第８の態様では、複数のストリームにおいて複数のコードワードによるデータ伝送を行い、前記コードワードの再送時には通信相手局との間で前記複数のストリームのうちの受信品質の良好な上位ストリームのみで再送するブランキング送信を行う無線通信装置であって、前記通信相手局からのフィードバック情報を受信するフィードバック情報受信部と、前記フィードバック情報に含まれる前記コードワードの受信結果に対応する応答信号を抽出する応答信号抽出部と、前記応答信号としてＮａｃｋ信号の有無に応じて、前記フィードバック情報に含まれる受信品質情報のリソース配分を判定するリソース配分判定部と、前記リソース配分に基づき、前記受信品質情報から前記複数のストリームの各ストリームの受信品質を再現する受信品質再現部と、前記受信品質に基づいて前記各ストリームで送信するコードワードの適応制御を行う適応制御部と、を備える無線通信装置を提供する。
これにより、フィードバック情報の総量を抑えつつ、情報圧縮に起因する受信品質の誤差の発生に対して、本来必要である受信品質との誤差の発生を抑えて、特性劣化を防ぐことが可能となる。【００１７】
本発明の第９の態様では、本発明の第８の態様における無線通信装置であって、前記リソース配分判定部は、前記Ｎａｃｋ信号を検出しない場合には、前記複数のストリームのうちの上位ストリームのリソースを少なくしたリソース配分と判定し、前記適応制御部は、前記リソース配分に基づき再現された受信品質によって適応制御を行って前記ブランキング送信を実施しない通常の送信を行うものを含む。
これにより、受信品質の変動が小さい上位ストリームのリソースを少なくすることで、フィードバック情報に誤差が生じることなく、情報量を削減できる。【００１８】
本発明の第１０の態様では、本発明の第８の態様における無線通信装置であって、前記リソース配分判定部は、前記Ｎａｃｋ信号を検出した場合は、前記複数のストリームのうちの上位ストリームのリソースを多くしたリソース配分と判定し、前記適応制御部は、前記リソース配分に基づき再現された受信品質によって適応制御を行って前記上位ストリームを用いたブランキング送信を行うものを含む。
これにより、ブランキング送信時に必要な上位ストリームの受信品質情報のリソースを多くすることで、フィードバック情報の総量を抑えつつ、伝搬路状況の大きな変動に起因する受信品質情報の誤差の発生を抑えて精度の高い受信品質情報をフィードバックでき、特性劣化を防ぐことが可能となる。【００１９】
本発明の第１１の態様では、本発明の第８の態様における無線通信装置であって、前記リソース配分判定部は、前記Ｎａｃｋ信号を検出しない場合には、前記複数のストリームのうちの下位ストリームのリソースを上位ストリームのリソースよりも多くしたリソース配分と判定し、前記適応制御部は、前記リソース配分に基づき再現された受信品質によって適応制御を行って前記ブランキング送信を実施しない通常の送信を行うものを含む。
これにより、ブランキング送信が行われない場合は、下位ストリームのリソースを上位ストリームのリソースより多くすることで、上位ストリームのように受信品質の変動が小さく受信品質情報の誤差が発生しない状況では、フィードバック情報のリソースを少なくして情報量を削減することが可能である。【００２０】
本発明の第１２の態様では、本発明の第８の態様における無線通信装置であって、前記複数のストリームとして４つのストリームを用いたデータ伝送を行う場合に、前記リソース配分判定部は、前記Ｎａｃｋ信号を検出した場合は、前記４つのストリームのうちの上位２つのストリームのリソースを多くしたリソース配分と判定し、前記適応制御部は、前記リソース配分に基づき再現された受信品質によって適応制御を行って前記上位２つのストリームを用いたブランキング送信を行うものを含む。
これにより、４ストリーム送信時においても、ブランキング送信時におけるフィードバック情報の総量を抑えつつ、伝搬路状況の大きな変動に起因する受信品質情報の誤差の発生を抑えることができ、特性劣化を防ぐことが可能となる。【００２１】
本発明の第１３の態様では、本発明の第１０の態様における無線通信装置であって、前記リソース配分判定部は、前記複数のストリームのうちの上位ストリームで送信されたコードワードにおいて前記Ｎａｃｋ信号が発生した場合は、前記上位ストリームのリソースを多くしたリソース配分と判定し、前記複数のストリームのうちの下位ストリームで送信されたコードワードにおいて前記Ｎａｃｋ信号が発生した場合は、前記上位ストリームのリソースを少なくしたリソース配分と判定し、前記適応制御部は、前記リソース配分に基づき再現された受信品質によって適応制御を行って前記上位ストリームを用いたブランキング送信を行うものを含む。
これにより、フィードバック情報の総量を抑えつつ、伝搬路状況の大きな変動に起因する受信品質情報の誤差の発生を抑えて特性劣化を防ぐことができ、さらに、上位ストリームまたは下位ストリームのいずれでＮａｃｋ信号が発生したかによってリソース配分を変更することで、情報量をさらに削減することが可能である。【００２２】
また、本発明は、本発明の第１の態様から第１３の態様における無線通信装置のうち、いずれの無線通信装置を備える無線通信基地局装置を提供する。
また、本発明は、本発明の第１の態様から第１３の態様における無線通信装置のうち、いずれの無線通信装置を備える無線通信移動局装置を提供する。【００２３】
また、本発明は、複数のストリームにおいて複数のコードワードによるデータ伝送を行い、前記コードワードの再送時には通信相手局との間で前記複数のストリームのうちの受信品質の良好な上位ストリームのみで再送するブランキング送信を行う無線通信システムであって、前記複数のストリームにより送信装置から送信されたコードワードの受信結果に対応する応答信号を生成する応答信号生成部と、前記複数のストリームの各ストリームの受信品質を示す受信品質情報を生成する受信品質情報生成部と、前記受信品質情報のリソース配分を制御するもので、前記応答信号としてＮａｃｋ信号を検出した場合に、前記複数のストリーム間の受信品質情報のリソース配分を変更するリソース配分制御部と、前記応答信号及び前記受信品質情報を含むフィードバック情報を前記通信相手局へ送信するフィードバック情報送信部と、を有する受信装置と、前記受信装置からのフィードバック情報を受信するフィードバック情報受信部と、前記フィードバック情報に含まれる前記コードワードの受信結果に対応する応答信号を抽出する応答信号抽出部と、前記応答信号としてＮａｃｋ信号の有無に応じて、前記フィードバック情報に含まれる受信品質情報のリソース配分を判定するリソース配分判定部と、前記リソース配分に基づき、前記受信品質情報から前記複数のストリームの各ストリームの受信品質を再現する受信品質再現部と、前記受信品質に基づいて前記各ストリームで送信するコードワードの適応制御を行う適応制御部と、を有する送信装置と、を備える無線通信システムを提供する。【００２４】
また、本発明は、複数のストリームにおいてデータ伝送を行い、前記コードワードの再送時には通信相手局との間で前記複数のストリームのうちの受信品質の良好な上位ストリームのみで再送がなされるブランキング送信が行われる無線通信装置における無線通信方法であって、前記複数のストリームにより通信相手局から送信されたコードワードの受信結果に対応する応答信号を生成し、前記複数のストリームの各ストリームの受信品質を示す受信品質情報を生成し、前記受信品質情報のリソース配分を制御するもので、前記応答信号としてＮａｃｋ信号を検出した場合に、前記複数のストリーム間の受信品質情報のリソース配分を変更し、前記応答信号及び前記受信品質情報を含むフィードバック情報を前記通信相手局へ送信する無線通信方法を提供する。【００２５】
また、本発明は、複数のストリームにおいて複数のコードワードによるデータ伝送を行い、前記コードワードの再送時には通信相手局との間で前記複数のストリームのうちの受信品質の良好な上位ストリームのみで再送するブランキング送信を行う無線通信装置における無線通信方法であって、前記通信相手局からのフィードバック情報を受信し、前記フィードバック情報に含まれる前記コードワードの受信結果に対応する応答信号を抽出し、前記応答信号としてＮａｃｋ信号の有無に応じて、前記フィードバック情報に含まれる受信品質情報のリソース配分を判定し、前記リソース配分に基づき、前記受信品質情報から前記複数のストリームの各ストリームの受信品質を再現し、前記受信品質に基づいて前記各ストリームで送信するコードワードの適応制御を行う無線通信方法を提供する。
【発明の効果】
【００２６】
本発明に係る無線通信装置、無線通信システム及び無線通信方法によれば、ＭＣＷなどの複数のストリームを用いたデータ伝送においてストリーム毎にフィードバックする際の情報量を削減しつつ、フィードバック情報の誤差を抑制することが可能である。
【図面の簡単な説明】
【００２７】
【図１】２ストリーム送信時の受信品質の時間変動を示す図
【図２】本実施形態において用いる絶対値ＣＱＩテーブルを示す図
【図３】本実施形態において用いる相対値ＣＱＩテーブルを示す図
【図４】第１の実施形態におけるＣＱＩのフィードバックビット数の例を示す図
【図５】第１の実施形態の受信装置の構成を示すブロック図
【図６】第１の実施形態の送信装置の構成を示すブロック図
【図７】第１の実施形態における処理シーケンスを示す図
【図８】第１の実施形態の受信装置の処理フローを示す図
【図９】第１の実施形態の送信装置の処理フローを示す図
【図１０】受信品質に大きな時間変動が発生した際のＣＱＩの誤差を示す図
【図１１】２ストリーム送信を行う際の送信方法の概念図
【図１２】２つのストリームにおいて２つのコードワードを送信する場合の誤り発生    確率を示す図
【図１３】第２の実施形態におけるＣＱＩのフィードバックビット数の例を示す図
【図１４】第２の実施形態の受信装置の構成を示すブロック図
【図１５】第２の実施形態の送信装置の構成を示すブロック図
【図１６】第２の実施形態における処理シーケンスを示す図
【図１７】第２の実施形態の受信装置の処理フローを示す図
【図１８】第２の実施形態の送信装置の処理フローを示す図
【図１９】４つのストリームにおいて４つのコードワードを送信する場合の誤り発生    確率を示す図
【図２０】第２の実施形態の変形例における４ストリーム送信時のＣＱＩのフィード    バックビット数の例を示す図
【図２１】第３の実施形態におけるＣＱＩのフィードバックビット数の例を示す図
【図２２】第３の実施形態の受信装置の構成を示すブロック図
【図２３】第３の実施形態の送信装置の構成を示すブロック図
【図２４】第３の実施形態の受信装置の処理フローを示す図
【図２５】第３の実施形態の送信装置の処理フローを示す図
【図２６】ストリームのランキング順位が変わったときの様子を示す図
【図２７】第４の実施形態におけるＣＱＩのフィードバックビット数の例を示す図
【図２８】第４の実施形態の受信装置の構成を示すブロック図
【図２９】第４の実施形態の送信装置の構成を示すブロック図
【図３０】第４の実施形態の受信装置の処理フローを示す図
【図３１】第４の実施形態の送信装置の処理フローを示す図
【符号の説明】
【００２８】
５００、１４００、２２００、２８００  受信装置
５０１、５０２  アンテナ
５０３  ＭＩＭＯ受信部
５０４  チャネル推定部
５０５  受信品質推定部
５０６  ストリームランキング部
５０７  ランキング情報生成部
５０９、１４０９、２２０９、２８０９  ＣＱＩビット数配分決定部
５１０、１４１０、２２１０、２８１０  フィードバックＣＱＩ情報生成部
５１１、１４１１、２２１１、２８１１  フィードバック情報送信部
１４０８  Ｎａｃｋ検出部
２２０８  ＣＷ順位別Ｎａｃｋ検出部
２８０８  ストリーム順位変化検出部
６００、１５００、２３００、２９００  送信装置
６０１  送信信号生成部
６０２  ＭＩＭＯ送信部
６０３、６０４  アンテナ
６０５  フィードバック情報受信部
６０７  ＣＱＩ情報抽出部
６０８  ランキング情報抽出部
６０９、１５０９、２３０９、２９０９  ＣＱＩビット数配分決定部
６１０、１５１０、２３１０、２９１０  ＣＱＩ再現部
６１１、１５１１、２３１１、２９１１  適応制御部
１５０６  Ｎａｃｋ抽出部
２３０６  ＣＷ順位別Ｎａｃｋ抽出部
２９０６  ストリーム順位変化検出部
【発明を実施するための最良の形態】
【００２９】
以下、本発明の実施形態について、図面を参照して説明する。【００３０】
本実施形態では、本発明に係る無線通信装置、無線通信システム及び無線通信方法の一例として、ＭＩＭＯを採用した無線通信システムにおいて、送信装置及び受信装置が複数のアンテナを用いて複数のストリームにおいて複数のコードワード（ＣＷ）による信号伝送を行い、ＭＣＷにおけるＨＡＲＱを用いた再送制御（適応再送制御）を行う場合の構成例を示す。コードワードは、ＭＣＳの制御単位であるデータ系列のことである。ここでは、セルラーシステムにおいて、基地局からユーザ端末へ信号（ストリーム）を送信し、ユーザ端末から基地局へ受信品質としてＣＱＩをフィードバックする場合を想定する。この場合、基地局が送信装置（送信局）となり、ユーザ端末が受信装置（受信局）となる。なお、下記の実施の形態は説明のための一例であり、本発明はこれに限定されるものではない。【００３１】
（第１の実施形態）
まず、第１の実施形態として、ＭＣＷにおいてコードワード毎にＣＱＩをフィードバックする際の情報量を削減可能とする構成について説明する。ＣＱＩフィードバック時の情報量を削減するには、複数ストリームを送信する際に、各ストリームのＣＱＩの時間変動における相関を使ってフィードバックビット数の総量を削減することが考えられる。このときの方法として、例えば、あらかじめＣＱＩの絶対値をフィードバックし、次から、前回フィードバックしたＣＱＩに対する相対値（差分情報）を、絶対値のビット数より少ないビット数で通知することで、全体のビット数を削減する方法などが考えられる。【００３２】
また、複数ストリームを送信する際には、各ストリームを受信品質により順位付けを行うランキング処理（またはオーダリング処理）を適用することで、ランキング後の上位ストリームでは、フェージング変動は緩やかな変動に限定され、時間経過に対する変化量が小さくなる、といった特徴がある。そこで、この上位ストリームの特徴を利用し、上記の相対値を用いてＣＱＩをフィードバックする方法に適用することで、ＣＱＩのフィードバックビット数を削減することができる。【００３３】
本実施形態では、各ストリームを受信品質によりランキングを行い、上位ストリームのＣＱＩフィードバックにおいて、あらかじめＣＱＩの絶対値を報告し、次から、前回報告したＣＱＩに対する相対値（差分情報）を、絶対値ＣＱＩのビット数より少ないビットで報告することで、ＣＱＩのフィードバックビット数の総数を削減する。ここでは、一例として２ストリーム送信の場合について説明する。【００３４】
図１は２ストリーム送信時の受信品質の時間変動を示す図、図２は本実施形態において用いる絶対値ＣＱＩテーブルを示す図、図３は本実施形態において用いる相対値ＣＱＩテーブルを示す図、図４は第１の実施形態におけるＣＱＩのフィードバックビット数の例を示す図である。【００３５】
図１では、ストリーム１及びストリーム２の受信品質をグラフ状に示しており、上位ストリームを太い破線で示してある。受信品質としては、例えば、受信ＳＩＮＲ（Signal to Interference and Noise Ratio）などがある。ここで、受信品質によりストリームをランキング（順位付け）することで、上位ストリームの受信品質は太い破線のようになる。一方、上位ストリームに該当しないストリーム１とストリーム２の受信品質を示す細線が、下位ストリームの受信品質となる。【００３６】
ここで、受信品質に対するＣＱＩのダイナミックレンジは、基地局近傍からセルエッジまで対応するために３０ｄＢ程度必要であり、１ｄＢステップとすると３０段階となるので、ＣＱＩを表現するビット数としては５ビット必要となる。この５ビットで表現するＣＱＩを、絶対値ＣＱＩとする。例えば、この絶対値ＣＱＩにおける、受信品質に対するＣＱＩビットの関係として、図２のような絶対値ＣＱＩテーブルを用いることができる。図２において、例えば受信品質が"２５"の場合、受信側からＣＱＩビットとして５ビット量子化した値である"11001"をフィードバックすることで、送信側では、受信側と同じ図２のテーブルを用いることで、受信品質が"２５"であることを再現できる。【００３７】
一方、上位ストリームの受信品質の変動は、上記絶対値ＣＱＩのダイナミックレンジに対して、変動幅が小さく、変動をカバーするダイナミックレンジは狭くなる。そこで、前回報告したＣＱＩからの差分情報であるＣＱＩの相対値（相対値ＣＱＩ）を、ＣＱＩの絶対値のビット数より少ないビットで報告することで、ＣＱＩのフィードバックビット数の総数を削減することができる。例えば、この相対値ＣＱＩを２ビットで表現した図３のような相対値ＣＱＩテーブルを用いることができる。例えば前回報告した受信品質（ＣＱＩ）に対して、現在の受信品質が"−１"の場合、受信側からＣＱＩビットとして２ビット量子化した値である"01"をフィードバックすることで、送信側では、受信側と同じ図３のテーブルと、前回のＣＱＩとを用いることで、受信品質を再現できる。【００３８】
そして、ＣＱＩのフィードバック周期をスロット（slot）単位としたときに、上記のように絶対値及び相対値でＣＱＩを表現した場合の、ＣＱＩのフィードバックビット数は図４のようになる。図４に示すように、各スロットにおいて、上位ストリームに２ビット（相対値）、下位ストリームに５ビット（絶対値）、上位または下位のストリームを示すランキング情報に１ビットを割り当てると、全体で８ビットとなる。この場合、２つのストリームでそれぞれＣＱＩの絶対値（５ビット）をフィードバックする場合（５×２＝１０ビット）に比べて、フィードバックビット数を削減できている。【００３９】
具体的な動作は次のようになる。まず、受信装置となるユーザ端末では、あらかじめ、各ストリームのＣＱＩの絶対値を、送信装置となる基地局に報告する。次に、ユーザ端末は、各ストリームの受信品質により、ストリームのランキングを行う。上位ストリームでは、前回報告したＣＱＩに対する相対値（差分）を求める。また、下位ストリームでは、ＣＱＩの絶対値を求める。そして、ユーザ端末は、ランキング情報と、上位ストリームの相対値ＣＱＩと、下位ストリームの絶対値ＣＱＩとを、基地局に報告する。そして、基地局では、報告された情報に基づいて、各ストリームのＣＱＩを再現して求める。このような方法をとることによって、ＣＱＩフィードバックの情報量を削減することができる。【００４０】
なお、上記のフィードバック情報量削減方法の他に、次のような方法を適用することも可能である。例えば、あらかじめＣＱＩの絶対値を報告しておき、この絶対値を基準値として、基準値から設定される狭いダイナミックレンジの絶対値を用いる方法や、時間方向で間引き処理した値を報告して、時間方向で補間する方法などがある。【００４１】
また、あらかじめ絶対値を報告する方法としては、初回のフィードバックに限って、各ストリームの絶対値ＣＱＩを、同じスロットでフィードバックする方法や、時間（スロット）分割でフィードバックする方法などが考えられる。【００４２】
次に、第１の実施形態に係る無線通信装置の具体的な構成例を示す。図５は第１の実施形態の受信装置の構成を示すブロック図である。受信装置５００は、アンテナ５０１、５０２、ＭＩＭＯ受信部５０３、チャネル推定部５０４、受信品質推定部５０５、ストリームランキング部５０６、ランキング情報生成部５０７、ＣＱＩビット数配分決定部５０９、フィードバックＣＱＩ情報生成部５１０、フィードバック情報送信部５１１を備える。【００４３】
受信装置５００は、通信相手局の送信装置からＭＩＭＯ送信（ＳＤＭ送信）された複数ストリーム（ここでは２つのストリーム）の信号をアンテナ５０１、５０２より受信し、ＭＩＭＯ受信部５０３において受信信号の復調処理、復号化等の受信処理を行って複数コードワードの受信データを得る。ＭＩＭＯ受信部５０３は、ＳＤＭ送信された信号を受信できるものであれば特に限定されるものではない。例えば、Zero ForcingやＭＭＳＥ（Minimum Mean Square Error）といったフィルタリングによる受信方法や、ＳＩＣ（Successive Interference Canceller）による受信方法などがある。【００４４】
チャネル推定部５０４は、受信信号におけるパイロット信号を使用して、複数ストリームにおける各ストリームのチャネル推定を行う。受信品質推定部５０５は、チャネル推定部５０４により推定されたチャネル推定値を用いて各ストリームの受信品質を推定する。受信品質としては、受信ＳＩＮＲなどがある。【００４５】
ストリームランキング部５０６は、各ストリームの推定受信品質を使って、ストリームの受信品質が良い順に、ランキング順位を決定する。ランキング情報生成部５０７は、ストリームランキング部５０６で決定されたランキング順位を使って、ランキング情報を生成する。【００４６】
ＣＱＩビット数配分決定部５０９は、上記推定された受信品質を示す受信品質情報として、ＣＱＩをフィードバックする場合に、この受信品質情報のリソース配分として、ストリーム間のＣＱＩビット数の配分を決定する。本実施形態では、ＣＱＩビット数配分決定部５０９は、ストリームのランキング順位により、上位ストリームにはビット数を少なく、下位ストリームにはビット数を多くするように、ＣＱＩビット数の配分を決定する。【００４７】
フィードバックＣＱＩ情報生成部５１０は、ストリームランキング部５０６で決定された各ストリームのランキング順位に対して、ＣＱＩビット数配分決定部５０９で決定されたＣＱＩビット数に応じて、受信品質推定部５０５で推定した各ストリームの受信品質からフィードバック用のＣＱＩ情報を生成する。【００４８】
フィードバック情報送信部５１１は、各ストリームの受信の可否を示すＡｃｋ（Acknowledgement）／Ｎａｃｋ（Negative Acknowledgement）情報、及び、上記生成したＣＱＩ情報、ランキング情報を含むフィードバック情報として、送信装置へフィードバックするための送信処理を行う。【００４９】
図６は第１の実施形態の送信装置の構成を示すブロック図である。送信装置６００は、送信信号生成部６０１、ＭＩＭＯ送信部６０２、アンテナ６０３、６０４、フィードバック情報受信部６０５、ＣＱＩ情報抽出部６０７、ランキング情報抽出部６０８、ＣＱＩビット数配分決定部６０９、ＣＱＩ再現部６１０、適応制御部６１１を備えて構成される。【００５０】
送信装置６００は、送信信号生成部６０１において、適応制御部６１１で決定された変調方式や符号化率を使って、送信データを符号化して、変調処理を行うことで送信信号を生成する。ＭＩＭＯ送信部６０２は、生成された送信信号を基に、複数のコードワードを複数ストリーム（ここでは２つのストリーム）でアンテナ６０３、６０４より通信相手局の受信装置へＭＩＭＯ送信（ＳＤＭ送信）する。ＭＩＭＯ送信部６０２は、複数のコードワードをＳＤＭ送信できる構成であれば特に限定されるものではない。例えば、各コードワードを、別々のアンテナから送信する方法や、各コードワードに送信ウエイトを乗算して各アンテナから送信する方法などがある。【００５１】
フィードバック情報受信部６０５は、受信装置からのフィードバック情報に対して受信処理を行う。ＣＱＩ情報抽出部６０７は、フィードバック情報から受信品質情報としてのＣＱＩ情報を抽出する。ランキング情報抽出部６０８は、フィードバック情報から各ストリームのランキング情報を抽出する。【００５２】
ＣＱＩビット数配分決定部６０９は、受信装置５００におけるＣＱＩビット数配分決定部５０９と同様に、受信品質情報のリソース配分として、ストリーム間のＣＱＩビット数の配分を決定する。本実施形態では、ＣＱＩビット数配分決定部６０９は、ストリームのランキング順位によってＣＱＩビット数の配分を判定し、上位ストリームにはビット数を少なく、下位ストリームにはビット数を多くするように、ＣＱＩビット数の配分を決定する。【００５３】
ＣＱＩ再現部６１０は、ＣＱＩ情報抽出部６０７で抽出したＣＱＩ情報と、ランキング情報抽出部６０８で抽出した各ストリームのランキング情報と、ＣＱＩビット数配分決定部６０９で決定した各ストリームのＣＱＩビット配分とを用いて、各ストリームの受信品質を示すＣＱＩを再現する。適応制御部６１１は、再現されたＣＱＩに基づいて、送信信号の変調方式や符号化率を制御する。また、受信装置からＮａｃｋ信号を受けた場合の再送時には、再送制御を行う。【００５４】
次に、第１の実施形態の無線通信装置における処理のシーケンスとフローについて説明する。図７は第１の実施形態における処理シーケンスを示す図、図８は第１の実施形態の受信装置の処理フローを示す図、図９は第１の実施形態の送信装置の処理フローを示す図である。【００５５】
図７の処理シーケンスによって基本的な処理の流れを説明する。ここでは、本実施形態に関係のある情報だけを示している。また、時間スロットについて、連続的なスロット（Slot1、Slot2、Slot3）を示しているが、これに限定されるものではない。【００５６】
まず、スロット１（Slot1）において、送信装置６００はパイロット信号とデータを送信し（Ｓ７０１、Ｓ７０２）、受信装置５００はそれらを受信する。このとき、複数コードワード（ＭＣＷ）のデータを複数のストリームで送信する。受信装置５００では、パイロット信号によってチャネル推定を行う（Ｓ７０３）。また、受信データをＭＩＭＯ受信し（Ｓ７０４）、コードワード毎に復号処理する。そして、チャネル推定値を用いて、各ストリームのランキング情報とＣＱＩ情報を生成する（Ｓ７０５）。【００５７】
スロット２（Slot2）では、スロット１において受信側において生成されたランキング情報とＣＱＩ情報を、受信装置５００は送信装置６００にフィードバックする。送信装置６００では、フィードバックされたランキング情報とＣＱＩ情報から、各送信コードワードのＣＱＩを再現する（Ｓ７０６）。【００５８】
スロット３（Slot3）では、送信装置６００において、スロット２で再現した各コードワードのＣＱＩに基づいて、送信データのＭＣＳの適応制御を行う（Ｓ７０７）。この後、スロット１の処理を繰り返し、パイロット信号とデータを送信する（Ｓ７０８、Ｓ７０９）。【００５９】
続いて、図８によって受信装置の処理フローを順に説明する。受信装置５００では、ＭＩＭＯ受信部５０３において送信装置６００から送信された信号を受信する（Ｓ８０１）。そして、チャネル推定部５０４において、ステップＳ８０１で受信した信号からパイロット信号を抽出して、チャネル推定を行う（Ｓ８０２）。【００６０】
次に、受信品質推定部５０５において、ステップＳ８０２で推定したチャネル推定値を用いて、各ストリームの受信品質を算出して推定する（Ｓ８０３）。ここで、受信品質としては、例えばＳＩＮＲがある。他に、ＳＮＲ（Signal to Noise Ratio）、ＳＩＲ（Signal to Interference Ratio）、受信電力などがある。そして、ストリームランキング部５０６において、ステップＳ８０３で推定した各ストリームの受信品質を用いて、各ストリームに順位をつけてランキング順位を決定する（Ｓ８０４）。【００６１】
また、ＣＱＩビット数配分決定部５０９において、上位ストリームにはビット数を少なく、下位ストリームにはビット数を多くするように、ストリーム間のＣＱＩビット数の配分を決定する（Ｓ８０５）。【００６２】
次に、フィードバックＣＱＩ情報生成部５１０において、ステップＳ８０３で推定した各ストリームの受信品質と、ステップＳ８０４で決定した各ストリームのランキング順位と、ステップＳ８０５で決定した各ストリームのＣＱＩビット数に応じて、各ストリームのＣＱＩ情報を生成する（Ｓ８０６）。そして、フィードバック情報送信部５１１により、ＣＱＩ情報とランキング情報を送信装置６００にフィードバックする（Ｓ８０７）。【００６３】
また、図９によって送信装置の処理フローを順に説明する。送信装置６００では、フィードバック情報受信部６０５により、受信装置５００からのフィードバック情報を受信する（Ｓ９０１）。そして、ステップＳ９０１で受信したフィードバック情報から、ＣＱＩ情報抽出部６０７でＣＱＩ情報を、ランキング情報抽出部６０８でランキング情報をそれぞれ抽出する（Ｓ９０２）。【００６４】
次に、ＣＱＩビット数配分決定部６０９において、上位ストリームにはビット数を少なく、下位ストリームにはビット数を多くするように、ストリーム間のＣＱＩビット数の配分を決定する（Ｓ９０３）。そして、ＣＱＩ再現部６１０において、ステップＳ９０３で決定したＣＱＩビット数の配分に応じて、ステップＳ９０２で抽出したＣＱＩ情報とランキング情報を用い、各ストリームのＣＱＩを再現する（Ｓ９０４）。【００６５】
次に、適応制御部６１１において、ステップＳ９０４で再現した各ストリームのＣＱＩに基づいて、各ストリームで送信するコードワードの符号化率、変調方式を決定する。また、再送時には再送制御を行う（Ｓ９０５）。そして、送信信号生成部６０１及びＭＩＭＯ送信部６０２により、ステップＳ９０５で決定した、各コードワードの符号化率、変調方式により、送信信号を生成して、ＭＩＭＯ送信（ＳＤＭ送信）する（Ｓ９０６）。【００６６】
このように、第１の実施形態によれば、上位のストリームのＣＱＩ情報を相対値で報告することによって、ＣＱＩフィードバックの情報量を削減することができる。これにより、複数のストリームを用いたＭＣＷのデータ伝送において、コードワードが増加しても、コードワード毎にフィードバックする際の情報量を削減できる。また、これによって、フィードバック情報を通知する逆回線における周波数利用効率の低下を防止することができる。【００６７】
（第２の実施形態）
次に、第２の実施形態として、ＭＣＷにおいてコードワード毎にＣＱＩをフィードバックする際の情報量を削減しつつ、ＣＱＩ誤差の発生を抑制可能とする構成について説明する。【００６８】
上述した第１の実施形態の構成では、シャドウイング変動や隣接セルからの与干渉が急激に変動することなどによって、伝搬路状況に大きな変動が発生した場合に、上位ストリームにおける実際の受信品質が相対値（差分情報）でカバーできる範囲を超えてしまうと、報告したＣＱＩ情報と実際のＣＱＩとの間に誤差が生じるので、特性が劣化してしまうことがある。図１０は受信品質に大きな時間変動が発生した際のＣＱＩの誤差を示す図である。【００６９】
また、第１の実施形態のようなフィードバック情報削減方法では、フィードバックされた相対値（差分情報）の判定に誤りが発生すると、それ以後のＣＱＩに誤りが伝播してしまう。このため、以後に報告したＣＱＩに誤差が生じるので、特性が劣化してしまうことがある。このような問題に対して、定期的にＣＱＩの絶対値を報告する方法が考えられるが、この方法では、フィードバック情報のフォーマットとして最大の情報量を確保しておく必要があることから、情報量の圧縮ができなくなってしまう。【００７０】
上記のように、ＣＱＩ情報のフィードバックにおいて、情報圧縮を適用することで、情報量が減ったことにより、本来必要とするＣＱＩとの誤差が発生するため、特性劣化を引き起こすといった問題が生じ得る。そこで、第２の実施形態では、ＭＣＷのＣＱＩフィードバックにおいて情報圧縮を適用した場合に、本来必要とするＣＱＩとの誤差の発生を抑制するＣＱＩフィードバック方法及びこれを適用した無線通信装置の構成を示す。【００７１】
第２の実施形態では、コードワードの受信結果に対応する応答信号の一つである、Ｎａｃｋの発生に応じて、ＣＱＩフィードバックのビット数を振り分けることで、ＣＱＩフィードバックのビット数の総数を抑えつつ、本来必要であるＣＱＩとの誤差の発生を抑えて、特性劣化を防止する。【００７２】
まず、本実施形態の着眼点である、ブランキング処理に必要なＣＱＩフィードバックと、ＭＣＷにおける誤りの発生頻度について説明する。【００７３】
（１）ブランキング処理に必要なＣＱＩフィードバック
ＭＣＷにおけるＨＡＲＱの方法の１つに、ブランキング処理がある。図１１は、２ストリーム送信を行う際の送信方法の概念図である。図１１において、送信装置である基地局（ＢＳ：Base Station）１１０１から受信装置であるユーザ端末（ＵＥ：User Equipment）１１０２へＳｔｒ１とＳｔｒ２の２つのストリームを送信し、ユーザ端末１１０２から基地局１１０１へ各ストリームのＣＱＩをフィードバックする処理が示されている。ここで、Ｓｔｒ１を品質の良い上位ストリーム、Ｓｔｒ２を品質が劣る下位ストリームとする。【００７４】
図１１のＡは、再送が発生しておらず、ブランキングをしない場合であり、ブランキングを行わずに２つのストリームにおいてそれぞれのコードワード（ＣＷ１、ＣＷ２）で新規データを送信している。図１１のＢは、一方のストリームに受信誤りがありＮａｃｋと判定され、再送が発生しブランキングをする場合である。ブランキング処理では、Ｎａｃｋとなって再送要求されたコードワード（ＣＷ）だけを送信すればよいので、初回送信時のストリームに関わらず、品質の良い上位ストリーム（ここではＳｔｒ１）から再送し、下位ストリームの送信を行わないことで、再送時の品質を確保することができる。この場合、ユーザ端末１１０２から基地局１１０１へは上位ストリームのＣＱＩのみをフィードバックする。ブランキング処理では、ブランキングするストリーム、つまり、コードワードを送信しないストリーム（ここではＳｔｒ２）ではＣＱＩが必要でないので、ＣＱＩをフィードバックする必要がない。【００７５】
（２）ＭＣＷにおける誤りの発生頻度
ＨＡＲＱを想定した通信システムでは、コードワード当りのターゲット誤り率は数１０％に設定されるのが一般的である。従って、複数のコードワードを用いるＭＣＷでは、各コードワードの誤り率は独立事象であることから、少なくても１つのコードワードが誤る事象の発生頻度は高い。図１２は、２つのストリームにおいて２つのコードワードを送信する場合の誤り発生確率を示す図である。例えば、ターゲットＰＥＲ（Packet Error Rate：パケット誤り率）が２０％の場合、２ストリーム（２コードワード）送信時における、誤りが発生する確率は、１つ以上のコードワードがＮａｃｋとなる確率を加算した３６％となる。【００７６】
上記（１）で述べたように、ブランキング送信時には、ブランキングされるストリームである下位ストリームのＣＱＩをフィードバックする必要がない。また、上記（２）で述べたように、ブランキング送信が行われるようなＮａｃｋが発生する事象は、高い頻度で発生する。これらの２点を考慮し、本実施形態では以下のような機能を備えるようにする。【００７７】
受信誤りによりＮａｃｋが発生したことは、受信装置であるユーザ端末において検出されるので、再送時に送信装置である基地局からブランキング送信されることは、ユーザ端末においても予想できる。そこで、本実施形態では、Ｎａｃｋが発生してブランキング送信される前に通知する受信装置から送信装置へのＣＱＩフィードバックにおいて、複数のストリーム間のＣＱＩのビット配分を変更する機能を備えるようにする。【００７８】
例えば、ブランキング送信を行わない通常の送信時には、第１の実施形態と同様に、上位ストリームはＣＱＩの相対値（２ビット）を報告し、下位ストリームはＣＱＩの絶対値（５ビット）を報告する。一方、ブランキング送信を行う場合は、ストリーム間のＣＱＩのビット配分を変えて、上位ストリームのＣＱＩの絶対値（５ビット）を報告する。これにより、フィードバックビット数を増加させることなく、上位ストリームのＣＱＩの絶対値を報告することができる。【００７９】
次に、第２の実施形態におけるＣＱＩビット数の配分の具体的な方法を例示する。図１３は、第２の実施形態におけるＣＱＩのフィードバックビット数の例を示す図である。図１３において、Slotはスロット番号を示しており、送信方法は図１１における送信方法ＡとＢ、つまり、Ａはブランキングをしない送信、Ｂはブランキングする送信を示している。また、Ａｃｋ／Ｎａｃｋは、各コードワード（ＣＷ１，ＣＷ２）のＡｃｋ／Ｎａｃｋを示しており、○はＡｃｋを×はＮａｃｋを示している。フィードバックビット数は、該当するスロットでフィードバックするビット数を示している。また、図１３の例では、送信側から送信したコードワードを受信側で受信処理して誤り判定を行い、Ａｃｋ／ＮａｃｋとＣＱＩをフィードバックするまでに、１スロットとしている。そして、受信側からのＡｃｋ／ＮａｃｋとＣＱＩのフィードバックに基づいて、送信側では再送処理を行う。なお、受信側で受信処理を行い、フィードバックするまでのスロット数が、１スロットより長い場合であっても問題なはい。以下にスロット毎の処理を説明する。【００８０】
［スロット１］
送信側において、ＣＷ１を上位ストリームから、ＣＷ２を下位ストリームから送信する。受信側において、受信処理を行い、ＣＷ１とＣＷ２の誤りを判定する。誤りの判定は、ＣＲＣ（Cyclic Redundant Code）による誤り判定が一般的である。ここでは、ＣＷ１とＣＷ２共に誤り発生していない。【００８１】
［スロット２］
スロット１で送信された各コードワードのＡｃｋ／Ｎａｃｋ情報と、スロット３で送信されるコードワードにおいて用いられる各ストリームのＣＱＩ情報を、受信側から送信側にフィードバックする。受信側は、スロット１で送信されたＣＷ１とＣＷ２のＡｃｋと、上位ストリームのＣＱＩの相対値（差分情報）と、下位ストリームのＣＱＩの絶対値とを、送信側に報告する。【００８２】
［スロット３］
送信側は、スロット２でフィードバックされたＡｃｋ／Ｎａｃｋ情報から、スロット１で送信したＣＷ１とＣＷ２に誤りが発生していないことがわかる。そこで、送信側では新規のＣＷ１とＣＷ２を送信する。受信側において、ＣＷ１とＣＷ２の誤りを判定する。ここでは、ＣＷ１に誤りが発生している。【００８３】
［スロット４］
受信側は、スロット３で送信されたＣＷ１のＮａｃｋと、ＣＷ２のＡｃｋと、上位ストリームのＣＱＩの絶対値とを、送信側に報告する。【００８４】
［スロット５］
送信側は、スロット４でフィードバックされたＡｃｋ／Ｎａｃｋ情報から、スロット３で送信したＣＷ１に誤りが発生していることがわかる。そこで、送信側ではブランキングを行い、ＣＷ１を上位ストリームから再送する。ここで、再送方法としては、３ＧＰＰのＨＳＤＰＡ（High Speed Downlink Packet Access）で用いられている再送方法などがある。またこのとき、上位ストリームのＣＱＩがフィードバックされているので、ＣＱＩで示される受信品質に基づいて適応的に再送データを生成して送信してもよい。受信側において、スロット３で送信されたＣＷ１と再送されたＣＷ１とを合成して受信処理を行い、誤りを判定する。ここでは、ＣＷ１に誤りは発生していない。【００８５】
［スロット６］
受信側は、スロット５で再送されたＣＷ１のＡｃｋと、上位ストリームのＣＱＩの相対値（差分情報）と、下位ストリームのＣＱＩの絶対値とを、送信側に報告する。【００８６】
［スロット７］
スロット７以降では、スロット１からスロット６の処理と同様の処理を行う。【００８７】
図１３の例の場合、送信されたＣＷに誤りが発生してＮａｃｋをフィードバックするスロットは、スロット４、８、１０である。この次のスロットであるスロット５、９、１１では、図１１の送信方法Ｂのようにブランキング送信を行い、Ｎａｃｋが発生したＣＷだけを上位ストリームから再送する。このブランキング送信時には、上位ストリームからだけ送信するので、下位ストリームのＣＱＩは必要ない。そこで、ブランキング送信される前のスロット（スロット４、８、１０）におけるＣＱＩフィードバックでは、上位ストリームのＣＱＩの絶対値のみを報告する。これにより、各スロットのＣＱＩのフィードバックビット数を増加させることなく、上位ストリームのＣＱＩの絶対値を、高い頻度で報告することができる。【００８８】
なお、下位ストリームのＣＱＩのフィードバックとしては、図１３ようにＣＱＩを報告しない方法の他に、ビット数を減らした量子化粒度の粗い絶対値を報告する、下位ストリームの前回報告したＣＱＩに対する相対値（差分情報）を報告する、上位ストリームのＣＱＩの絶対値に対する下位ストリームのＣＱＩの相対値（差分情報）を報告する、などの方法がある。この場合、下位ストリームのＣＱＩの精度は低下するが、下位ストリームのおおよその受信品質を報告することができる。【００８９】
また、下位ストリームに関するフィードバックとして、ＣＱＩを報告しない代わりに、他の情報を報告してもよい。例えば、Ｎａｃｋが発生したコードワードの誤り具合などを示す受信品質情報などを報告することなどが挙げられる。これにより、Ｎａｃｋが発生したコードワードの誤り具合を予想することができるので、再送時に確実な再送を行うことができる。【００９０】
次に、第２の実施形態に係る無線通信装置の具体的な構成例を示す。図１４は第２の実施形態の受信装置の構成を示すブロック図である。受信装置１４００は、アンテナ５０１、５０２、ＭＩＭＯ受信部５０３、チャネル推定部５０４、受信品質推定部５０５、ストリームランキング部５０６、ランキング情報生成部５０７、Ｎａｃｋ検出部１４０８、ＣＱＩビット数配分決定部１４０９、フィードバックＣＱＩ情報生成部１４１０、フィードバック情報送信部１４１１を備えて構成される。ここでは、上述した第１の実施形態と異なる構成要素について説明し、第１の実施形態と同様の構成要素には同一符号を付して説明を省略する。【００９１】
Ｎａｃｋ検出部１４０８は、受信した各コードワードの応答信号としてＭＩＭＯ受信部５０３で生成出力されるＡｃｋ／Ｎａｃｋ信号を基に、Ｎａｃｋが存在するかどうか、Ｎａｃｋの発生を検出する。すなわち、Ｎａｃｋ検出部１４０８は、ＭＩＭＯ受信部５０３における受信データの誤り判定結果に応じて、Ｎａｃｋ信号が出力されたかとか、受信データの誤り（受信失敗）が発生したかなどを検出する。ＣＱＩビット数配分決定部１４０９は、Ｎａｃｋ検出部１４０８における検出結果に応じて、受信品質推定部５０５で推定された受信品質を示す受信品質情報として、ＣＱＩをフィードバックする場合に、この受信品質情報のリソース配分として、ストリーム間のＣＱＩビット数の配分を決定する。本実施形態では、Ｎａｃｋが検出された場合には、上位ストリームのＣＱＩビット数の配分を多くし、Ｎａｃｋが検出されない場合には、上位ストリームのＣＱＩビット数の配分を少なくし、下位ストリームのＣＱＩビット数の配分を多くするように、ＣＱＩビット数の配分を決定する。【００９２】
フィードバックＣＱＩ情報生成部１４１０は、ストリームランキング部５０６で決定された各ストリームのランキング順位に対して、ＣＱＩビット数配分決定部１４０９で決定されたＣＱＩビット数に応じて、受信品質推定部５０５で推定した各ストリームの受信品質からフィードバック用のＣＱＩ情報を生成する。【００９３】
フィードバック情報送信部１４１１は、Ａｃｋ／Ｎａｃｋ情報、上記生成したＣＱＩ情報、ランキング情報を含むフィードバック情報として、送信装置へフィードバックするための送信処理を行う。【００９４】
上記構成において、ＭＩＭＯ受信部５０３が応答信号生成部の機能を実現する。また、Ｎａｃｋ検出部１４０８及びＣＱＩビット数配分決定部１４０９がリソース配分制御部の機能を実現する。フィードバックＣＱＩ情報生成部１４１０が受信品質情報生成部の機能を実現する。【００９５】
図１５は第２の実施形態の送信装置の構成を示すブロック図である。送信装置１５００は、送信信号生成部６０１、ＭＩＭＯ送信部６０２、アンテナ６０３、６０４、フィードバック情報受信部６０５、Ｎａｃｋ抽出部１５０６、ＣＱＩ情報抽出部６０７、ランキング情報抽出部６０８、ＣＱＩビット数配分決定部１５０９、ＣＱＩ再現部１５１０、適応制御部１５１１を備えて構成される。ここでは、上述した第１の実施形態と異なる構成要素について説明し、第１の実施形態と同様の構成要素には同一符号を付して説明を省略する。【００９６】
Ｎａｃｋ抽出部１５０６は、受信装置からのフィードバック情報に含まれるＮａｃｋ情報を抽出する。ＣＱＩビット数配分決定部１５０９は、Ｎａｃｋ抽出部１５０６における抽出結果に応じて、受信装置１４００におけるＣＱＩビット数配分決定部１４０９と同様に、受信品質情報のリソース配分として、ストリーム間のＣＱＩビット数の配分を決定する。本実施形態では、ＣＱＩビット数配分決定部１５０９は、Ｎａｃｋ情報の有無とストリームのランキング順位によってＣＱＩビット数の配分を判定する。このとき、Ｎａｃｋが抽出された場合には上位ストリームのＣＱＩビット数の配分を多くし、Ｎａｃｋが抽出されない場合には上位ストリームのＣＱＩビット数の配分を少なくして下位ストリームのＣＱＩビット数の配分を多くするように、ＣＱＩビット数の配分を決定する。【００９７】
ＣＱＩ再現部１５１０は、ＣＱＩ情報抽出部６０７で抽出したＣＱＩ情報と、ランキング情報抽出部６０８で抽出した各ストリームのランキング情報と、ＣＱＩビット数配分決定部１５０９で決定した各ストリームのＣＱＩビット配分とを用いて、各ストリームの受信品質を示すＣＱＩを再現する。適応制御部１５１１は、再現されたＣＱＩに基づいて、送信信号の変調方式や符号化率を制御する。また、受信装置からＮａｃｋ信号を受けた場合の再送時には、再送制御を行う。【００９８】
上記構成において、Ｎａｃｋ抽出部１５０６が応答信号抽出部の機能を実現する。また、ＣＱＩビット数配分決定部１５０９がリソース配分判定部の機能を実現する。ＣＱＩ再現部１５１０が受信品質再現部の機能を実現する。【００９９】
次に、第２の実施形態の無線通信装置における処理のシーケンスとフローについて説明する。図１６は第２の実施形態における処理シーケンスを示す図、図１７は第２の実施形態の受信装置の処理フローを示す図、図１８は第２の実施形態の送信装置の処理フローを示す図である。【０１００】
図１６の処理シーケンスによって基本的な処理の流れを説明する。ここでは、本実施形態に関係のある情報だけを示している。また、時間スロットについて、連続的なスロット（Slot1、Slot2、Slot3）を示しているが、これに限定されるものではない。【０１０１】
まず、スロット１（Slot1）において、送信装置１５００はパイロット信号とデータを送信し（Ｓ１６０１、Ｓ１６０２）、受信装置１４００はそれらを受信する。このとき、複数コードワード（ＭＣＷ）のデータを複数のストリームで送信する。受信装置１４００では、パイロット信号によってチャネル推定を行う（Ｓ１６０３）。また、受信データをＭＩＭＯ受信し（Ｓ１６０４）、コードワード毎に復号処理して（Ｓ１６０５）、誤り判定を行い、Ａｃｋ／Ｎａｃｋ情報を生成する（Ｓ１６０６）。そして、Ｎａｃｋ情報の検出を行い（Ｓ１６０７）、チャネル推定値とＡｃｋ／Ｎａｃｋ情報を用いて、各ストリームのランキング情報とＣＱＩ情報を生成する（Ｓ１６０８）。このとき、Ｎａｃｋの検出結果に基づいてＣＱＩ情報を生成する。【０１０２】
スロット２（Slot2）では、スロット１において受信側において生成されたランキング情報とＣＱＩ情報、及びＡｃｋ／Ｎａｃｋ情報を、受信装置１４００は送信装置１５００にフィードバックする。送信装置１５００では、フィードバックされたＡｃｋ／Ｎａｃｋ情報とランキング情報とＣＱＩ情報から、各送信コードワードのＣＱＩを再現する（Ｓ１６０９）。このとき、Ｎａｃｋ情報の検出を行い（Ｓ１６１０）、Ｎａｃｋの検出結果に基づいてＣＱＩの再現や再送制御を行う。【０１０３】
スロット３（Slot3）では、送信装置１５００において、スロット２で再現した各コードワードのＣＱＩに基づいて、送信データのＭＣＳの適応制御を行う（Ｓ１６１１）。この後、スロット１の処理を繰り返し、パイロット信号とデータを送信する（Ｓ１６１２、Ｓ１６１３）。このとき、スロット２でフィードバックされたＡｃｋ／Ｎａｃｋ情報において、Ｎａｃｋが検出された場合には、ブランキング送信を行う。【０１０４】
続いて、図１７によって受信装置の処理フローを順に説明する。受信装置１４００では、図８に示した第１の実施形態のステップＳ８０１〜Ｓ８０４と同様に、ＭＩＭＯ受信部５０３において送信装置６００から送信された信号を受信し（Ｓ１７０１）、チャネル推定部５０４においてパイロット信号からチャネル推定を行い（Ｓ１７０２）、受信品質推定部５０５において、チャネル推定値を用いて各ストリームの受信品質を算出して推定し（Ｓ１７０３）、ストリームランキング部５０６において、各ストリームの受信品質を用いて各ストリームに順位をつけてランキング順位を決定する（Ｓ１７０４）。【０１０５】
そして、Ｎａｃｋ検出部１４０８において、Ｎａｃｋを検出し（Ｓ１７０５）、Ｎａｃｋが発生しているかどうかを判定する（Ｓ１７０６）。このとき、Ｎａｃｋ検出部１４０８は、ＭＩＭＯ受信部５０３で受信処理を行った受信信号の誤り判定結果から、受信した複数コードワードの中に誤りが発生しているかどうかを判定する。【０１０６】
ＣＱＩビット数配分決定部１４０９は、Ｎａｃｋ発生の有無に応じてストリーム間のＣＱＩビット数の配分を決定する。ここで、ステップＳ１７０６の判定でＮａｃｋがある場合には、上位ストリームに多くのＣＱＩビット数を配分するように決定する（Ｓ１７０７）。一方、ステップＳ１７０６の判定でＮａｃｋがない場合には、下位ストリームに多くのＣＱＩビット数を配分するように決定する（Ｓ１７０８）。【０１０７】
次に、フィードバックＣＱＩ情報生成部１４１０において、ステップＳ１７０３で推定した各ストリームの受信品質と、ステップＳ１７０４で決定した各ストリームのランキング順位と、ステップＳ１７０７、Ｓ１７０８で決定した各ストリームのＣＱＩビット数に応じて、各ストリームのＣＱＩ情報を生成する（Ｓ１７０９）。そして、フィードバック情報送信部１４１１により、Ａｃｋ／Ｎａｃｋ情報、ＣＱＩ情報、ランキング情報を送信装置１５００にフィードバックする（Ｓ１７１０）。【０１０８】
また、図１８によって送信装置の処理フローを順に説明する。送信装置１５００では、フィードバック情報受信部６０５により、受信装置１４００からのフィードバック情報を受信する（Ｓ１８０１）。そして、ステップＳ１８０１で受信した受信したフィードバック情報から、Ｎａｃｋ抽出部１５０６でＮａｃｋ情報を、ＣＱＩ情報抽出部６０７でＣＱＩ情報を、ランキング情報抽出部６０８でランキング情報をそれぞれ抽出する（Ｓ１８０２）。【０１０９】
次に、ＣＱＩビット数配分決定部１５０９において、ステップＳ１８０２で抽出したＮａｃｋ情報においてＮａｃｋがあるかどうかを判定し（Ｓ１８０３）、Ｎａｃｋ抽出の有無に応じてストリーム間のＣＱＩビット数の配分を判定する。ここで、Ｎａｃｋがある場合には、上位ストリームに多くのＣＱＩビット数を配分するように決定する（Ｓ１８０４）。一方、Ｎａｃｋがない場合には、下位ストリームに多くのＣＱＩビット数を配分するように決定する（Ｓ１８０５）。そして、ＣＱＩ再現部１５１０において、ステップＳ１８０４、Ｓ１８０５で決定したＣＱＩビット数の配分に応じて、ステップＳ１８０２で抽出したＣＱＩ情報とランキング情報を用い、各ストリームのＣＱＩを再現する（Ｓ１８０６）。【０１１０】
次に、適応制御部１５１１において、ステップＳ１８０６で再現した各ストリームのＣＱＩに基づいて、各ストリームで送信するコードワードの符号化率、変調方式を決定する。また、再送時には再送制御を行う（Ｓ１８０７）。そして、送信信号生成部６０１及びＭＩＭＯ送信部６０２により、ステップＳ１８０７で決定した、各コードワードの符号化率、変調方式により、送信信号を生成して、ＭＩＭＯ送信する（Ｓ１８０８）。【０１１１】
このように、第２の実施形態によれば、Ｎａｃｋの発生の有無に応じてＣＱＩビット数配分を変更する構成を有し、Ｎａｃｋがある場合には上位ストリームに多くのＣＱＩビット数を配分し、Ｎａｃｋがない場合には下位ストリームに多くのＣＱＩビット数を配分することによって、ＣＱＩフィードバックの情報量を削減しつつ、ＣＱＩの誤差の発生を抑えることができる。これにより、複数のストリームを用いたＭＣＷのデータ伝送において、コードワードが増加しても、コードワード毎にフィードバックする際の情報量を削減でき、かつ、伝搬路状況の大きな変動に起因するフィードバックＣＱＩの誤差の発生を抑えることができるので、特性劣化を防止できる。また、ＣＱＩフィードバックにおける情報を圧縮することに起因するＣＱＩ誤差の発生に対して、高い頻度で本来必要とするＣＱＩを報告できるので、特性劣化を防げるといった効果もある。また、フィードバック情報を通知する逆回線における周波数利用効率の低下を防止することができる。【０１１２】
（変形例１）
第２の実施形態の変形例（変形例１）として、４ストリーム送信時の例を示す。図１９は、４つのストリームにおいて４つのコードワードを送信する場合の誤り発生確率を示す図である。図１２に示した２つのコードワードの場合と同様に、ターゲットＰＥＲを２０％とした場合、４ストリーム（４コードワード）送信時における、誤りが発生する確率は、１つ以上のコードワードがＮａｃｋとなる確率を加算した約５９％となる。また、誤りが発生する場合、４つのコードワード中で同時に３つもしくは全てにおいて誤りが発生する確率は低く、１つもしくは２つのコードワードにおいて誤りが発生する確率が、約５９％中の約５６％と支配的である。このことから、４ストリーム（４コードワード）送信時におけるブランキングでは、最大２コードワード送信が適当であると考える。これにより、フィードバックＣＱＩを上位２ストリームと下位２ストリームとで分けて考えることができる。【０１１３】
上記のように、４ストリーム（４コードワード）送信時には、同時に誤りが発生して再送が必要となるコードワード数として、最大２コードワードを確保しておくことが望ましい。そこで、この変形例１では、ブランキング時における最大送信コードワード数を２として、上位ストリームには上位の２ストリームを適用し、下位ストリームには下位の２ストリームを適用することで、４ストリーム送信の場合に適用する。【０１１４】
すなわち、変形例１では、Ｎａｃｋが発生してブランキング送信される前に通知するＣＱＩフィードバックにおいて、上位２ストリームと下位２ストリーム間のＣＱＩのビット配分を変えて、上位２ストリームのＣＱＩの絶対値（５ビット）を報告する。これにより、フィードバックビット数を増加させることなく、上位ストリームのＣＱＩの絶対値を報告することができる。【０１１５】
次に、第２の実施形態の変形例におけるＣＱＩビット数の配分の具体的な方法を例示する。図２０は、第２の実施形態の変形例における４ストリーム送信時のＣＱＩのフィードバックビット数の例を示す図である。図２０において、各項目の内容は図１３に示したものと同様である。【０１１６】
図２０の例では、送信されたＣＷに誤りが発生してＮａｃｋをフィードバックするスロットは、スロット４、８、１０である。この次のスロットであるスロット５、９、１１では、図１１の送信方法Ｂと同様にブランキング送信を行い、Ｎａｃｋが発生したＣＷだけを上位２ストリームから再送する。このブランキング送信時には、最大上位２ストリームから送信するので、下位２ストリームのＣＱＩは必要ない。そこで、ブランキング送信される前のスロット（スロット４、８、１０）におけるＣＱＩフィードバックでは、上位２ストリームのＣＱＩの絶対値のみを報告する。これにより、各スロットのＣＱＩフィードバックビット数を増加させることなく、上位ストリームのＣＱＩの絶対値を、高い頻度で報告することができる。【０１１７】
この場合、ランキング情報は、上位２ストリームだけが分かればよいので、１２通りを通知できる４ビットあればよい。また、上位２ストリームと下位２ストリームを分けるだけなら、ランキング情報は６通りの３ビットあればよい。【０１１８】
なお、装置構成や処理動作については、送信装置及び受信装置におけるアンテナ数が４本以上になること、処理フローにおける上位ストリームと下位ストリームが、上位２ストリームと下位２ストリームになる以外は、上述した第２の実施形態のブロック図及び処理フローと同じである。【０１１９】
このように、変形例１のような４ストリーム（４コードワード）送信時においても、第２の実施形態と同様の効果を得ることができる。【０１２０】
（第３の実施形態）
第３の実施形態は、上述した第２の実施形態の一部を変更した例である。第２の実施形態と異なる点は、上位ストリームで送信したコードワードにおいてＮａｃｋが発生した場合にだけ、ストリーム間のＣＱＩビット数の配分を変えることである。【０１２１】
上位ストリームにおいて誤りが発生した場合には、図１０で示したＣＱＩ誤差発生の現象が上位ストリームにおいて発生している可能性がある。しかし、下位ストリームでは、ＣＱＩの絶対値をフィードバックしているので、図１０で示した現象は発生しない。すなわち、上位ストリームでは誤りが発生せずに、下位ストリームだけで誤りが発生している場合では、上位ストリームのＣＱＩ情報の信頼性は高いといえる。この場合、上位ストリームのＣＱＩ情報として、あえて絶対値を送信しなくても良いと考えられる。このように下位ストリームだけで誤りが発生した場合は、ＣＱＩビット数の配分を変更せず、上位ストリームについてはＣＱＩの相対値を通知することで、ＣＱＩフィードバック時のビット数をさらに削減することができる。【０１２２】
上記のように、第３の実施形態では、上位ストリームにおいてＮａｃｋが発生してブランキング送信される前に通知するＣＱＩフィードバックにおいて、ストリーム間のＣＱＩのビット配分を変えて、上位ストリームのＣＱＩの絶対値（５ビット）を報告する。一方、下位ストリームのみでＮａｃｋが発生してブランキング送信される前に通知するＣＱＩフィードバックにおいては、上位ストリームのＣＱＩは相対値（２ビット）を報告し、下位ストリームは報告しないようにする。これにより、フィードバックビット数を増加させることなく、上位ストリームのＣＱＩの絶対値を報告することができる。【０１２３】
次に、第３の実施形態におけるＣＱＩビット数の配分の具体的な方法を例示する。図２１は、第３の実施形態におけるＣＱＩのフィードバックビット数の例を示す図である。図２１において、各項目の内容は図１３に示したものと同様である。【０１２４】
図２１の例では、送信されたＣＷに誤りが発生してＮａｃｋをフィードバックするスロットは、スロット４、８、１０である。スロット４と１０でフィードバックされるＮａｃｋは、上位ストリームにおいて送信されたＣＷに対するものである。一方、スロット８でフィードバックされるＮａｃｋは、下位ストリームにおいて送信されたＣＷに対するものである。【０１２５】
スロット４や１０のように、上位ストリームで誤りが発生した場合は、ＣＱＩの誤差により誤りが発生した可能性があるので、上位ストリームのＣＱＩの信頼性を改善するために、ＣＱＩの絶対値を報告する。そして、次のスロットであるスロット５、１１では、図１１の送信方法Ｂと同様にブランキング送信を行い、Ｎａｃｋが発生したＣＷだけを上位ストリームから再送する。また、スロット８のように、下位ストリームで誤りが発生しているが上位ストリームにおいては誤りが発生していない場合には、上位ストリームのＣＱＩの信頼性は高いので、上位ストリームのＣＱＩは相対値（差分情報）を報告する。そして、次のスロットであるスロット９では、同様にブランキング送信を行い、Ｎａｃｋが発生したＣＷだけを上位ストリームから再送する。これにより、各スロットのＣＱＩのフィードバックビット数を増加させることなく、上位ストリームのＣＱＩの絶対値を、高い頻度で報告することができる。【０１２６】
次に、第３の実施形態に係る無線通信装置の具体的な構成例を示す。図２２は第３の実施形態の受信装置の構成を示すブロック図である。受信装置２２００は、アンテナ５０１、５０２、ＭＩＭＯ受信部５０３、チャネル推定部５０４、受信品質推定部５０５、ストリームランキング部５０６、ランキング情報生成部５０７、ＣＷ順位別Ｎａｃｋ検出部２２０８、ＣＱＩビット数配分決定部２２０９、フィードバックＣＱＩ情報生成部２２１０、フィードバック情報送信部２２１１を備えて構成される。ここでは、上述した第１及び第２の実施形態と異なる構成要素について説明し、第１及び第２の実施形態と同様の構成要素には同一符号を付して説明を省略する。【０１２７】
第３の実施形態の受信装置２２００において、図１４に示した第２の実施形態と異なる部分は、Ｎａｃｋ検出部１４０８の代わりにＣＷ順位別Ｎａｃｋ検出部２２０８を設けたことである。ＣＷ順位別Ｎａｃｋ検出部２２０８は、受信した各コードワードのＡｃｋ／Ｎａｃｋ情報から、ＣＷの順位別にＮａｃｋが存在するかどうかを検出する。【０１２８】
ＣＱＩビット数配分決定部２２０９は、ＣＷ順位別Ｎａｃｋ検出部２２０８における検出結果に応じて、ストリーム間のＣＱＩビット数の配分を決定する。本実施形態では、上位ストリームで送信したコードワードにＮａｃｋが発生した場合には、上位ストリームのＣＱＩビット数の配分を多くする。また、上位ストリームで送信したコードワードはＡｃｋであるが下位ストリームで送信したコードワードにＮａｃｋが発生した場合には、上位ストリームのＣＱＩビット数の配分を少なくする。また、Ｎａｃｋが検出されない場合には、上位ストリームのＣＱＩビット数の配分を少なくし、下位ストリームのＣＱＩビット数の配分を多くする。【０１２９】
フィードバックＣＱＩ情報生成部２２１０は、ストリームランキング部５０６で決定された各ストリームのランキング順位に対して、ＣＱＩビット数配分決定部２２０９で決定されたＣＱＩビット数に応じて、受信品質推定部５０５で推定した各ストリームの受信品質からフィードバック用のＣＱＩ情報を生成する。フィードバック情報送信部２２１１は、Ａｃｋ／Ｎａｃｋ情報、上記生成したＣＱＩ情報、ランキング情報を含むフィードバック情報として、送信装置へフィードバックするための送信処理を行う。【０１３０】
図２３は第３の実施形態の送信装置の構成を示すブロック図である。送信装置２３００は、送信信号生成部６０１、ＭＩＭＯ送信部６０２、アンテナ６０３、６０４、フィードバック情報受信部６０５、ＣＷ順位別Ｎａｃｋ抽出部２３０６、ＣＱＩ情報抽出部６０７、ランキング情報抽出部６０８、ＣＱＩビット数配分決定部２３０９、ＣＱＩ再現部２３１０、適応制御部２３１１を備えて構成される。ここでは、上述した第１及び第２の実施形態と異なる構成要素について説明し、第１及び第２の実施形態と同様の構成要素には同一符号を付して説明を省略する。【０１３１】
第３の実施形態の送信装置２３００において、図１５に示した第２の実施形態と異なる部分は、Ｎａｃｋ抽出部１５０６の代わりにＣＷ順位別Ｎａｃｋ抽出部２３０６を設けたことである。ＣＷ順位別Ｎａｃｋ抽出部２３０６は、受信装置からのフィードバック情報に含まれるＡｃｋ／Ｎａｃｋ情報から、ＣＷの順位別にＮａｃｋが存在するかどうかを判定して抽出する。【０１３２】
ＣＱＩビット数配分決定部２３０９は、ＣＷ順位別Ｎａｃｋ抽出部２３０６における抽出結果に応じて、受信装置２２００におけるＣＱＩビット数配分決定部２２０９と同様に、ストリーム間のＣＱＩビット数の配分を決定する。本実施形態では、ＣＱＩビット数配分決定部２３０９は、ＣＷ順位別のＮａｃｋ情報の有無とストリームのランキング順位によってＣＱＩビット数の配分を判定する。ここで、上位ストリームで送信したコードワードにおいてＮａｃｋが抽出された場合には上位ストリームのＣＱＩビット数の配分を多くし、上位ストリームで送信したコードワードはＡｃｋであり下位ストリームで送信したコードワードにおいてＮａｃｋが抽出された場合には上位ストリームのＣＱＩビット数の配分を少なくし、また、Ｎａｃｋが抽出されない場合には上位ストリームのＣＱＩビット数の配分を少なくして下位ストリームのＣＱＩビット数の配分を多くする。【０１３３】
ＣＱＩ再現部２３１０は、ＣＱＩ情報抽出部６０７で抽出したＣＱＩ情報と、ランキング情報抽出部６０８で抽出した各ストリームのランキング情報と、ＣＱＩビット数配分決定部２３０９で決定した各ストリームのＣＱＩビット配分とを用いて、各ストリームの受信品質を示すＣＱＩを再現する。適応制御部２３１１は、再現されたＣＱＩに基づいて、送信信号の変調方式や符号化率を制御する。また、受信装置からＮａｃｋ信号を受けた場合の再送時には、再送制御を行う。【０１３４】
次に、第３の実施形態の無線通信装置における処理フローについて説明する。図２４は第３の実施形態の受信装置の処理フローを示す図、図２５は第３の実施形態の送信装置の処理フローを示す図である。【０１３５】
図２４に示した受信装置の処理フローにおいて、第２の実施形態と異なる部分は、ＣＷ順位別Ｎａｃｋ検出部２２０８とＣＱＩビット数配分決定部２２０９における処理にある。受信装置２２００では、図１７に示した第２の実施形態のステップＳ１７０１〜Ｓ１７０４と同様に、ＭＩＭＯ受信部５０３において送信装置２３００から送信された信号を受信し（Ｓ２４０１）、チャネル推定部５０４においてパイロット信号からチャネル推定を行い（Ｓ２４０２）、受信品質推定部５０５において、チャネル推定値を用いて各ストリームの受信品質を算出して推定し（Ｓ２４０３）、ストリームランキング部５０６において、各ストリームの受信品質を用いて各ストリームに順位をつけてランキング順位を決定する（Ｓ２４０４）。【０１３６】
そして、ＣＷ順位別Ｎａｃｋ検出部２２０８において、ＣＷ順位別にＮａｃｋを検出し（Ｓ２４０５）、各コードワードが送信されたストリームのランキング順位毎にＮａｃｋが発生しているかどうかを判定する（Ｓ２４０６）。このとき、ＣＷ順位別Ｎａｃｋ検出部２２０８は、ＭＩＭＯ受信部５０３で受信処理を行った受信信号の誤り判定結果から、受信した複数コードワードの中で上位コードワードと下位コードワードのいずれかに誤りが発生しているかどうかを判定する。【０１３７】
ＣＱＩビット数配分決定部２２０９は、ＣＷ順位別のＮａｃｋ発生の有無に応じてストリーム間のＣＱＩビット数の配分を決定する。ここで、ステップＳ２４０６の判定でＮａｃｋがある場合には、上位コードワードでＮａｃｋがあるかどうかを判定し（Ｓ２４０７）、上位ストリームで送信したコードワードにおいてＮａｃｋがある場合には、上位ストリームに多くのＣＱＩビット数を配分するように決定する（Ｓ２４０８）。また、上位ストリームで送信したコードワードではＡｃｋであるが下位ストリームで送信したコードワードにおいてＮａｃｋがある場合には、上位ストリームに少ないＣＱＩビット数を配分するように決定する（Ｓ２４０９）。一方、ステップＳ２４０６の判定でＮａｃｋがない場合には、下位ストリームに多くのＣＱＩビット数を配分するように決定する（Ｓ２４１０）。【０１３８】
次に、フィードバックＣＱＩ情報生成部２２１０において、ステップＳ２４０３で推定した各ストリームの受信品質と、ステップＳ２４０４で決定した各ストリームのランキング順位と、ステップＳ２４０８、Ｓ２４０９、Ｓ２４１０で決定した各ストリームのＣＱＩビット数に応じて、各ストリームのＣＱＩ情報を生成する（Ｓ２４１１）。そして、フィードバック情報送信部２２１１により、Ａｃｋ／Ｎａｃｋ情報、ＣＱＩ情報、ランキング情報を送信装置２３００にフィードバックする（Ｓ１７１０）。【０１３９】
また、図２５に示した送信装置の処理フローにおいて、第２の実施形態と異なる部分は、ＣＷ順位別Ｎａｃｋ抽出部２３０６とＣＱＩビット数配分決定部２３０９における処理にある。送信装置２３００では、フィードバック情報受信部６０５により、受信装置２２００からのフィードバック情報を受信する（Ｓ２５０１）。そして、ステップＳ２５０１で受信した受信したフィードバック情報から、ＣＱＩ情報抽出部６０７でＣＱＩ情報を、ランキング情報抽出部６０８でランキング情報をそれぞれ抽出する（Ｓ２５０２）。【０１４０】
また、ＣＷ順位別Ｎａｃｋ抽出部２３０６において、ステップＳ２５０１で受信した受信したフィードバック情報から、ＣＷ順位別にＮａｃｋ情報を抽出する。このとき、ＣＷ順位別Ｎａｃｋ抽出部２３０６は、各コードワードが送信されたストリームのランキング順位毎に、上位コードワードと下位コードワードのいずれかでＮａｃｋが抽出されたかどうかを判定する。【０１４１】
次に、ＣＱＩビット数配分決定部２３０９において、ステップＳ２５０３で抽出したＮａｃｋ情報においてＮａｃｋがあるかどうかを判定し（Ｓ２５０４）、Ｎａｃｋ抽出の有無に応じてストリーム間のＣＱＩビット数の配分を判定する。ここで、Ｎａｃｋがある場合には、上位コードワードでＮａｃｋがあるかどうかを判定し（Ｓ２５０５）、上位ストリームで送信したコードワードにおいてＮａｃｋがある場合には、上位ストリームに多くのＣＱＩビット数を配分するように決定する（Ｓ２５０６）。また、上位ストリームで送信したコードワードではＡｃｋであるが下位ストリームで送信したコードワードにおいてＮａｃｋがある場合には、上位ストリームに少ないＣＱＩビット数を配分するように決定する（Ｓ２５０７）。一方、Ｎａｃｋがない場合には、下位ストリームに多くのＣＱＩビット数を配分するように決定する（Ｓ２５０８）。【０１４２】
そして、ＣＱＩ再現部２３１０において、ステップＳ２５０６、Ｓ２５０７、Ｓ２５０８で決定したＣＱＩビット数の配分に応じて、ステップＳ２５０２で抽出したＣＱＩ情報とランキング情報を用い、各ストリームのＣＱＩを再現する（Ｓ２５０９）。次に、適応制御部２３１１において、ステップＳ２５０９で再現した各ストリームのＣＱＩに基づいて、各ストリームで送信するコードワードの符号化率、変調方式を決定する。また、再送時には再送制御を行う（Ｓ２５１０）。そして、送信信号生成部６０１及びＭＩＭＯ送信部６０２により、ステップＳ２５１０で決定した、各コードワードの符号化率、変調方式により、送信信号を生成して、ＭＩＭＯ送信する（Ｓ２５１１）。【０１４３】
このように、第３の実施形態によれば、ＣＷ順位別にＮａｃｋの発生の有無に応じてＣＱＩビット数配分を変更し、上位ストリームで送信したコードワードにＮａｃｋがある場合には上位ストリームに多くのＣＱＩビット数を配分し、上位ストリームで送信したコードワードはＡｃｋで下位ストリームで送信したコードワードにおいてＮａｃｋがある場合には上位ストリームに少ないＣＱＩビット数を配分し、Ｎａｃｋがない場合には下位ストリームに多くのＣＱＩビット数を配分することによって、第２の実施形態の効果に加えて、ＣＱＩフィードバックの情報量をさらに削減することができる。【０１４４】
（変形例２）
第３の実施形態の変形例（変形例２）として、下位ストリームだけで誤りが発生している場合における他のフィードバック情報の例を示す。【０１４５】
上述した第３の実施形態では、上位ストリームで送信したコードワードはＡｃｋで、下位ストリームで送信したコードワードにＮａｃｋが発生した場合に、上位ストリームのＣＱＩを少ないビットでフィードバックし、下位ストリームのＣＱＩはフィードバックしないようにしている。この際、上位ストリームのＣＱＩを少ないビットでフィードバックするので、フィードバック情報におけるビット数は大きく削減できている。そこで、この変形例２では、削減されたフィードバックビットを使って、下位ストリームにおけるチャネル状況など、下位ストリームにおいて発生した誤りに関する誤り具合を示す情報を追加して報告する。【０１４６】
この変形例２の場合のように、Ｎａｃｋとなったコードワードのチャネル状況などの誤り具合が分かれば、再送時にどの程度の再送データで誤りを改善できるかが分かるようになる。これにより、必要以上の再送データを送信することなく、新規にデータを追加することでスループットを改善することができる。【０１４７】
（第４の実施形態）
第４の実施形態は、上述した第２の実施形態の一部を変更した例である。第２の実施形態と異なる点は、ストリームのランキング順位が変わったときに、ストリーム間のＣＱＩビット数の配分を変えることである。【０１４８】
複数ストリームで送信する際に、ストリームのランキング順位が変わったときには、ストリーム間の品質差が近く、各ストリームの時間当たりの変化量は同程度となる。図２６はストリームのランキング順位が変わったときの様子を示す図である。図２６において、上位ストリームを太い破線で示している。スロット１（Slot1）では、上位ストリームはストリーム２で、下位ストリームはストリーム１である。そして、スロット２（Slot2）では、上位ストリームはストリーム１で、下位ストリームはストリーム２である。このように、スロット間で、ストリームのランキング順位が変わる場合がある。【０１４９】
このとき、上位ストリームと下位ストリームの受信品質は近く、各ストリームの時間変化に対する受信品質の変化量は同程度となり、上位ストリームと下位ストリーム共に受信品質の変動量が小さい。このため、ダイナミックレンジが狭い相対値でＣＱＩを表現しても十分であるといえる。これにより、下位ストリームのＣＱＩに対してフィードバックビット数をさらに削減することができる。【０１５０】
したがって、第４の実施形態では、上記の点に着目し、ストリームのランキング順位が変わったときには、上位ストリームと下位ストリームに同等のビット数を配分して、各ストリームで相対値（差分情報）のＣＱＩをフィードバックする。【０１５１】
次に、第４の実施形態におけるＣＱＩビット数の配分の具体的な方法を例示する。図２７は、第４の実施形態におけるＣＱＩのフィードバックビット数の例を示す図である。図２７において、各項目の内容で図１３と異なる点は、Ａｃｋ／Ｎａｃｋの代わりにランキング順位が示されている。その他は図１３に示したものと同様である。【０１５２】
図２７の例では、ランキング順位が前回のランキング順位から変化しているスロットは、スロット４、８、１０である。これらのスロットでは、各ストリームにおいて、図２６のような状況が発生していることから、上位ストリームと下位ストリーム共にＣＱＩの相対値（２ビット）を報告する。これにより、スロット４、８、１０において、フィードバックビット数を削減することができる。なお、ランキング順位が変化しないスロットにおいては、上位ストリームはＣＱＩの相対値（２ビット）を報告し、下位ストリームはＣＱＩの絶対値（５ビット）を報告する。【０１５３】
次に、第４の実施形態に係る無線通信装置の具体的な構成例を示す。図２８は第４の実施形態の受信装置の構成を示すブロック図である。受信装置２８００は、アンテナ５０１、５０２、ＭＩＭＯ受信部５０３、チャネル推定部５０４、受信品質推定部５０５、ストリームランキング部５０６、ランキング情報生成部５０７、ストリーム順位変化検出部２８０８、ＣＱＩビット数配分決定部２８０９、フィードバックＣＱＩ情報生成部２８１０、フィードバック情報送信部２８１１を備えて構成される。ここでは、上述した第１及び第２の実施形態と異なる構成要素について説明し、第１及び第２の実施形態と同様の構成要素には同一符号を付して説明を省略する。【０１５４】
第４の実施形態の受信装置２８００において、図１４に示した第２の実施形態と異なる部分は、Ｎａｃｋ検出部１４０８の代わりにストリーム順位変化検出部２８０８を設けたことである。ストリーム順位変化検出部２８０８は、ストリームランキング部５０６による各ストリームのランキング順位から、前回報告時（前回のスロット）に対して、ストリームのランキング順位に変化が発生しているかどうかを検出する。【０１５５】
ＣＱＩビット数配分決定部２８０９は、ストリーム順位変化検出部２８０８における検出結果に応じて、ストリーム間のＣＱＩビット数の配分を決定する。本実施形態では、ストリーム順位に変化が発生している場合には、上位ストリームと下位ストリームのＣＱＩに対して同等に少ないビット数を配分する。また、ストリーム順位に変化が発生していない場合には、上位ストリームのＣＱＩビット数を少なくし、下位ストリームのＣＱＩビット数を多くするように配分する。【０１５６】
フィードバックＣＱＩ情報生成部２８１０は、ストリームランキング部５０６で決定された各ストリームのランキング順位に対して、ＣＱＩビット数配分決定部２８０９で決定されたＣＱＩビット数に応じて、受信品質推定部５０５で推定した各ストリームの受信品質からフィードバック用のＣＱＩ情報を生成する。フィードバック情報送信部２８１１は、Ａｃｋ／Ｎａｃｋ情報、上記生成したＣＱＩ情報、ランキング情報を含むフィードバック情報として、送信装置へフィードバックするための送信処理を行う。【０１５７】
図２９は第４の実施形態の送信装置の構成を示すブロック図である。送信装置２９００は、送信信号生成部６０１、ＭＩＭＯ送信部６０２、アンテナ６０３、６０４、フィードバック情報受信部６０５、ＣＱＩ情報抽出部６０７、ランキング情報抽出部６０８、ストリーム順位変化検出部２９０６、ＣＱＩビット数配分決定部２９０９、ＣＱＩ再現部２９１０、適応制御部２９１１を備えて構成される。ここでは、上述した第１及び第２の実施形態と異なる構成要素について説明し、第１及び第２の実施形態と同様の構成要素には同一符号を付して説明を省略する。【０１５８】
第４の実施形態の送信装置２９００において、図１５に示した第２の実施形態と異なる部分は、Ｎａｃｋ抽出部１５０６の代わりにストリーム順位変化検出部２９０６を設けたことである。ストリーム順位変化検出部２９０６は、ランキング情報抽出部６０８で抽出したランキング情報を用いて、前回報告受信時（前回のスロット）に対して、ストリームのランキング順位に変化が発生しているかどうかを検出する。【０１５９】
ＣＱＩビット数配分決定部２９０９は、ストリーム順位変化検出部２９０６における検出結果に応じて、受信装置２８００におけるＣＱＩビット数配分決定部２８０９と同様に、ストリーム間のＣＱＩビット数の配分を決定する。本実施形態では、ＣＱＩビット数配分決定部２９０９は、ストリームのランキング順位変化の有無によってＣＱＩビット数の配分を判定する。ここで、ストリーム順位に変化が発生している場合には上位ストリームと下位ストリームのＣＱＩに対して同等に少ないビット数を配分し、また、ストリーム順位に変化が発生していない場合には上位ストリームのＣＱＩビット数の配分を少なくして下位ストリームのＣＱＩビット数の配分を多くする。【０１６０】
ＣＱＩ再現部２９１０は、ＣＱＩ情報抽出部６０７で抽出したＣＱＩ情報と、ランキング情報抽出部６０８で抽出した各ストリームのランキング情報と、ＣＱＩビット数配分決定部２９０９で決定した各ストリームのＣＱＩビット配分とを用いて、各ストリームの受信品質を示すＣＱＩを再現する。適応制御部２９１１は、再現されたＣＱＩに基づいて、送信信号の変調方式や符号化率を制御する。また、受信装置からＮａｃｋ信号を受けた場合の再送時には、再送制御を行う。【０１６１】
次に、第４の実施形態の無線通信装置における処理フローについて説明する。図３０は第４の実施形態の受信装置の処理フローを示す図、図３１は第４の実施形態の送信装置の処理フローを示す図である。【０１６２】
図３０に示した受信装置の処理フローにおいて、第２の実施形態と異なる部分は、ストリーム順位変化検出部２８０８とＣＱＩビット数配分決定部２８０９における処理にある。受信装置２８００では、図１７に示した第２の実施形態のステップＳ１７０１〜Ｓ１７０４と同様に、ＭＩＭＯ受信部５０３において送信装置２９００から送信された信号を受信し（Ｓ３００１）、チャネル推定部５０４においてパイロット信号からチャネル推定を行い（Ｓ３００２）、受信品質推定部５０５において、チャネル推定値を用いて各ストリームの受信品質を算出して推定し（Ｓ３００３）、ストリームランキング部５０６において、各ストリームの受信品質を用いて各ストリームに順位をつけてランキング順位を決定する（Ｓ３００４）。【０１６３】
そして、ストリーム順位変化検出部２８０８において、ステップＳ３００４で決定した各ストリームのランキング順位を用いて、前回報告したストリームのランキング順位に対して、変化が発生しているかどうかを検出する（Ｓ３００５）。【０１６４】
ＣＱＩビット数配分決定部２８０９は、ストリームの順位変化発生の有無に応じてストリーム間のＣＱＩビット数の配分を決定する。ここで、ステップＳ３００５の判定でストリーム順位に変化が発生したことが検出された場合は、上位ストリームと下位ストリームに対して同等のＣＱＩビット数を配分するように決定する（Ｓ３００６）。一方、ステップＳ３００５の判定でストリーム順位の変化の発生が検出されない場合には、上位ストリームに少ないＣＱＩビット数を配分し、下位ストリームに多くのＣＱＩビット数を配分するように決定する（Ｓ３００７）。【０１６５】
次に、フィードバックＣＱＩ情報生成部２８１０において、ステップＳ３００３で推定した各ストリームの受信品質と、ステップＳ３００４で決定した各ストリームのランキング順位と、ステップＳ３００６、Ｓ３００７で決定した各ストリームのＣＱＩビット数に応じて、各ストリームのＣＱＩ情報を生成する（Ｓ３００８）。そして、フィードバック情報送信部２８１１により、Ａｃｋ／Ｎａｃｋ情報、ＣＱＩ情報、ランキング情報を送信装置２９００にフィードバックする（Ｓ３００９）。【０１６６】
また、図３１に示した送信装置の処理フローにおいて、第２の実施形態と異なる部分は、ストリーム順位変化検出部２９０６とＣＱＩビット数配分決定部２９０９における処理にある。送信装置２９００では、フィードバック情報受信部６０５により、受信装置２８００からのフィードバック情報を受信する（Ｓ３１０１）。そして、ステップＳ３１０１で受信した受信したフィードバック情報から、ＣＱＩ情報抽出部６０７でＣＱＩ情報を、ランキング情報抽出部６０８でランキング情報をそれぞれ抽出する（Ｓ３１０２）。【０１６７】
また、ストリーム順位変化検出部２９０６において、Ｓ３１０２で抽出したランキング情報から、前回報告されたストリームのランキング順位に対して、変化が発生しているかどうかを判定し（Ｓ３１０３）、ストリーム順位に変化が発生したことを検出する。そして、ＣＱＩビット数配分決定部２９０９において、ストリームの順位変化発生の有無に応じてストリーム間のＣＱＩビット数の配分を決定する。ここで、ＣＱＩビット数配分決定部２９０９は、ストリーム順位に変化が発生した場合には、上位ストリームと下位ストリームに対して同等のＣＱＩビット数を配分するように決定する（Ｓ３１０４）。一方、ストリーム順位に変化が発生していない場合には、上位ストリームに少ないＣＱＩビット数を配分し、下位ストリームに多くのＣＱＩビット数を配分するように決定する（Ｓ３１０５）。【０１６８】
そして、ＣＱＩ再現部２９１０において、ステップＳ３１０４、Ｓ３１０５で決定したＣＱＩビット数の配分に応じて、ステップＳ３１０２で抽出したＣＱＩ情報とランキング情報を用い、各ストリームのＣＱＩを再現する（Ｓ３１０６）。次に、適応制御部２９１１において、ステップＳ３１０６で再現した各ストリームのＣＱＩに基づいて、各ストリームで送信するコードワードの符号化率、変調方式を決定する。また、再送時には再送制御を行う（Ｓ３１０７）。そして、送信信号生成部６０１及びＭＩＭＯ送信部６０２により、ステップＳ３１０７で決定した、各コードワードの符号化率、変調方式により、送信信号を生成して、ＭＩＭＯ送信する（Ｓ３１０８）。【０１６９】
このように、第４の実施形態によれば、ストリームのランキング順位に変化があった場合にＣＱＩビット数配分を変更し、上位ストリームと下位ストリームに同等に少ないＣＱＩビット数を配分することによって、第２の実施形態と同様に、コードワードが増加しても、コードワード毎にフィードバックする際の情報量を削減できる。【０１７０】
なお、本発明は上記の実施形態において示されたものに限定されるものではなく、明細書の記載、並びに周知の技術に基づいて、当業者が変更、応用することも本発明の予定するところであり、保護を求める範囲に含まれる。【０１７１】
複数のストリームやコードワードの数は２つ、４つの場合を例示したが、これに限らず、いずれの数であっても適用可能である。【０１７２】
上記各実施の形態では、本発明をハードウェアで構成する場合を例にとって説明したが、本発明はソフトウェアで実現することも可能である。【０１７３】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。【０１７４】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。【０１７５】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。【０１７６】
本出願は、２００７年８月１５日出願の日本特許出願（特願２００７−２１１８９４）、に基づくものであり、その内容はここに参照として取り込まれる。
【産業上の利用可能性】
【０１７７】
本発明は、ＭＣＷなどの複数のストリームを用いたデータ伝送においてストリーム毎にフィードバックする際の情報量を削減しつつ、フィードバック情報の誤差を抑制することが可能となる効果を有し、複数のアンテナを使用して通信を行うＭＩＭＯ等に適用可能な無線通信装置、無線通信システム及び無線通信方法等として有用である。  
【図１】
2009022468.tif 000003
【図２】
2009022468.tif 000004
【図３】
2009022468.tif 000005
【図４】
2009022468.tif 000006
【図５】
2009022468.tif 000007
【図６】
2009022468.tif 000008
【図７】
2009022468.tif 000009
【図８】
2009022468.tif 000010
【図９】
2009022468.tif 000011
【図１０】
2009022468.tif 000012
【図１１】
2009022468.tif 000013
【図１２】
2009022468.tif 000014
【図１３】
2009022468.tif 000015
【図１４】
2009022468.tif 000016
【図１５】
2009022468.tif 000017
【図１６】
2009022468.tif 000018
【図１７】
2009022468.tif 000019
【図１８】
2009022468.tif 000020
【図１９】
2009022468.tif 000021
【図２０】
2009022468.tif 000022
【図２１】
2009022468.tif 000023
【図２２】
2009022468.tif 000024
【図２３】
2009022468.tif 000025
【図２４】
2009022468.tif 000026
【図２５】
2009022468.tif 000027
【図２６】
2009022468.tif 000028
【図２７】
2009022468.tif 000029
【図２８】
2009022468.tif 000030
【図２９】
2009022468.tif 000031
【図３０】
2009022468.tif 000032
【図３１】
2009022468.tif 000033
【手続補正書】
【提出日】平成21年1月16日(2009.1.16)
【手続補正１】
【補正対象書類名】特許請求の範囲
【補正対象項目名】全文
【補正方法】変更
【補正の内容】
【特許請求の範囲】
【請求項１】
複数のストリームにおいて複数のコードワードによるデータ伝送を行い、前記コードワードの再送時には通信相手局との間で前記複数のストリームのうちの受信品質の良好な上位ストリームのみで再送がなされるブランキング（Ｂｌａｎｋｉｎｇ）送信が行われる無線通信装置であって、
前記複数のストリームにより通信相手局から送信されたコードワードの受信結果に対応する応答信号を生成する応答信号生成部と、
前記複数のストリームの各ストリームの受信品質を示す受信品質情報を生成する受信品質情報生成部と、
前記応答信号としてＮａｃｋ信号の有無に応じて、前記複数のストリーム間の受信品質情報のリソース配分を変更するリソース配分制御部と、
前記応答信号及び前記受信品質情報を含むフィードバック情報を前記通信相手局へ送信するフィードバック情報送信部と、
を備える無線通信装置。
【請求項２】
請求項１に記載の無線通信装置であって、
前記リソース配分制御部は、前記Ｎａｃｋ信号を検出しない場合には、前記ブランキング送信が実施されない送信の前に通知する受信品質情報において、前記複数のストリームのうちの上位ストリームのリソースを少なくしたリソース配分とする無線通信装置。
【請求項３】
請求項１に記載の無線通信装置であって、
前記リソース配分制御部は、前記Ｎａｃｋ信号を検出した場合は、前記ブランキング送信が実施される送信の前に通知する受信品質情報において、前記複数のストリームのうちの上位ストリームのリソースを多くしたリソース配分とする無線通信装置。
【請求項４】
請求項１に記載の無線通信装置であって、
前記リソース配分制御部は、前記Ｎａｃｋ信号を検出しない場合には、前記ブランキング送信が実施されない送信の前に通知する受信品質情報において、前記複数のストリームのうちの下位ストリームのリソースを上位ストリームのリソースよりも多くしたリソース配分とする無線通信装置。
【請求項５】
請求項１に記載の無線通信装置であって、
前記複数のストリームとして４つのストリームを用いたデータ伝送を行う場合に、
前記リソース配分制御部は、前記Ｎａｃｋ信号を検出した場合は、前記ブランキング送信が実施される送信の前に通知する受信品質情報において、前記４つのストリームのうちの上位２つのストリームのリソースを多くしたリソース配分とする無線通信装置。
【請求項６】
請求項３に記載の無線通信装置であって、
前記リソース配分制御部は、前記複数のストリームのうちの上位ストリームで送信されたコードワードにおいて前記Ｎａｃｋ信号が発生した場合は、前記上位ストリームのリソースを多くしたリソース配分とし、前記複数のストリームのうちの下位ストリームで送信されたコードワードにおいて前記Ｎａｃｋ信号が発生した場合は、前記上位ストリームのリソースを少なくしたリソース配分とする無線通信装置。
【請求項７】
請求項６に記載の無線通信装置であって、
前記フィードバック情報送信部は、前記下位ストリームで送信されたコードワードにおいて前記Ｎａｃｋ信号が発生した場合は、前記下位ストリームで送信されたコードワードの誤り具合を示す情報を前記フィードバック情報に含める無線通信装置。
【請求項８】
複数のストリームにおいて複数のコードワードによるデータ伝送を行い、前記コードワードの再送時には通信相手局との間で前記複数のストリームのうちの受信品質の良好な上位ストリームのみで再送するブランキング（Ｂｌａｎｋｉｎｇ）送信を行う無線通信装置であって、
前記通信相手局からのフィードバック情報を受信するフィードバック情報受信部と、
前記フィードバック情報に含まれる前記コードワードの受信結果に対応する応答信号を抽出する応答信号抽出部と、
前記応答信号としてＮａｃｋ信号の有無に応じて、前記フィードバック情報に含まれる受信品質情報のリソース配分を判定するリソース配分判定部と、
前記リソース配分に基づき、前記受信品質情報から前記複数のストリームの各ストリームの受信品質を再現する受信品質再現部と、
前記受信品質に基づいて前記各ストリームで送信するコードワードの適応制御を行う適応制御部と、
を備える無線通信装置。
【請求項９】
請求項８に記載の無線通信装置であって、
前記リソース配分判定部は、前記Ｎａｃｋ信号を検出しない場合には、
前記複数のストリームのうちの上位ストリームのリソースを少なくしたリソース配分と判定し、前記適応制御部は、前記リソース配分に基づき再現された受信品質によって適応制御を行って前記ブランキング送信を実施しない通常の送信を行う無線通信装置。
【請求項１０】
請求項８に記載の無線通信装置であって、
前記リソース配分判定部は、前記Ｎａｃｋ信号を検出した場合は、前記複数のストリームのうちの上位ストリームのリソースを多くしたリソース配分と判定し、前記適応制御部は、前記リソース配分に基づき再現された受信品質によって適応制御を行って前記上位ストリームを用いたブランキング送信を行う無線通信装置。
【請求項１１】
請求項８に記載の無線通信装置であって、
前記リソース配分判定部は、前記Ｎａｃｋ信号を検出しない場合には、
前記複数のストリームのうちの下位ストリームのリソースを上位ストリームのリソースよりも多くしたリソース配分と判定し、前記適応制御部は、前記リソース配分に基づき再現された受信品質によって適応制御を行って前記ブランキング送信を実施しない通常の送信を行う無線通信装置。
【請求項１２】
請求項８に記載の無線通信装置であって、
前記複数のストリームとして４つのストリームを用いたデータ伝送を行う場合に、
前記リソース配分判定部は、前記Ｎａｃｋ信号を検出した場合は、前記４つのストリームのうちの上位２つのストリームのリソースを多くしたリソース配分と判定し、前記適応制御部は、前記リソース配分に基づき再現された受信品質によって適応制御を行って前記上位２つのストリームを用いたブランキング送信を行う無線通信装置。
【請求項１３】
請求項１０に記載の無線通信装置であって、
前記リソース配分判定部は、前記複数のストリームのうちの上位ストリームで送信されたコードワードにおいて前記Ｎａｃｋ信号が発生した場合は、前記上位ストリームのリソースを多くしたリソース配分と判定し、前記複数のストリームのうちの下位ストリームで送信されたコードワードにおいて前記Ｎａｃｋ信号が発生した場合は、前記上位ストリームのリソースを少なくしたリソース配分と判定し、前記適応制御部は、前記リソース配分に基づき再現された受信品質によって適応制御を行って前記上位ストリームを用いたブランキング送信を行う無線通信装置。
【請求項１４】
請求項１〜１３のいずれかに記載の無線通信装置を備える無線通信基地局装置。
【請求項１５】
請求項１〜１３のいずれかに記載の無線通信装置を備える無線通信移動局装置。
【請求項１６】
（削除）
【請求項１７】
複数のストリームにおいて複数のコードワードによるデータ伝送を行い、前記コードワードの再送時には通信相手局との間で前記複数のストリームのうちの受信品質の良好な上位ストリームのみで再送がなされるブランキング（Ｂｌａｎｋｉｎｇ）送信が行われる無線通信装置における無線通信方法であって、
前記複数のストリームにより通信相手局から送信されたコードワードの受信結果に対応する応答信号を生成し、
前記複数のストリームの各ストリームの受信品質を示す受信品質情報を生成し、
前記応答信号としてＮａｃｋ信号の有無に応じて、前記複数のストリーム間の受信品質情報のリソース配分を変更し、
前記応答信号及び前記受信品質情報を含むフィードバック情報を前記通信相手局へ送信する無線通信方法。
【請求項１８】
複数のストリームにおいて複数のコードワードによるデータ伝送を行い、前記コードワードの再送時には通信相手局との間で前記複数のストリームのうちの受信品質の良好な上位ストリームのみで再送するブランキング（Ｂｌａｎｋｉｎｇ）送信を行う無線通信装置における無線通信方法であって、
前記通信相手局からのフィードバック情報を受信し、
前記フィードバック情報に含まれる前記コードワードの受信結果に対応する応答信号を抽出し、
前記応答信号としてＮａｃｋ信号の有無に応じて、前記フィードバック情報に含まれる受信品質情報のリソース配分を判定し、
前記リソース配分に基づき、前記受信品質情報から前記複数のストリームの各ストリームの受信品質を再現し、
前記受信品質に基づいて前記各ストリームで送信するコードワードの適応制御を行う無線通信方法。
【手続補正書】
【提出日】平成22年2月10日(2010.2.10)
【手続補正１】
【補正対象書類名】明細書
【補正対象項目名】全文
【補正方法】変更
【補正の内容】
【発明の詳細な説明】
【技術分野】
【０００１】
本発明は、複数のアンテナを使用して通信を行うＭＩＭＯ（Multiple Input Multiple Output）等に適用可能な無線通信装置、無線通信システム及び無線通信方法に関する。
【背景技術】
【０００２】
移動通信の国際的な標準化団体である３ＧＰＰ（3rd Generation Partnership Project）などにおいて、高速データ伝送を実現する通信システムとして、符号化と再送技術を組み合わせたハイブリッド−ＡＲＱ（Hybrid-Automatic Repeat reQuest）（以下、ＨＡＲＱと記載）を用いたパケット伝送システムが検討されている。そして、さらなる高速大容量のデータ伝送を実現する方式として、ＭＩＭＯ伝送の１つである空間分割多重（ＳＤＭ：Space Division Multiplexing）伝送が注目されている。ＭＩＭＯ伝送とは、送受信双方において複数アンテナを使って信号を伝送する技術で、ＳＤＭ伝送とは、複数のアンテナを使って異なる信号（ストリーム）を空間的に多重する技術である。このＳＤＭ伝送を使うことで、時間や周波数のリソースを拡大することなく周波数利用効率を増大させることができる。
【０００３】
ＳＤＭでは、ストリーム毎に変調方式と符号化率（ＭＣＳ：Modulation and Coding Scheme）を適応的に制御するＡＭＣ（Adaptive Modulation and Coding）を適用することで、さらに周波数利用効率を向上させることができる。ＡＭＣでは、受信側から受信品質を示すＣＱＩ（Channel Quality Indicator）を送信側にフィードバックし、送信側において、そのフィードバックされたＣＱＩに応じたＭＣＳを選択する。ストリーム毎にＡＭＣを適用する場合には、それぞれのストリームのＣＱＩをフィードバックする必要がある。このようなＭＣＳの制御単位であるデータ系列はコードワード（ＣＷ：Codeword）と呼ばれ、ストリーム毎にコードワードを制御する複数コードワードを用いる送信方法はＭＣＷ（Multiple Codeword）と呼ばれている。
【０００４】
また、セルラー環境では、基地局近傍からセルエッジまで対応するため、ＳＩＮＲ（Signal to Interference and Noise Ratio）にして３０ｄＢ程度のダイナミックレンジを持つＣＱＩが必要である。３ＧＰＰなどの標準化では、ＡＭＣを精度良く機能させるために、３０ｄＢ程度のダイナミックレンジを、約１ｄＢステップで表現するＣＱＩが用いられている。つまり、１つのＣＱＩに対して５ビット（３２段階）の情報が必要である。
【０００５】
ＭＣＷにおけるＨＡＲＱ方式の従来技術として、非特許文献１に示されているようなBlanking（以下、ブランキングと記載）が検討されている。ブランキングとは次のような技術である。まず、初回送信時には、各アンテナから各コードワードを送信する。そして、その複数のコードワードの中に誤りが発生した場合には、誤りが発生したコードワードだけを再送する。このとき、誤りがないコードワードでは新規コードワードを送信しない。このように、空間多重した全コードワードにおいて誤りがなくなるまで、新規のコードワードを送信せずに、誤りが発生しているコードワードだけを再送する技術が、ブランキングである。
【０００６】
上記のようにコードワード毎に適応変調を行うＭＣＷにおいてＨＡＲＱを採用する場合、コードワード毎にＣＱＩをフィードバックする必要がある。このため、送信コードワード数が増加すると、ＣＱＩフィードバックにおけるフィードバックビット数の総量が増加してしまう。例えば、２コードワード送信の場合を考えると、１つのコードワードのＣＱＩを５ビットとすると、２コードワードでは、（５ビット）×（２コードワード）で合計１０ビット必要となる。そして、送信コードワード数が増加すると、ＣＱＩビット数は送信コードワード数倍に増加する。そして、フィードバック情報が増加すると、フィードバック情報を送信する逆回線におけるオーバーヘッドが増大してしまい、逆回線の周波数効率を低下させてしまう。このことから、オーバーヘッドの少ないＣＱＩフィードバックが望まれる。
【先行技術文献】
【非特許文献】
【０００７】
【非特許文献１】3GPP TSG RAN WG1 #44, R1-060459, QUALCOMM Europe, "Implications of MCW MIMO on DL HARQ", February, 2006
【発明の概要】
【発明が解決しようとする課題】
【０００８】
上述したように、ＭＣＷにおけるＨＡＲＱでは、コードワード毎にＣＱＩをフィードバックする必要があるため、送信コードワード数が増加すると、ＣＱＩフィードバックにおけるフィードバックビット数の総量が増加してしまう、といった課題がある。
【０００９】
本発明の目的は、上記事情に鑑みてなされたもので、ＭＣＷなどの複数のストリームを用いたデータ伝送においてストリーム毎にフィードバックする際の情報量を削減しつつ、フィードバック情報の誤差を抑制することが可能な無線通信装置、無線通信システム及び無線通信方法を提供することである。
【課題を解決するための手段】
【００１０】
本発明の第１の態様では、複数のストリームにおいて複数のコードワードによるデータ伝送を行い、前記コードワードの再送時には通信相手局との間で前記複数のストリームのうちの受信品質の良好な上位ストリームのみで再送がなされるブランキング（Blanking）送信が行われる無線通信装置であって、前記複数のストリームにより通信相手局から送信されたコードワードの受信結果に対応する応答信号を生成する応答信号生成部と、前記複数のストリームの各ストリームの受信品質を示す受信品質情報を生成する受信品質情報生成部と、前記受信品質情報のリソース配分を制御するもので、前記応答信号としてＮａｃｋ信号を検出した場合に、前記複数のストリーム間の受信品質情報のリソース配分を変更するリソース配分制御部と、前記応答信号及び前記受信品質情報を含むフィードバック情報を前記通信相手局へ送信するフィードバック情報送信部と、を備える無線通信装置を提供する。
これにより、受信品質情報のリソース配分を制御することで、複数のストリームを用いたデータ伝送においてストリーム毎にフィードバックする際の情報量を削減することが可能となる。この際、Ｎａｃｋ信号を検出した場合にリソース配分を変更することで、フィードバック情報の総量を抑えつつ、情報圧縮に起因する受信品質の誤差の発生に対して、本来必要である受信品質との誤差の発生を抑えて、特性劣化を防ぐことが可能となる。
【００１１】
本発明の第２の態様では、上記無線通信装置において、前記リソース配分制御部は、前記Ｎａｃｋ信号を検出しない場合には、前記ブランキング送信が実施されない送信の前に通知する受信品質情報において、前記複数のストリームのうちの上位ストリームのリソースを少なくしたリソース配分とするものを含む。
これにより、受信品質の変動が小さい上位ストリームのリソースを少なくすることで、フィードバック情報に誤差が生じることなく、情報量を削減できる。
【００１２】
本発明の第３の態様では、本発明の第１の態様における無線通信装置であって、前記リソース配分制御部は、前記Ｎａｃｋ信号を検出した場合は、前記ブランキング送信が実施される送信の前に通知する受信品質情報において、前記複数のストリームのうちの上位ストリームのリソースを多くしたリソース配分とするものを含む。
これにより、ブランキング送信時に必要な上位ストリームの受信品質情報のリソースを多くすることで、フィードバック情報の総量を抑えつつ、伝搬路状況の大きな変動に起因する受信品質情報の誤差の発生を抑えて精度の高い受信品質情報をフィードバックでき、特性劣化を防ぐことが可能となる。
【００１３】
本発明の第４の態様では、本発明の第１の態様における無線通信装置であって、前記リソース配分制御部は、前記Ｎａｃｋ信号を検出しない場合には、前記ブランキング送信が実施されない送信の前に通知する受信品質情報において、前記複数のストリームのうちの下位ストリームのリソースを上位ストリームのリソースよりも多くしたリソース配分とするものを含む。
これにより、ブランキング送信が行われない場合は、下位ストリームのリソースを上位ストリームのリソースより多くすることで、上位ストリームのように受信品質の変動が小さく受信品質情報の誤差が発生しない状況では、フィードバック情報のリソースを少なくして情報量を削減することが可能である。
【００１４】
本発明の第５の態様では、本発明の第１の態様における無線通信装置であって、前記複数のストリームとして４つのストリームを用いたデータ伝送を行う場合に、前記リソース配分制御部は、前記Ｎａｃｋ信号を検出した場合は、前記ブランキング送信が実施される送信の前に通知する受信品質情報において、前記４つのストリームのうちの上位２つのストリームのリソースを多くしたリソース配分とするものを含む。
これにより、４ストリーム送信時においても、ブランキング送信時におけるフィードバック情報の総量を抑えつつ、伝搬路状況の大きな変動に起因する受信品質情報の誤差の発生を抑えることができ、特性劣化を防ぐことが可能となる。
【００１５】
本発明の第６の態様では、本発明の第３の態様における無線通信装置であって、前記リソース配分制御部は、前記複数のストリームのうちの上位ストリームで送信されたコードワードにおいて前記Ｎａｃｋ信号が発生した場合は、前記上位ストリームのリソースを多くしたリソース配分とし、前記複数のストリームのうちの下位ストリームで送信されたコードワードにおいて前記Ｎａｃｋ信号が発生した場合は、前記上位ストリームのリソースを少なくしたリソース配分とするものを含む。
これにより、フィードバック情報の総量を抑えつつ、伝搬路状況の大きな変動に起因する受信品質情報の誤差の発生を抑えて特性劣化を防ぐことができ、さらに、上位ストリームまたは下位ストリームのいずれでＮａｃｋ信号が発生したかによってリソース配分を変更することで、情報量をさらに削減することが可能である。
【００１６】
本発明の第７の態様では、本発明の第６の態様における無線通信装置であって、前記フィードバック情報送信部は、前記下位ストリームで送信されたコードワードにおいて前記Ｎａｃｋ信号が発生した場合は、前記下位ストリームで送信されたコードワードの誤り具合を示す情報を前記フィードバック情報に含めるものを含む。
これにより、通信相手局では、コードワードの誤り具合を示す情報によって再送に必要なデータ量が分かるので、データ伝送に関するリソースを効率的に利用可能である。
【００１７】
本発明の第８の態様では、複数のストリームにおいて複数のコードワードによるデータ伝送を行い、前記コードワードの再送時には通信相手局との間で前記複数のストリームのうちの受信品質の良好な上位ストリームのみで再送するブランキング送信を行う無線通信装置であって、前記通信相手局からのフィードバック情報を受信するフィードバック情報受信部と、前記フィードバック情報に含まれる前記コードワードの受信結果に対応する応答信号を抽出する応答信号抽出部と、前記応答信号としてＮａｃｋ信号の有無に応じて、前記フィードバック情報に含まれる受信品質情報のリソース配分を判定するリソース配分判定部と、前記リソース配分に基づき、前記受信品質情報から前記複数のストリームの各ストリームの受信品質を再現する受信品質再現部と、前記受信品質に基づいて前記各ストリームで送信するコードワードの適応制御を行う適応制御部と、を備える無線通信装置を提供する。
これにより、フィードバック情報の総量を抑えつつ、情報圧縮に起因する受信品質の誤差の発生に対して、本来必要である受信品質との誤差の発生を抑えて、特性劣化を防ぐことが可能となる。
【００１８】
本発明の第９の態様では、本発明の第８の態様における無線通信装置であって、前記リソース配分判定部は、前記Ｎａｃｋ信号を検出しない場合には、前記複数のストリームのうちの上位ストリームのリソースを少なくしたリソース配分と判定し、前記適応制御部は、前記リソース配分に基づき再現された受信品質によって適応制御を行って前記ブランキング送信を実施しない通常の送信を行うものを含む。
これにより、受信品質の変動が小さい上位ストリームのリソースを少なくすることで、フィードバック情報に誤差が生じることなく、情報量を削減できる。
【００１９】
本発明の第１０の態様では、本発明の第８の態様における無線通信装置であって、前記リソース配分判定部は、前記Ｎａｃｋ信号を検出した場合は、前記複数のストリームのうちの上位ストリームのリソースを多くしたリソース配分と判定し、前記適応制御部は、前記リソース配分に基づき再現された受信品質によって適応制御を行って前記上位ストリームを用いたブランキング送信を行うものを含む。
これにより、ブランキング送信時に必要な上位ストリームの受信品質情報のリソースを多くすることで、フィードバック情報の総量を抑えつつ、伝搬路状況の大きな変動に起因する受信品質情報の誤差の発生を抑えて精度の高い受信品質情報をフィードバックでき、特性劣化を防ぐことが可能となる。
【００２０】
本発明の第１１の態様では、本発明の第８の態様における無線通信装置であって、前記リソース配分判定部は、前記Ｎａｃｋ信号を検出しない場合には、前記複数のストリームのうちの下位ストリームのリソースを上位ストリームのリソースよりも多くしたリソース配分と判定し、前記適応制御部は、前記リソース配分に基づき再現された受信品質によって適応制御を行って前記ブランキング送信を実施しない通常の送信を行うものを含む。
これにより、ブランキング送信が行われない場合は、下位ストリームのリソースを上位ストリームのリソースより多くすることで、上位ストリームのように受信品質の変動が小さく受信品質情報の誤差が発生しない状況では、フィードバック情報のリソースを少なくして情報量を削減することが可能である。
【００２１】
本発明の第１２の態様では、本発明の第８の態様における無線通信装置であって、前記複数のストリームとして４つのストリームを用いたデータ伝送を行う場合に、前記リソース配分判定部は、前記Ｎａｃｋ信号を検出した場合は、前記４つのストリームのうちの上位２つのストリームのリソースを多くしたリソース配分と判定し、前記適応制御部は、前記リソース配分に基づき再現された受信品質によって適応制御を行って前記上位２つのストリームを用いたブランキング送信を行うものを含む。
これにより、４ストリーム送信時においても、ブランキング送信時におけるフィードバック情報の総量を抑えつつ、伝搬路状況の大きな変動に起因する受信品質情報の誤差の発生を抑えることができ、特性劣化を防ぐことが可能となる。
【００２２】
本発明の第１３の態様では、本発明の第１０の態様における無線通信装置であって、前記リソース配分判定部は、前記複数のストリームのうちの上位ストリームで送信されたコードワードにおいて前記Ｎａｃｋ信号が発生した場合は、前記上位ストリームのリソースを多くしたリソース配分と判定し、前記複数のストリームのうちの下位ストリームで送信されたコードワードにおいて前記Ｎａｃｋ信号が発生した場合は、前記上位ストリームのリソースを少なくしたリソース配分と判定し、前記適応制御部は、前記リソース配分に基づき再現された受信品質によって適応制御を行って前記上位ストリームを用いたブランキング送信を行うものを含む。
これにより、フィードバック情報の総量を抑えつつ、伝搬路状況の大きな変動に起因する受信品質情報の誤差の発生を抑えて特性劣化を防ぐことができ、さらに、上位ストリームまたは下位ストリームのいずれでＮａｃｋ信号が発生したかによってリソース配分を変更することで、情報量をさらに削減することが可能である。
【００２３】
また、本発明は、本発明の第１の態様から第１３の態様における無線通信装置のうち、いずれの無線通信装置を備える無線通信基地局装置を提供する。
また、本発明は、本発明の第１の態様から第１３の態様における無線通信装置のうち、いずれの無線通信装置を備える無線通信移動局装置を提供する。
【００２４】
また、本発明は、複数のストリームにおいて複数のコードワードによるデータ伝送を行い、前記コードワードの再送時には通信相手局との間で前記複数のストリームのうちの受信品質の良好な上位ストリームのみで再送するブランキング送信を行う無線通信システムであって、前記複数のストリームにより送信装置から送信されたコードワードの受信結果に対応する応答信号を生成する応答信号生成部と、前記複数のストリームの各ストリームの受信品質を示す受信品質情報を生成する受信品質情報生成部と、前記受信品質情報のリソース配分を制御するもので、前記応答信号としてＮａｃｋ信号を検出した場合に、前記複数のストリーム間の受信品質情報のリソース配分を変更するリソース配分制御部と、前記応答信号及び前記受信品質情報を含むフィードバック情報を前記通信相手局へ送信するフィードバック情報送信部と、を有する受信装置と、前記受信装置からのフィードバック情報を受信するフィードバック情報受信部と、前記フィードバック情報に含まれる前記コードワードの受信結果に対応する応答信号を抽出する応答信号抽出部と、前記応答信号としてＮａｃｋ信号の有無に応じて、前記フィードバック情報に含まれる受信品質情報のリソース配分を判定するリソース配分判定部と、前記リソース配分に基づき、前記受信品質情報から前記複数のストリームの各ストリームの受信品質を再現する受信品質再現部と、前記受信品質に基づいて前記各ストリームで送信するコードワードの適応制御を行う適応制御部と、を有する送信装置と、を備える無線通信システムを提供する。
【００２５】
また、本発明は、複数のストリームにおいてデータ伝送を行い、前記コードワードの再送時には通信相手局との間で前記複数のストリームのうちの受信品質の良好な上位ストリームのみで再送がなされるブランキング送信が行われる無線通信装置における無線通信方法であって、前記複数のストリームにより通信相手局から送信されたコードワードの受信結果に対応する応答信号を生成し、前記複数のストリームの各ストリームの受信品質を示す受信品質情報を生成し、前記受信品質情報のリソース配分を制御するもので、前記応答信号としてＮａｃｋ信号を検出した場合に、前記複数のストリーム間の受信品質情報のリソース配分を変更し、前記応答信号及び前記受信品質情報を含むフィードバック情報を前記通信相手局へ送信する無線通信方法を提供する。
【００２６】
また、本発明は、複数のストリームにおいて複数のコードワードによるデータ伝送を行い、前記コードワードの再送時には通信相手局との間で前記複数のストリームのうちの受信品質の良好な上位ストリームのみで再送するブランキング送信を行う無線通信装置における無線通信方法であって、前記通信相手局からのフィードバック情報を受信し、前記フィードバック情報に含まれる前記コードワードの受信結果に対応する応答信号を抽出し、前記応答信号としてＮａｃｋ信号の有無に応じて、前記フィードバック情報に含まれる受信品質情報のリソース配分を判定し、前記リソース配分に基づき、前記受信品質情報から前記複数のストリームの各ストリームの受信品質を再現し、前記受信品質に基づいて前記各ストリームで送信するコードワードの適応制御を行う無線通信方法を提供する。
【発明の効果】
【００２７】
本発明に係る無線通信装置、無線通信システム及び無線通信方法によれば、ＭＣＷなどの複数のストリームを用いたデータ伝送においてストリーム毎にフィードバックする際の情報量を削減しつつ、フィードバック情報の誤差を抑制することが可能である。
【図面の簡単な説明】
【００２８】
【図１】２ストリーム送信時の受信品質の時間変動を示す図
【図２】本実施形態において用いる絶対値ＣＱＩテーブルを示す図
【図３】本実施形態において用いる相対値ＣＱＩテーブルを示す図
【図４】第１の実施形態におけるＣＱＩのフィードバックビット数の例を示す図
【図５】第１の実施形態の受信装置の構成を示すブロック図
【図６】第１の実施形態の送信装置の構成を示すブロック図
【図７】第１の実施形態における処理シーケンスを示す図
【図８】第１の実施形態の受信装置の処理フローを示す図
【図９】第１の実施形態の送信装置の処理フローを示す図
【図１０】受信品質に大きな時間変動が発生した際のＣＱＩの誤差を示す図
【図１１】２ストリーム送信を行う際の送信方法の概念図
【図１２】２つのストリームにおいて２つのコードワードを送信する場合の誤り発生確率を示す図
【図１３】第２の実施形態におけるＣＱＩのフィードバックビット数の例を示す図
【図１４】第２の実施形態の受信装置の構成を示すブロック図
【図１５】第２の実施形態の送信装置の構成を示すブロック図
【図１６】第２の実施形態における処理シーケンスを示す図
【図１７】第２の実施形態の受信装置の処理フローを示す図
【図１８】第２の実施形態の送信装置の処理フローを示す図
【図１９】４つのストリームにおいて４つのコードワードを送信する場合の誤り発生確率を示す図
【図２０】第２の実施形態の変形例における４ストリーム送信時のＣＱＩのフィードバックビット数の例を示す図
【図２１】第３の実施形態におけるＣＱＩのフィードバックビット数の例を示す図
【図２２】第３の実施形態の受信装置の構成を示すブロック図
【図２３】第３の実施形態の送信装置の構成を示すブロック図
【図２４】第３の実施形態の受信装置の処理フローを示す図
【図２５】第３の実施形態の送信装置の処理フローを示す図
【図２６】ストリームのランキング順位が変わったときの様子を示す図
【図２７】第４の実施形態におけるＣＱＩのフィードバックビット数の例を示す図
【図２８】第４の実施形態の受信装置の構成を示すブロック図
【図２９】第４の実施形態の送信装置の構成を示すブロック図
【図３０】第４の実施形態の受信装置の処理フローを示す図
【図３１】第４の実施形態の送信装置の処理フローを示す図
【発明を実施するための形態】
【００２９】
以下、本発明の実施形態について、図面を参照して説明する。
【００３０】
本実施形態では、本発明に係る無線通信装置、無線通信システム及び無線通信方法の一例として、ＭＩＭＯを採用した無線通信システムにおいて、送信装置及び受信装置が複数のアンテナを用いて複数のストリームにおいて複数のコードワード（ＣＷ）による信号伝送を行い、ＭＣＷにおけるＨＡＲＱを用いた再送制御（適応再送制御）を行う場合の構成例を示す。コードワードは、ＭＣＳの制御単位であるデータ系列のことである。ここでは、セルラーシステムにおいて、基地局からユーザ端末へ信号（ストリーム）を送信し、ユーザ端末から基地局へ受信品質としてＣＱＩをフィードバックする場合を想定する。この場合、基地局が送信装置（送信局）となり、ユーザ端末が受信装置（受信局）となる。なお、下記の実施の形態は説明のための一例であり、本発明はこれに限定されるものではない。
【００３１】
（第１の実施形態）
まず、第１の実施形態として、ＭＣＷにおいてコードワード毎にＣＱＩをフィードバックする際の情報量を削減可能とする構成について説明する。ＣＱＩフィードバック時の情報量を削減するには、複数ストリームを送信する際に、各ストリームのＣＱＩの時間変動における相関を使ってフィードバックビット数の総量を削減することが考えられる。このときの方法として、例えば、あらかじめＣＱＩの絶対値をフィードバックし、次から、前回フィードバックしたＣＱＩに対する相対値（差分情報）を、絶対値のビット数より少ないビット数で通知することで、全体のビット数を削減する方法などが考えられる。
【００３２】
また、複数ストリームを送信する際には、各ストリームを受信品質により順位付けを行うランキング処理（またはオーダリング処理）を適用することで、ランキング後の上位ストリームでは、フェージング変動は緩やかな変動に限定され、時間経過に対する変化量が小さくなる、といった特徴がある。そこで、この上位ストリームの特徴を利用し、上記の相対値を用いてＣＱＩをフィードバックする方法に適用することで、ＣＱＩのフィードバックビット数を削減することができる。
【００３３】
本実施形態では、各ストリームを受信品質によりランキングを行い、上位ストリームのＣＱＩフィードバックにおいて、あらかじめＣＱＩの絶対値を報告し、次から、前回報告したＣＱＩに対する相対値（差分情報）を、絶対値ＣＱＩのビット数より少ないビットで報告することで、ＣＱＩのフィードバックビット数の総数を削減する。ここでは、一例として２ストリーム送信の場合について説明する。
【００３４】
図１は２ストリーム送信時の受信品質の時間変動を示す図、図２は本実施形態において用いる絶対値ＣＱＩテーブルを示す図、図３は本実施形態において用いる相対値ＣＱＩテーブルを示す図、図４は第１の実施形態におけるＣＱＩのフィードバックビット数の例を示す図である。
【００３５】
図１では、ストリーム１及びストリーム２の受信品質をグラフ状に示しており、上位ストリームを太い破線で示してある。受信品質としては、例えば、受信ＳＩＮＲ（Signal to Interference and Noise Ratio）などがある。ここで、受信品質によりストリームをランキング（順位付け）することで、上位ストリームの受信品質は太い破線のようになる。一方、上位ストリームに該当しないストリーム１とストリーム２の受信品質を示す細線が、下位ストリームの受信品質となる。
【００３６】
ここで、受信品質に対するＣＱＩのダイナミックレンジは、基地局近傍からセルエッジまで対応するために３０ｄＢ程度必要であり、１ｄＢステップとすると３０段階となるので、ＣＱＩを表現するビット数としては５ビット必要となる。この５ビットで表現するＣＱＩを、絶対値ＣＱＩとする。例えば、この絶対値ＣＱＩにおける、受信品質に対するＣＱＩビットの関係として、図２のような絶対値ＣＱＩテーブルを用いることができる。図２において、例えば受信品質が"２５"の場合、受信側からＣＱＩビットとして５ビット量子化した値である"11001"をフィードバックすることで、送信側では、受信側と同じ図２のテーブルを用いることで、受信品質が"２５"であることを再現できる。
【００３７】
一方、上位ストリームの受信品質の変動は、上記絶対値ＣＱＩのダイナミックレンジに対して、変動幅が小さく、変動をカバーするダイナミックレンジは狭くなる。そこで、前回報告したＣＱＩからの差分情報であるＣＱＩの相対値（相対値ＣＱＩ）を、ＣＱＩの絶対値のビット数より少ないビットで報告することで、ＣＱＩのフィードバックビット数の総数を削減することができる。例えば、この相対値ＣＱＩを２ビットで表現した図３のような相対値ＣＱＩテーブルを用いることができる。例えば前回報告した受信品質（ＣＱＩ）に対して、現在の受信品質が"−１"の場合、受信側からＣＱＩビットとして２ビット量子化した値である"01"をフィードバックすることで、送信側では、受信側と同じ図３のテーブルと、前回のＣＱＩとを用いることで、受信品質を再現できる。
【００３８】
そして、ＣＱＩのフィードバック周期をスロット（slot）単位としたときに、上記のように絶対値及び相対値でＣＱＩを表現した場合の、ＣＱＩのフィードバックビット数は図４のようになる。図４に示すように、各スロットにおいて、上位ストリームに２ビット（相対値）、下位ストリームに５ビット（絶対値）、上位または下位のストリームを示すランキング情報に１ビットを割り当てると、全体で８ビットとなる。この場合、２つのストリームでそれぞれＣＱＩの絶対値（５ビット）をフィードバックする場合（５×２＝１０ビット）に比べて、フィードバックビット数を削減できている。
【００３９】
具体的な動作は次のようになる。まず、受信装置となるユーザ端末では、あらかじめ、各ストリームのＣＱＩの絶対値を、送信装置となる基地局に報告する。次に、ユーザ端末は、各ストリームの受信品質により、ストリームのランキングを行う。上位ストリームでは、前回報告したＣＱＩに対する相対値（差分）を求める。また、下位ストリームでは、ＣＱＩの絶対値を求める。そして、ユーザ端末は、ランキング情報と、上位ストリームの相対値ＣＱＩと、下位ストリームの絶対値ＣＱＩとを、基地局に報告する。そして、基地局では、報告された情報に基づいて、各ストリームのＣＱＩを再現して求める。このような方法をとることによって、ＣＱＩフィードバックの情報量を削減することができる。
【００４０】
なお、上記のフィードバック情報量削減方法の他に、次のような方法を適用することも可能である。例えば、あらかじめＣＱＩの絶対値を報告しておき、この絶対値を基準値として、基準値から設定される狭いダイナミックレンジの絶対値を用いる方法や、時間方向で間引き処理した値を報告して、時間方向で補間する方法などがある。
【００４１】
また、あらかじめ絶対値を報告する方法としては、初回のフィードバックに限って、各ストリームの絶対値ＣＱＩを、同じスロットでフィードバックする方法や、時間（スロット）分割でフィードバックする方法などが考えられる。
【００４２】
次に、第１の実施形態に係る無線通信装置の具体的な構成例を示す。図５は第１の実施形態の受信装置の構成を示すブロック図である。受信装置５００は、アンテナ５０１、５０２、ＭＩＭＯ受信部５０３、チャネル推定部５０４、受信品質推定部５０５、ストリームランキング部５０６、ランキング情報生成部５０７、ＣＱＩビット数配分決定部５０９、フィードバックＣＱＩ情報生成部５１０、フィードバック情報送信部５１１を備える。
【００４３】
受信装置５００は、通信相手局の送信装置からＭＩＭＯ送信（ＳＤＭ送信）された複数ストリーム（ここでは２つのストリーム）の信号をアンテナ５０１、５０２より受信し、ＭＩＭＯ受信部５０３において受信信号の復調処理、復号化等の受信処理を行って複数コードワードの受信データを得る。ＭＩＭＯ受信部５０３は、ＳＤＭ送信された信号を受信できるものであれば特に限定されるものではない。例えば、Zero ForcingやＭＭＳＥ（Minimum Mean Square Error）といったフィルタリングによる受信方法や、ＳＩＣ（Successive Interference Canceller）による受信方法などがある。
【００４４】
チャネル推定部５０４は、受信信号におけるパイロット信号を使用して、複数ストリームにおける各ストリームのチャネル推定を行う。受信品質推定部５０５は、チャネル推定部５０４により推定されたチャネル推定値を用いて各ストリームの受信品質を推定する。受信品質としては、受信ＳＩＮＲなどがある。
【００４５】
ストリームランキング部５０６は、各ストリームの推定受信品質を使って、ストリームの受信品質が良い順に、ランキング順位を決定する。ランキング情報生成部５０７は、ストリームランキング部５０６で決定されたランキング順位を使って、ランキング情報を生成する。
【００４６】
ＣＱＩビット数配分決定部５０９は、上記推定された受信品質を示す受信品質情報として、ＣＱＩをフィードバックする場合に、この受信品質情報のリソース配分として、ストリーム間のＣＱＩビット数の配分を決定する。本実施形態では、ＣＱＩビット数配分決定部５０９は、ストリームのランキング順位により、上位ストリームにはビット数を少なく、下位ストリームにはビット数を多くするように、ＣＱＩビット数の配分を決定する。
【００４７】
フィードバックＣＱＩ情報生成部５１０は、ストリームランキング部５０６で決定された各ストリームのランキング順位に対して、ＣＱＩビット数配分決定部５０９で決定されたＣＱＩビット数に応じて、受信品質推定部５０５で推定した各ストリームの受信品質からフィードバック用のＣＱＩ情報を生成する。
【００４８】
フィードバック情報送信部５１１は、各ストリームの受信の可否を示すＡｃｋ（Acknowledgement）／Ｎａｃｋ（Negative Acknowledgement）情報、及び、上記生成したＣＱＩ情報、ランキング情報を含むフィードバック情報として、送信装置へフィードバックするための送信処理を行う。
【００４９】
図６は第１の実施形態の送信装置の構成を示すブロック図である。送信装置６００は、送信信号生成部６０１、ＭＩＭＯ送信部６０２、アンテナ６０３、６０４、フィードバック情報受信部６０５、ＣＱＩ情報抽出部６０７、ランキング情報抽出部６０８、ＣＱＩビット数配分決定部６０９、ＣＱＩ再現部６１０、適応制御部６１１を備えて構成される。
【００５０】
送信装置６００は、送信信号生成部６０１において、適応制御部６１１で決定された変調方式や符号化率を使って、送信データを符号化して、変調処理を行うことで送信信号を生成する。ＭＩＭＯ送信部６０２は、生成された送信信号を基に、複数のコードワードを複数ストリーム（ここでは２つのストリーム）でアンテナ６０３、６０４より通信相手局の受信装置へＭＩＭＯ送信（ＳＤＭ送信）する。ＭＩＭＯ送信部６０２は、複数のコードワードをＳＤＭ送信できる構成であれば特に限定されるものではない。例えば、各コードワードを、別々のアンテナから送信する方法や、各コードワードに送信ウエイトを乗算して各アンテナから送信する方法などがある。
【００５１】
フィードバック情報受信部６０５は、受信装置からのフィードバック情報に対して受信処理を行う。ＣＱＩ情報抽出部６０７は、フィードバック情報から受信品質情報としてのＣＱＩ情報を抽出する。ランキング情報抽出部６０８は、フィードバック情報から各ストリームのランキング情報を抽出する。
【００５２】
ＣＱＩビット数配分決定部６０９は、受信装置５００におけるＣＱＩビット数配分決定部５０９と同様に、受信品質情報のリソース配分として、ストリーム間のＣＱＩビット数の配分を決定する。本実施形態では、ＣＱＩビット数配分決定部６０９は、ストリームのランキング順位によってＣＱＩビット数の配分を判定し、上位ストリームにはビット数を少なく、下位ストリームにはビット数を多くするように、ＣＱＩビット数の配分を決定する。
【００５３】
ＣＱＩ再現部６１０は、ＣＱＩ情報抽出部６０７で抽出したＣＱＩ情報と、ランキング情報抽出部６０８で抽出した各ストリームのランキング情報と、ＣＱＩビット数配分決定部６０９で決定した各ストリームのＣＱＩビット配分とを用いて、各ストリームの受信品質を示すＣＱＩを再現する。適応制御部６１１は、再現されたＣＱＩに基づいて、送信信号の変調方式や符号化率を制御する。また、受信装置からＮａｃｋ信号を受けた場合の再送時には、再送制御を行う。
【００５４】
次に、第１の実施形態の無線通信装置における処理のシーケンスとフローについて説明する。図７は第１の実施形態における処理シーケンスを示す図、図８は第１の実施形態の受信装置の処理フローを示す図、図９は第１の実施形態の送信装置の処理フローを示す図である。
【００５５】
図７の処理シーケンスによって基本的な処理の流れを説明する。ここでは、本実施形態に関係のある情報だけを示している。また、時間スロットについて、連続的なスロット（Slot1、Slot2、Slot3）を示しているが、これに限定されるものではない。
【００５６】
まず、スロット１（Slot1）において、送信装置６００はパイロット信号とデータを送信し（Ｓ７０１、Ｓ７０２）、受信装置５００はそれらを受信する。このとき、複数コードワード（ＭＣＷ）のデータを複数のストリームで送信する。受信装置５００では、パイロット信号によってチャネル推定を行う（Ｓ７０３）。また、受信データをＭＩＭＯ受信し（Ｓ７０４）、コードワード毎に復号処理する。そして、チャネル推定値を用いて、各ストリームのランキング情報とＣＱＩ情報を生成する（Ｓ７０５）。
【００５７】
スロット２（Slot2）では、スロット１において受信側において生成されたランキング情報とＣＱＩ情報を、受信装置５００は送信装置６００にフィードバックする。送信装置６００では、フィードバックされたランキング情報とＣＱＩ情報から、各送信コードワードのＣＱＩを再現する（Ｓ７０６）。
【００５８】
スロット３（Slot3）では、送信装置６００において、スロット２で再現した各コードワードのＣＱＩに基づいて、送信データのＭＣＳの適応制御を行う（Ｓ７０７）。この後、スロット１の処理を繰り返し、パイロット信号とデータを送信する（Ｓ７０８、Ｓ７０９）。
【００５９】
続いて、図８によって受信装置の処理フローを順に説明する。受信装置５００では、ＭＩＭＯ受信部５０３において送信装置６００から送信された信号を受信する（Ｓ８０１）。そして、チャネル推定部５０４において、ステップＳ８０１で受信した信号からパイロット信号を抽出して、チャネル推定を行う（Ｓ８０２）。
【００６０】
次に、受信品質推定部５０５において、ステップＳ８０２で推定したチャネル推定値を用いて、各ストリームの受信品質を算出して推定する（Ｓ８０３）。ここで、受信品質としては、例えばＳＩＮＲがある。他に、ＳＮＲ（Signal to Noise Ratio）、ＳＩＲ（Signal to Interference Ratio）、受信電力などがある。そして、ストリームランキング部５０６において、ステップＳ８０３で推定した各ストリームの受信品質を用いて、各ストリームに順位をつけてランキング順位を決定する（Ｓ８０４）。
【００６１】
また、ＣＱＩビット数配分決定部５０９において、上位ストリームにはビット数を少なく、下位ストリームにはビット数を多くするように、ストリーム間のＣＱＩビット数の配分を決定する（Ｓ８０５）。
【００６２】
次に、フィードバックＣＱＩ情報生成部５１０において、ステップＳ８０３で推定した各ストリームの受信品質と、ステップＳ８０４で決定した各ストリームのランキング順位と、ステップＳ８０５で決定した各ストリームのＣＱＩビット数に応じて、各ストリームのＣＱＩ情報を生成する（Ｓ８０６）。そして、フィードバック情報送信部５１１により、ＣＱＩ情報とランキング情報を送信装置６００にフィードバックする（Ｓ８０７）。
【００６３】
また、図９によって送信装置の処理フローを順に説明する。送信装置６００では、フィードバック情報受信部６０５により、受信装置５００からのフィードバック情報を受信する（Ｓ９０１）。そして、ステップＳ９０１で受信したフィードバック情報から、ＣＱＩ情報抽出部６０７でＣＱＩ情報を、ランキング情報抽出部６０８でランキング情報をそれぞれ抽出する（Ｓ９０２）。
【００６４】
次に、ＣＱＩビット数配分決定部６０９において、上位ストリームにはビット数を少なく、下位ストリームにはビット数を多くするように、ストリーム間のＣＱＩビット数の配分を決定する（Ｓ９０３）。そして、ＣＱＩ再現部６１０において、ステップＳ９０３で決定したＣＱＩビット数の配分に応じて、ステップＳ９０２で抽出したＣＱＩ情報とランキング情報を用い、各ストリームのＣＱＩを再現する（Ｓ９０４）。
【００６５】
次に、適応制御部６１１において、ステップＳ９０４で再現した各ストリームのＣＱＩに基づいて、各ストリームで送信するコードワードの符号化率、変調方式を決定する。また、再送時には再送制御を行う（Ｓ９０５）。そして、送信信号生成部６０１及びＭＩＭＯ送信部６０２により、ステップＳ９０５で決定した、各コードワードの符号化率、変調方式により、送信信号を生成して、ＭＩＭＯ送信（ＳＤＭ送信）する（Ｓ９０６）。
【００６６】
このように、第１の実施形態によれば、上位のストリームのＣＱＩ情報を相対値で報告することによって、ＣＱＩフィードバックの情報量を削減することができる。これにより、複数のストリームを用いたＭＣＷのデータ伝送において、コードワードが増加しても、コードワード毎にフィードバックする際の情報量を削減できる。また、これによって、フィードバック情報を通知する逆回線における周波数利用効率の低下を防止することができる。
【００６７】
（第２の実施形態）
次に、第２の実施形態として、ＭＣＷにおいてコードワード毎にＣＱＩをフィードバックする際の情報量を削減しつつ、ＣＱＩ誤差の発生を抑制可能とする構成について説明する。
【００６８】
上述した第１の実施形態の構成では、シャドウイング変動や隣接セルからの与干渉が急激に変動することなどによって、伝搬路状況に大きな変動が発生した場合に、上位ストリームにおける実際の受信品質が相対値（差分情報）でカバーできる範囲を超えてしまうと、報告したＣＱＩ情報と実際のＣＱＩとの間に誤差が生じるので、特性が劣化してしまうことがある。図１０は受信品質に大きな時間変動が発生した際のＣＱＩの誤差を示す図である。
【００６９】
また、第１の実施形態のようなフィードバック情報削減方法では、フィードバックされた相対値（差分情報）の判定に誤りが発生すると、それ以後のＣＱＩに誤りが伝播してしまう。このため、以後に報告したＣＱＩに誤差が生じるので、特性が劣化してしまうことがある。このような問題に対して、定期的にＣＱＩの絶対値を報告する方法が考えられるが、この方法では、フィードバック情報のフォーマットとして最大の情報量を確保しておく必要があることから、情報量の圧縮ができなくなってしまう。
【００７０】
上記のように、ＣＱＩ情報のフィードバックにおいて、情報圧縮を適用することで、情報量が減ったことにより、本来必要とするＣＱＩとの誤差が発生するため、特性劣化を引き起こすといった問題が生じ得る。そこで、第２の実施形態では、ＭＣＷのＣＱＩフィードバックにおいて情報圧縮を適用した場合に、本来必要とするＣＱＩとの誤差の発生を抑制するＣＱＩフィードバック方法及びこれを適用した無線通信装置の構成を示す。
【００７１】
第２の実施形態では、コードワードの受信結果に対応する応答信号の一つである、Ｎａｃｋの発生に応じて、ＣＱＩフィードバックのビット数を振り分けることで、ＣＱＩフィードバックのビット数の総数を抑えつつ、本来必要であるＣＱＩとの誤差の発生を抑えて、特性劣化を防止する。
【００７２】
まず、本実施形態の着眼点である、ブランキング処理に必要なＣＱＩフィードバックと、ＭＣＷにおける誤りの発生頻度について説明する。
【００７３】
（１）ブランキング処理に必要なＣＱＩフィードバック
ＭＣＷにおけるＨＡＲＱの方法の１つに、ブランキング処理がある。図１１は、２ストリーム送信を行う際の送信方法の概念図である。図１１において、送信装置である基地局（ＢＳ：Base Station）１１０１から受信装置であるユーザ端末（ＵＥ：User Equipment）１１０２へＳｔｒ１とＳｔｒ２の２つのストリームを送信し、ユーザ端末１１０２から基地局１１０１へ各ストリームのＣＱＩをフィードバックする処理が示されている。ここで、Ｓｔｒ１を品質の良い上位ストリーム、Ｓｔｒ２を品質が劣る下位ストリームとする。
【００７４】
図１１のＡは、再送が発生しておらず、ブランキングをしない場合であり、ブランキングを行わずに２つのストリームにおいてそれぞれのコードワード（ＣＷ１、ＣＷ２）で新規データを送信している。図１１のＢは、一方のストリームに受信誤りがありＮａｃｋと判定され、再送が発生しブランキングをする場合である。ブランキング処理では、Ｎａｃｋとなって再送要求されたコードワード（ＣＷ）だけを送信すればよいので、初回送信時のストリームに関わらず、品質の良い上位ストリーム（ここではＳｔｒ１）から再送し、下位ストリームの送信を行わないことで、再送時の品質を確保することができる。この場合、ユーザ端末１１０２から基地局１１０１へは上位ストリームのＣＱＩのみをフィードバックする。ブランキング処理では、ブランキングするストリーム、つまり、コードワードを送信しないストリーム（ここではＳｔｒ２）ではＣＱＩが必要でないので、ＣＱＩをフィードバックする必要がない。
【００７５】
（２）ＭＣＷにおける誤りの発生頻度
ＨＡＲＱを想定した通信システムでは、コードワード当りのターゲット誤り率は数１０％に設定されるのが一般的である。従って、複数のコードワードを用いるＭＣＷでは、各コードワードの誤り率は独立事象であることから、少なくても１つのコードワードが誤る事象の発生頻度は高い。図１２は、２つのストリームにおいて２つのコードワードを送信する場合の誤り発生確率を示す図である。例えば、ターゲットＰＥＲ（Packet Error Rate：パケット誤り率）が２０％の場合、２ストリーム（２コードワード）送信時における、誤りが発生する確率は、１つ以上のコードワードがＮａｃｋとなる確率を加算した３６％となる。
【００７６】
上記（１）で述べたように、ブランキング送信時には、ブランキングされるストリームである下位ストリームのＣＱＩをフィードバックする必要がない。また、上記（２）で述べたように、ブランキング送信が行われるようなＮａｃｋが発生する事象は、高い頻度で発生する。これらの２点を考慮し、本実施形態では以下のような機能を備えるようにする。
【００７７】
受信誤りによりＮａｃｋが発生したことは、受信装置であるユーザ端末において検出されるので、再送時に送信装置である基地局からブランキング送信されることは、ユーザ端末においても予想できる。そこで、本実施形態では、Ｎａｃｋが発生してブランキング送信される前に通知する受信装置から送信装置へのＣＱＩフィードバックにおいて、複数のストリーム間のＣＱＩのビット配分を変更する機能を備えるようにする。
【００７８】
例えば、ブランキング送信を行わない通常の送信時には、第１の実施形態と同様に、上位ストリームはＣＱＩの相対値（２ビット）を報告し、下位ストリームはＣＱＩの絶対値（５ビット）を報告する。一方、ブランキング送信を行う場合は、ストリーム間のＣＱＩのビット配分を変えて、上位ストリームのＣＱＩの絶対値（５ビット）を報告する。これにより、フィードバックビット数を増加させることなく、上位ストリームのＣＱＩの絶対値を報告することができる。
【００７９】
次に、第２の実施形態におけるＣＱＩビット数の配分の具体的な方法を例示する。図１３は、第２の実施形態におけるＣＱＩのフィードバックビット数の例を示す図である。図１３において、Slotはスロット番号を示しており、送信方法は図１１における送信方法ＡとＢ、つまり、Ａはブランキングをしない送信、Ｂはブランキングする送信を示している。また、Ａｃｋ／Ｎａｃｋは、各コードワード（ＣＷ１，ＣＷ２）のＡｃｋ／Ｎａｃｋを示しており、○はＡｃｋを×はＮａｃｋを示している。フィードバックビット数は、該当するスロットでフィードバックするビット数を示している。また、図１３の例では、送信側から送信したコードワードを受信側で受信処理して誤り判定を行い、Ａｃｋ／ＮａｃｋとＣＱＩをフィードバックするまでに、１スロットとしている。そして、受信側からのＡｃｋ／ＮａｃｋとＣＱＩのフィードバックに基づいて、送信側では再送処理を行う。なお、受信側で受信処理を行い、フィードバックするまでのスロット数が、１スロットより長い場合であっても問題なはい。以下にスロット毎の処理を説明する。
【００８０】
［スロット１］
送信側において、ＣＷ１を上位ストリームから、ＣＷ２を下位ストリームから送信する。受信側において、受信処理を行い、ＣＷ１とＣＷ２の誤りを判定する。誤りの判定は、ＣＲＣ（Cyclic Redundant Code）による誤り判定が一般的である。ここでは、ＣＷ１とＣＷ２共に誤り発生していない。
【００８１】
［スロット２］
スロット１で送信された各コードワードのＡｃｋ／Ｎａｃｋ情報と、スロット３で送信されるコードワードにおいて用いられる各ストリームのＣＱＩ情報を、受信側から送信側にフィードバックする。受信側は、スロット１で送信されたＣＷ１とＣＷ２のＡｃｋと、上位ストリームのＣＱＩの相対値（差分情報）と、下位ストリームのＣＱＩの絶対値とを、送信側に報告する。
【００８２】
［スロット３］
送信側は、スロット２でフィードバックされたＡｃｋ／Ｎａｃｋ情報から、スロット１で送信したＣＷ１とＣＷ２に誤りが発生していないことがわかる。そこで、送信側では新規のＣＷ１とＣＷ２を送信する。受信側において、ＣＷ１とＣＷ２の誤りを判定する。ここでは、ＣＷ１に誤りが発生している。
【００８３】
［スロット４］
受信側は、スロット３で送信されたＣＷ１のＮａｃｋと、ＣＷ２のＡｃｋと、上位ストリームのＣＱＩの絶対値とを、送信側に報告する。
【００８４】
［スロット５］
送信側は、スロット４でフィードバックされたＡｃｋ／Ｎａｃｋ情報から、スロット３で送信したＣＷ１に誤りが発生していることがわかる。そこで、送信側ではブランキングを行い、ＣＷ１を上位ストリームから再送する。ここで、再送方法としては、３ＧＰＰのＨＳＤＰＡ（High Speed Downlink Packet Access）で用いられている再送方法などがある。またこのとき、上位ストリームのＣＱＩがフィードバックされているので、ＣＱＩで示される受信品質に基づいて適応的に再送データを生成して送信してもよい。受信側において、スロット３で送信されたＣＷ１と再送されたＣＷ１とを合成して受信処理を行い、誤りを判定する。ここでは、ＣＷ１に誤りは発生していない。
【００８５】
［スロット６］
受信側は、スロット５で再送されたＣＷ１のＡｃｋと、上位ストリームのＣＱＩの相対値（差分情報）と、下位ストリームのＣＱＩの絶対値とを、送信側に報告する。
【００８６】
［スロット７］
スロット７以降では、スロット１からスロット６の処理と同様の処理を行う。
【００８７】
図１３の例の場合、送信されたＣＷに誤りが発生してＮａｃｋをフィードバックするスロットは、スロット４、８、１０である。この次のスロットであるスロット５、９、１１では、図１１の送信方法Ｂのようにブランキング送信を行い、Ｎａｃｋが発生したＣＷだけを上位ストリームから再送する。このブランキング送信時には、上位ストリームからだけ送信するので、下位ストリームのＣＱＩは必要ない。そこで、ブランキング送信される前のスロット（スロット４、８、１０）におけるＣＱＩフィードバックでは、上位ストリームのＣＱＩの絶対値のみを報告する。これにより、各スロットのＣＱＩのフィードバックビット数を増加させることなく、上位ストリームのＣＱＩの絶対値を、高い頻度で報告することができる。
【００８８】
なお、下位ストリームのＣＱＩのフィードバックとしては、図１３ようにＣＱＩを報告しない方法の他に、ビット数を減らした量子化粒度の粗い絶対値を報告する、下位ストリームの前回報告したＣＱＩに対する相対値（差分情報）を報告する、上位ストリームのＣＱＩの絶対値に対する下位ストリームのＣＱＩの相対値（差分情報）を報告する、などの方法がある。この場合、下位ストリームのＣＱＩの精度は低下するが、下位ストリームのおおよその受信品質を報告することができる。
【００８９】
また、下位ストリームに関するフィードバックとして、ＣＱＩを報告しない代わりに、他の情報を報告してもよい。例えば、Ｎａｃｋが発生したコードワードの誤り具合などを示す受信品質情報などを報告することなどが挙げられる。これにより、Ｎａｃｋが発生したコードワードの誤り具合を予想することができるので、再送時に確実な再送を行うことができる。
【００９０】
次に、第２の実施形態に係る無線通信装置の具体的な構成例を示す。図１４は第２の実施形態の受信装置の構成を示すブロック図である。受信装置１４００は、アンテナ５０１、５０２、ＭＩＭＯ受信部５０３、チャネル推定部５０４、受信品質推定部５０５、ストリームランキング部５０６、ランキング情報生成部５０７、Ｎａｃｋ検出部１４０８、ＣＱＩビット数配分決定部１４０９、フィードバックＣＱＩ情報生成部１４１０、フィードバック情報送信部１４１１を備えて構成される。ここでは、上述した第１の実施形態と異なる構成要素について説明し、第１の実施形態と同様の構成要素には同一符号を付して説明を省略する。
【００９１】
Ｎａｃｋ検出部１４０８は、受信した各コードワードの応答信号としてＭＩＭＯ受信部５０３で生成出力されるＡｃｋ／Ｎａｃｋ信号を基に、Ｎａｃｋが存在するかどうか、Ｎａｃｋの発生を検出する。すなわち、Ｎａｃｋ検出部１４０８は、ＭＩＭＯ受信部５０３における受信データの誤り判定結果に応じて、Ｎａｃｋ信号が出力されたかとか、受信データの誤り（受信失敗）が発生したかなどを検出する。ＣＱＩビット数配分決定部１４０９は、Ｎａｃｋ検出部１４０８における検出結果に応じて、受信品質推定部５０５で推定された受信品質を示す受信品質情報として、ＣＱＩをフィードバックする場合に、この受信品質情報のリソース配分として、ストリーム間のＣＱＩビット数の配分を決定する。本実施形態では、Ｎａｃｋが検出された場合には、上位ストリームのＣＱＩビット数の配分を多くし、Ｎａｃｋが検出されない場合には、上位ストリームのＣＱＩビット数の配分を少なくし、下位ストリームのＣＱＩビット数の配分を多くするように、ＣＱＩビット数の配分を決定する。
【００９２】
フィードバックＣＱＩ情報生成部１４１０は、ストリームランキング部５０６で決定された各ストリームのランキング順位に対して、ＣＱＩビット数配分決定部１４０９で決定されたＣＱＩビット数に応じて、受信品質推定部５０５で推定した各ストリームの受信品質からフィードバック用のＣＱＩ情報を生成する。
【００９３】
フィードバック情報送信部１４１１は、Ａｃｋ／Ｎａｃｋ情報、上記生成したＣＱＩ情報、ランキング情報を含むフィードバック情報として、送信装置へフィードバックするための送信処理を行う。
【００９４】
上記構成において、ＭＩＭＯ受信部５０３が応答信号生成部の機能を実現する。また、Ｎａｃｋ検出部１４０８及びＣＱＩビット数配分決定部１４０９がリソース配分制御部の機能を実現する。フィードバックＣＱＩ情報生成部１４１０が受信品質情報生成部の機能を実現する。
【００９５】
図１５は第２の実施形態の送信装置の構成を示すブロック図である。送信装置１５００は、送信信号生成部６０１、ＭＩＭＯ送信部６０２、アンテナ６０３、６０４、フィードバック情報受信部６０５、Ｎａｃｋ抽出部１５０６、ＣＱＩ情報抽出部６０７、ランキング情報抽出部６０８、ＣＱＩビット数配分決定部１５０９、ＣＱＩ再現部１５１０、適応制御部１５１１を備えて構成される。ここでは、上述した第１の実施形態と異なる構成要素について説明し、第１の実施形態と同様の構成要素には同一符号を付して説明を省略する。
【００９６】
Ｎａｃｋ抽出部１５０６は、受信装置からのフィードバック情報に含まれるＮａｃｋ情報を抽出する。ＣＱＩビット数配分決定部１５０９は、Ｎａｃｋ抽出部１５０６における抽出結果に応じて、受信装置１４００におけるＣＱＩビット数配分決定部１４０９と同様に、受信品質情報のリソース配分として、ストリーム間のＣＱＩビット数の配分を決定する。本実施形態では、ＣＱＩビット数配分決定部１５０９は、Ｎａｃｋ情報の有無とストリームのランキング順位によってＣＱＩビット数の配分を判定する。このとき、Ｎａｃｋが抽出された場合には上位ストリームのＣＱＩビット数の配分を多くし、Ｎａｃｋが抽出されない場合には上位ストリームのＣＱＩビット数の配分を少なくして下位ストリームのＣＱＩビット数の配分を多くするように、ＣＱＩビット数の配分を決定する。
【００９７】
ＣＱＩ再現部１５１０は、ＣＱＩ情報抽出部６０７で抽出したＣＱＩ情報と、ランキング情報抽出部６０８で抽出した各ストリームのランキング情報と、ＣＱＩビット数配分決定部１５０９で決定した各ストリームのＣＱＩビット配分とを用いて、各ストリームの受信品質を示すＣＱＩを再現する。適応制御部１５１１は、再現されたＣＱＩに基づいて、送信信号の変調方式や符号化率を制御する。また、受信装置からＮａｃｋ信号を受けた場合の再送時には、再送制御を行う。
【００９８】
上記構成において、Ｎａｃｋ抽出部１５０６が応答信号抽出部の機能を実現する。また、ＣＱＩビット数配分決定部１５０９がリソース配分判定部の機能を実現する。ＣＱＩ再現部１５１０が受信品質再現部の機能を実現する。
【００９９】
次に、第２の実施形態の無線通信装置における処理のシーケンスとフローについて説明する。図１６は第２の実施形態における処理シーケンスを示す図、図１７は第２の実施形態の受信装置の処理フローを示す図、図１８は第２の実施形態の送信装置の処理フローを示す図である。
【０１００】
図１６の処理シーケンスによって基本的な処理の流れを説明する。ここでは、本実施形態に関係のある情報だけを示している。また、時間スロットについて、連続的なスロット（Slot1、Slot2、Slot3）を示しているが、これに限定されるものではない。
【０１０１】
まず、スロット１（Slot1）において、送信装置１５００はパイロット信号とデータを送信し（Ｓ１６０１、Ｓ１６０２）、受信装置１４００はそれらを受信する。このとき、複数コードワード（ＭＣＷ）のデータを複数のストリームで送信する。受信装置１４００では、パイロット信号によってチャネル推定を行う（Ｓ１６０３）。また、受信データをＭＩＭＯ受信し（Ｓ１６０４）、コードワード毎に復号処理して（Ｓ１６０５）、誤り判定を行い、Ａｃｋ／Ｎａｃｋ情報を生成する（Ｓ１６０６）。そして、Ｎａｃｋ情報の検出を行い（Ｓ１６０７）、チャネル推定値とＡｃｋ／Ｎａｃｋ情報を用いて、各ストリームのランキング情報とＣＱＩ情報を生成する（Ｓ１６０８）。このとき、Ｎａｃｋの検出結果に基づいてＣＱＩ情報を生成する。
【０１０２】
スロット２（Slot2）では、スロット１において受信側において生成されたランキング情報とＣＱＩ情報、及びＡｃｋ／Ｎａｃｋ情報を、受信装置１４００は送信装置１５００にフィードバックする。送信装置１５００では、フィードバックされたＡｃｋ／Ｎａｃｋ情報とランキング情報とＣＱＩ情報から、各送信コードワードのＣＱＩを再現する（Ｓ１６０９）。このとき、Ｎａｃｋ情報の検出を行い（Ｓ１６１０）、Ｎａｃｋの検出結果に基づいてＣＱＩの再現や再送制御を行う。
【０１０３】
スロット３（Slot3）では、送信装置１５００において、スロット２で再現した各コードワードのＣＱＩに基づいて、送信データのＭＣＳの適応制御を行う（Ｓ１６１１）。この後、スロット１の処理を繰り返し、パイロット信号とデータを送信する（Ｓ１６１２、Ｓ１６１３）。このとき、スロット２でフィードバックされたＡｃｋ／Ｎａｃｋ情報において、Ｎａｃｋが検出された場合には、ブランキング送信を行う。
【０１０４】
続いて、図１７によって受信装置の処理フローを順に説明する。受信装置１４００では、図８に示した第１の実施形態のステップＳ８０１〜Ｓ８０４と同様に、ＭＩＭＯ受信部５０３において送信装置６００から送信された信号を受信し（Ｓ１７０１）、チャネル推定部５０４においてパイロット信号からチャネル推定を行い（Ｓ１７０２）、受信品質推定部５０５において、チャネル推定値を用いて各ストリームの受信品質を算出して推定し（Ｓ１７０３）、ストリームランキング部５０６において、各ストリームの受信品質を用いて各ストリームに順位をつけてランキング順位を決定する（Ｓ１７０４）。
【０１０５】
そして、Ｎａｃｋ検出部１４０８において、Ｎａｃｋを検出し（Ｓ１７０５）、Ｎａｃｋが発生しているかどうかを判定する（Ｓ１７０６）。このとき、Ｎａｃｋ検出部１４０８は、ＭＩＭＯ受信部５０３で受信処理を行った受信信号の誤り判定結果から、受信した複数コードワードの中に誤りが発生しているかどうかを判定する。
【０１０６】
ＣＱＩビット数配分決定部１４０９は、Ｎａｃｋ発生の有無に応じてストリーム間のＣＱＩビット数の配分を決定する。ここで、ステップＳ１７０６の判定でＮａｃｋがある場合には、上位ストリームに多くのＣＱＩビット数を配分するように決定する（Ｓ１７０７）。一方、ステップＳ１７０６の判定でＮａｃｋがない場合には、下位ストリームに多くのＣＱＩビット数を配分するように決定する（Ｓ１７０８）。
【０１０７】
次に、フィードバックＣＱＩ情報生成部１４１０において、ステップＳ１７０３で推定した各ストリームの受信品質と、ステップＳ１７０４で決定した各ストリームのランキング順位と、ステップＳ１７０７、Ｓ１７０８で決定した各ストリームのＣＱＩビット数に応じて、各ストリームのＣＱＩ情報を生成する（Ｓ１７０９）。そして、フィードバック情報送信部１４１１により、Ａｃｋ／Ｎａｃｋ情報、ＣＱＩ情報、ランキング情報を送信装置１５００にフィードバックする（Ｓ１７１０）。
【０１０８】
また、図１８によって送信装置の処理フローを順に説明する。送信装置１５００では、フィードバック情報受信部６０５により、受信装置１４００からのフィードバック情報を受信する（Ｓ１８０１）。そして、ステップＳ１８０１で受信した受信したフィードバック情報から、Ｎａｃｋ抽出部１５０６でＮａｃｋ情報を、ＣＱＩ情報抽出部６０７でＣＱＩ情報を、ランキング情報抽出部６０８でランキング情報をそれぞれ抽出する（Ｓ１８０２）。
【０１０９】
次に、ＣＱＩビット数配分決定部１５０９において、ステップＳ１８０２で抽出したＮａｃｋ情報においてＮａｃｋがあるかどうかを判定し（Ｓ１８０３）、Ｎａｃｋ抽出の有無に応じてストリーム間のＣＱＩビット数の配分を判定する。ここで、Ｎａｃｋがある場合には、上位ストリームに多くのＣＱＩビット数を配分するように決定する（Ｓ１８０４）。一方、Ｎａｃｋがない場合には、下位ストリームに多くのＣＱＩビット数を配分するように決定する（Ｓ１８０５）。そして、ＣＱＩ再現部１５１０において、ステップＳ１８０４、Ｓ１８０５で決定したＣＱＩビット数の配分に応じて、ステップＳ１８０２で抽出したＣＱＩ情報とランキング情報を用い、各ストリームのＣＱＩを再現する（Ｓ１８０６）。
【０１１０】
次に、適応制御部１５１１において、ステップＳ１８０６で再現した各ストリームのＣＱＩに基づいて、各ストリームで送信するコードワードの符号化率、変調方式を決定する。また、再送時には再送制御を行う（Ｓ１８０７）。そして、送信信号生成部６０１及びＭＩＭＯ送信部６０２により、ステップＳ１８０７で決定した、各コードワードの符号化率、変調方式により、送信信号を生成して、ＭＩＭＯ送信する（Ｓ１８０８）。
【０１１１】
このように、第２の実施形態によれば、Ｎａｃｋの発生の有無に応じてＣＱＩビット数配分を変更する構成を有し、Ｎａｃｋがある場合には上位ストリームに多くのＣＱＩビット数を配分し、Ｎａｃｋがない場合には下位ストリームに多くのＣＱＩビット数を配分することによって、ＣＱＩフィードバックの情報量を削減しつつ、ＣＱＩの誤差の発生を抑えることができる。これにより、複数のストリームを用いたＭＣＷのデータ伝送において、コードワードが増加しても、コードワード毎にフィードバックする際の情報量を削減でき、かつ、伝搬路状況の大きな変動に起因するフィードバックＣＱＩの誤差の発生を抑えることができるので、特性劣化を防止できる。また、ＣＱＩフィードバックにおける情報を圧縮することに起因するＣＱＩ誤差の発生に対して、高い頻度で本来必要とするＣＱＩを報告できるので、特性劣化を防げるといった効果もある。また、フィードバック情報を通知する逆回線における周波数利用効率の低下を防止することができる。
【０１１２】
（変形例１）
第２の実施形態の変形例（変形例１）として、４ストリーム送信時の例を示す。図１９は、４つのストリームにおいて４つのコードワードを送信する場合の誤り発生確率を示す図である。図１２に示した２つのコードワードの場合と同様に、ターゲットＰＥＲを２０％とした場合、４ストリーム（４コードワード）送信時における、誤りが発生する確率は、１つ以上のコードワードがＮａｃｋとなる確率を加算した約５９％となる。また、誤りが発生する場合、４つのコードワード中で同時に３つもしくは全てにおいて誤りが発生する確率は低く、１つもしくは２つのコードワードにおいて誤りが発生する確率が、約５９％中の約５６％と支配的である。このことから、４ストリーム（４コードワード）送信時におけるブランキングでは、最大２コードワード送信が適当であると考える。これにより、フィードバックＣＱＩを上位２ストリームと下位２ストリームとで分けて考えることができる。
【０１１３】
上記のように、４ストリーム（４コードワード）送信時には、同時に誤りが発生して再送が必要となるコードワード数として、最大２コードワードを確保しておくことが望ましい。そこで、この変形例１では、ブランキング時における最大送信コードワード数を２として、上位ストリームには上位の２ストリームを適用し、下位ストリームには下位の２ストリームを適用することで、４ストリーム送信の場合に適用する。
【０１１４】
すなわち、変形例１では、Ｎａｃｋが発生してブランキング送信される前に通知するＣＱＩフィードバックにおいて、上位２ストリームと下位２ストリーム間のＣＱＩのビット配分を変えて、上位２ストリームのＣＱＩの絶対値（５ビット）を報告する。これにより、フィードバックビット数を増加させることなく、上位ストリームのＣＱＩの絶対値を報告することができる。
【０１１５】
次に、第２の実施形態の変形例におけるＣＱＩビット数の配分の具体的な方法を例示する。図２０は、第２の実施形態の変形例における４ストリーム送信時のＣＱＩのフィードバックビット数の例を示す図である。図２０において、各項目の内容は図１３に示したものと同様である。
【０１１６】
図２０の例では、送信されたＣＷに誤りが発生してＮａｃｋをフィードバックするスロットは、スロット４、８、１０である。この次のスロットであるスロット５、９、１１では、図１１の送信方法Ｂと同様にブランキング送信を行い、Ｎａｃｋが発生したＣＷだけを上位２ストリームから再送する。このブランキング送信時には、最大上位２ストリームから送信するので、下位２ストリームのＣＱＩは必要ない。そこで、ブランキング送信される前のスロット（スロット４、８、１０）におけるＣＱＩフィードバックでは、上位２ストリームのＣＱＩの絶対値のみを報告する。これにより、各スロットのＣＱＩフィードバックビット数を増加させることなく、上位ストリームのＣＱＩの絶対値を、高い頻度で報告することができる。
【０１１７】
この場合、ランキング情報は、上位２ストリームだけが分かればよいので、１２通りを通知できる４ビットあればよい。また、上位２ストリームと下位２ストリームを分けるだけなら、ランキング情報は６通りの３ビットあればよい。
【０１１８】
なお、装置構成や処理動作については、送信装置及び受信装置におけるアンテナ数が４本以上になること、処理フローにおける上位ストリームと下位ストリームが、上位２ストリームと下位２ストリームになる以外は、上述した第２の実施形態のブロック図及び処理フローと同じである。
【０１１９】
このように、変形例１のような４ストリーム（４コードワード）送信時においても、第２の実施形態と同様の効果を得ることができる。
【０１２０】
（第３の実施形態）
第３の実施形態は、上述した第２の実施形態の一部を変更した例である。第２の実施形態と異なる点は、上位ストリームで送信したコードワードにおいてＮａｃｋが発生した場合にだけ、ストリーム間のＣＱＩビット数の配分を変えることである。
【０１２１】
上位ストリームにおいて誤りが発生した場合には、図１０で示したＣＱＩ誤差発生の現象が上位ストリームにおいて発生している可能性がある。しかし、下位ストリームでは、ＣＱＩの絶対値をフィードバックしているので、図１０で示した現象は発生しない。すなわち、上位ストリームでは誤りが発生せずに、下位ストリームだけで誤りが発生している場合では、上位ストリームのＣＱＩ情報の信頼性は高いといえる。この場合、上位ストリームのＣＱＩ情報として、あえて絶対値を送信しなくても良いと考えられる。このように下位ストリームだけで誤りが発生した場合は、ＣＱＩビット数の配分を変更せず、上位ストリームについてはＣＱＩの相対値を通知することで、ＣＱＩフィードバック時のビット数をさらに削減することができる。
【０１２２】
上記のように、第３の実施形態では、上位ストリームにおいてＮａｃｋが発生してブランキング送信される前に通知するＣＱＩフィードバックにおいて、ストリーム間のＣＱＩのビット配分を変えて、上位ストリームのＣＱＩの絶対値（５ビット）を報告する。一方、下位ストリームのみでＮａｃｋが発生してブランキング送信される前に通知するＣＱＩフィードバックにおいては、上位ストリームのＣＱＩは相対値（２ビット）を報告し、下位ストリームは報告しないようにする。これにより、フィードバックビット数を増加させることなく、上位ストリームのＣＱＩの絶対値を報告することができる。
【０１２３】
次に、第３の実施形態におけるＣＱＩビット数の配分の具体的な方法を例示する。図２１は、第３の実施形態におけるＣＱＩのフィードバックビット数の例を示す図である。図２１において、各項目の内容は図１３に示したものと同様である。
【０１２４】
図２１の例では、送信されたＣＷに誤りが発生してＮａｃｋをフィードバックするスロットは、スロット４、８、１０である。スロット４と１０でフィードバックされるＮａｃｋは、上位ストリームにおいて送信されたＣＷに対するものである。一方、スロット８でフィードバックされるＮａｃｋは、下位ストリームにおいて送信されたＣＷに対するものである。
【０１２５】
スロット４や１０のように、上位ストリームで誤りが発生した場合は、ＣＱＩの誤差により誤りが発生した可能性があるので、上位ストリームのＣＱＩの信頼性を改善するために、ＣＱＩの絶対値を報告する。そして、次のスロットであるスロット５、１１では、図１１の送信方法Ｂと同様にブランキング送信を行い、Ｎａｃｋが発生したＣＷだけを上位ストリームから再送する。また、スロット８のように、下位ストリームで誤りが発生しているが上位ストリームにおいては誤りが発生していない場合には、上位ストリームのＣＱＩの信頼性は高いので、上位ストリームのＣＱＩは相対値（差分情報）を報告する。そして、次のスロットであるスロット９では、同様にブランキング送信を行い、Ｎａｃｋが発生したＣＷだけを上位ストリームから再送する。これにより、各スロットのＣＱＩのフィードバックビット数を増加させることなく、上位ストリームのＣＱＩの絶対値を、高い頻度で報告することができる。
【０１２６】
次に、第３の実施形態に係る無線通信装置の具体的な構成例を示す。図２２は第３の実施形態の受信装置の構成を示すブロック図である。受信装置２２００は、アンテナ５０１、５０２、ＭＩＭＯ受信部５０３、チャネル推定部５０４、受信品質推定部５０５、ストリームランキング部５０６、ランキング情報生成部５０７、ＣＷ順位別Ｎａｃｋ検出部２２０８、ＣＱＩビット数配分決定部２２０９、フィードバックＣＱＩ情報生成部２２１０、フィードバック情報送信部２２１１を備えて構成される。ここでは、上述した第１及び第２の実施形態と異なる構成要素について説明し、第１及び第２の実施形態と同様の構成要素には同一符号を付して説明を省略する。
【０１２７】
第３の実施形態の受信装置２２００において、図１４に示した第２の実施形態と異なる部分は、Ｎａｃｋ検出部１４０８の代わりにＣＷ順位別Ｎａｃｋ検出部２２０８を設けたことである。ＣＷ順位別Ｎａｃｋ検出部２２０８は、受信した各コードワードのＡｃｋ／Ｎａｃｋ情報から、ＣＷの順位別にＮａｃｋが存在するかどうかを検出する。
【０１２８】
ＣＱＩビット数配分決定部２２０９は、ＣＷ順位別Ｎａｃｋ検出部２２０８における検出結果に応じて、ストリーム間のＣＱＩビット数の配分を決定する。本実施形態では、上位ストリームで送信したコードワードにＮａｃｋが発生した場合には、上位ストリームのＣＱＩビット数の配分を多くする。また、上位ストリームで送信したコードワードはＡｃｋであるが下位ストリームで送信したコードワードにＮａｃｋが発生した場合には、上位ストリームのＣＱＩビット数の配分を少なくする。また、Ｎａｃｋが検出されない場合には、上位ストリームのＣＱＩビット数の配分を少なくし、下位ストリームのＣＱＩビット数の配分を多くする。
【０１２９】
フィードバックＣＱＩ情報生成部２２１０は、ストリームランキング部５０６で決定された各ストリームのランキング順位に対して、ＣＱＩビット数配分決定部２２０９で決定されたＣＱＩビット数に応じて、受信品質推定部５０５で推定した各ストリームの受信品質からフィードバック用のＣＱＩ情報を生成する。フィードバック情報送信部２２１１は、Ａｃｋ／Ｎａｃｋ情報、上記生成したＣＱＩ情報、ランキング情報を含むフィードバック情報として、送信装置へフィードバックするための送信処理を行う。
【０１３０】
図２３は第３の実施形態の送信装置の構成を示すブロック図である。送信装置２３００は、送信信号生成部６０１、ＭＩＭＯ送信部６０２、アンテナ６０３、６０４、フィードバック情報受信部６０５、ＣＷ順位別Ｎａｃｋ抽出部２３０６、ＣＱＩ情報抽出部６０７、ランキング情報抽出部６０８、ＣＱＩビット数配分決定部２３０９、ＣＱＩ再現部２３１０、適応制御部２３１１を備えて構成される。ここでは、上述した第１及び第２の実施形態と異なる構成要素について説明し、第１及び第２の実施形態と同様の構成要素には同一符号を付して説明を省略する。
【０１３１】
第３の実施形態の送信装置２３００において、図１５に示した第２の実施形態と異なる部分は、Ｎａｃｋ抽出部１５０６の代わりにＣＷ順位別Ｎａｃｋ抽出部２３０６を設けたことである。ＣＷ順位別Ｎａｃｋ抽出部２３０６は、受信装置からのフィードバック情報に含まれるＡｃｋ／Ｎａｃｋ情報から、ＣＷの順位別にＮａｃｋが存在するかどうかを判定して抽出する。
【０１３２】
ＣＱＩビット数配分決定部２３０９は、ＣＷ順位別Ｎａｃｋ抽出部２３０６における抽出結果に応じて、受信装置２２００におけるＣＱＩビット数配分決定部２２０９と同様に、ストリーム間のＣＱＩビット数の配分を決定する。本実施形態では、ＣＱＩビット数配分決定部２３０９は、ＣＷ順位別のＮａｃｋ情報の有無とストリームのランキング順位によってＣＱＩビット数の配分を判定する。ここで、上位ストリームで送信したコードワードにおいてＮａｃｋが抽出された場合には上位ストリームのＣＱＩビット数の配分を多くし、上位ストリームで送信したコードワードはＡｃｋであり下位ストリームで送信したコードワードにおいてＮａｃｋが抽出された場合には上位ストリームのＣＱＩビット数の配分を少なくし、また、Ｎａｃｋが抽出されない場合には上位ストリームのＣＱＩビット数の配分を少なくして下位ストリームのＣＱＩビット数の配分を多くする。
【０１３３】
ＣＱＩ再現部２３１０は、ＣＱＩ情報抽出部６０７で抽出したＣＱＩ情報と、ランキング情報抽出部６０８で抽出した各ストリームのランキング情報と、ＣＱＩビット数配分決定部２３０９で決定した各ストリームのＣＱＩビット配分とを用いて、各ストリームの受信品質を示すＣＱＩを再現する。適応制御部２３１１は、再現されたＣＱＩに基づいて、送信信号の変調方式や符号化率を制御する。また、受信装置からＮａｃｋ信号を受けた場合の再送時には、再送制御を行う。
【０１３４】
次に、第３の実施形態の無線通信装置における処理フローについて説明する。図２４は第３の実施形態の受信装置の処理フローを示す図、図２５は第３の実施形態の送信装置の処理フローを示す図である。
【０１３５】
図２４に示した受信装置の処理フローにおいて、第２の実施形態と異なる部分は、ＣＷ順位別Ｎａｃｋ検出部２２０８とＣＱＩビット数配分決定部２２０９における処理にある。受信装置２２００では、図１７に示した第２の実施形態のステップＳ１７０１〜Ｓ１７０４と同様に、ＭＩＭＯ受信部５０３において送信装置２３００から送信された信号を受信し（Ｓ２４０１）、チャネル推定部５０４においてパイロット信号からチャネル推定を行い（Ｓ２４０２）、受信品質推定部５０５において、チャネル推定値を用いて各ストリームの受信品質を算出して推定し（Ｓ２４０３）、ストリームランキング部５０６において、各ストリームの受信品質を用いて各ストリームに順位をつけてランキング順位を決定する（Ｓ２４０４）。
【０１３６】
そして、ＣＷ順位別Ｎａｃｋ検出部２２０８において、ＣＷ順位別にＮａｃｋを検出し（Ｓ２４０５）、各コードワードが送信されたストリームのランキング順位毎にＮａｃｋが発生しているかどうかを判定する（Ｓ２４０６）。このとき、ＣＷ順位別Ｎａｃｋ検出部２２０８は、ＭＩＭＯ受信部５０３で受信処理を行った受信信号の誤り判定結果から、受信した複数コードワードの中で上位コードワードと下位コードワードのいずれかに誤りが発生しているかどうかを判定する。
【０１３７】
ＣＱＩビット数配分決定部２２０９は、ＣＷ順位別のＮａｃｋ発生の有無に応じてストリーム間のＣＱＩビット数の配分を決定する。ここで、ステップＳ２４０６の判定でＮａｃｋがある場合には、上位コードワードでＮａｃｋがあるかどうかを判定し（Ｓ２４０７）、上位ストリームで送信したコードワードにおいてＮａｃｋがある場合には、上位ストリームに多くのＣＱＩビット数を配分するように決定する（Ｓ２４０８）。また、上位ストリームで送信したコードワードではＡｃｋであるが下位ストリームで送信したコードワードにおいてＮａｃｋがある場合には、上位ストリームに少ないＣＱＩビット数を配分するように決定する（Ｓ２４０９）。一方、ステップＳ２４０６の判定でＮａｃｋがない場合には、下位ストリームに多くのＣＱＩビット数を配分するように決定する（Ｓ２４１０）。
【０１３８】
次に、フィードバックＣＱＩ情報生成部２２１０において、ステップＳ２４０３で推定した各ストリームの受信品質と、ステップＳ２４０４で決定した各ストリームのランキング順位と、ステップＳ２４０８、Ｓ２４０９、Ｓ２４１０で決定した各ストリームのＣＱＩビット数に応じて、各ストリームのＣＱＩ情報を生成する（Ｓ２４１１）。そして、フィードバック情報送信部２２１１により、Ａｃｋ／Ｎａｃｋ情報、ＣＱＩ情報、ランキング情報を送信装置２３００にフィードバックする（Ｓ１７１０）。
【０１３９】
また、図２５に示した送信装置の処理フローにおいて、第２の実施形態と異なる部分は、ＣＷ順位別Ｎａｃｋ抽出部２３０６とＣＱＩビット数配分決定部２３０９における処理にある。送信装置２３００では、フィードバック情報受信部６０５により、受信装置２２００からのフィードバック情報を受信する（Ｓ２５０１）。そして、ステップＳ２５０１で受信した受信したフィードバック情報から、ＣＱＩ情報抽出部６０７でＣＱＩ情報を、ランキング情報抽出部６０８でランキング情報をそれぞれ抽出する（Ｓ２５０２）。
【０１４０】
また、ＣＷ順位別Ｎａｃｋ抽出部２３０６において、ステップＳ２５０１で受信した受信したフィードバック情報から、ＣＷ順位別にＮａｃｋ情報を抽出する。このとき、ＣＷ順位別Ｎａｃｋ抽出部２３０６は、各コードワードが送信されたストリームのランキング順位毎に、上位コードワードと下位コードワードのいずれかでＮａｃｋが抽出されたかどうかを判定する。
【０１４１】
次に、ＣＱＩビット数配分決定部２３０９において、ステップＳ２５０３で抽出したＮａｃｋ情報においてＮａｃｋがあるかどうかを判定し（Ｓ２５０４）、Ｎａｃｋ抽出の有無に応じてストリーム間のＣＱＩビット数の配分を判定する。ここで、Ｎａｃｋがある場合には、上位コードワードでＮａｃｋがあるかどうかを判定し（Ｓ２５０５）、上位ストリームで送信したコードワードにおいてＮａｃｋがある場合には、上位ストリームに多くのＣＱＩビット数を配分するように決定する（Ｓ２５０６）。また、上位ストリームで送信したコードワードではＡｃｋであるが下位ストリームで送信したコードワードにおいてＮａｃｋがある場合には、上位ストリームに少ないＣＱＩビット数を配分するように決定する（Ｓ２５０７）。一方、Ｎａｃｋがない場合には、下位ストリームに多くのＣＱＩビット数を配分するように決定する（Ｓ２５０８）。
【０１４２】
そして、ＣＱＩ再現部２３１０において、ステップＳ２５０６、Ｓ２５０７、Ｓ２５０８で決定したＣＱＩビット数の配分に応じて、ステップＳ２５０２で抽出したＣＱＩ情報とランキング情報を用い、各ストリームのＣＱＩを再現する（Ｓ２５０９）。次に、適応制御部２３１１において、ステップＳ２５０９で再現した各ストリームのＣＱＩに基づいて、各ストリームで送信するコードワードの符号化率、変調方式を決定する。また、再送時には再送制御を行う（Ｓ２５１０）。そして、送信信号生成部６０１及びＭＩＭＯ送信部６０２により、ステップＳ２５１０で決定した、各コードワードの符号化率、変調方式により、送信信号を生成して、ＭＩＭＯ送信する（Ｓ２５１１）。
【０１４３】
このように、第３の実施形態によれば、ＣＷ順位別にＮａｃｋの発生の有無に応じてＣＱＩビット数配分を変更し、上位ストリームで送信したコードワードにＮａｃｋがある場合には上位ストリームに多くのＣＱＩビット数を配分し、上位ストリームで送信したコードワードはＡｃｋで下位ストリームで送信したコードワードにおいてＮａｃｋがある場合には上位ストリームに少ないＣＱＩビット数を配分し、Ｎａｃｋがない場合には下位ストリームに多くのＣＱＩビット数を配分することによって、第２の実施形態の効果に加えて、ＣＱＩフィードバックの情報量をさらに削減することができる。
【０１４４】
（変形例２）
第３の実施形態の変形例（変形例２）として、下位ストリームだけで誤りが発生している場合における他のフィードバック情報の例を示す。
【０１４５】
上述した第３の実施形態では、上位ストリームで送信したコードワードはＡｃｋで、下位ストリームで送信したコードワードにＮａｃｋが発生した場合に、上位ストリームのＣＱＩを少ないビットでフィードバックし、下位ストリームのＣＱＩはフィードバックしないようにしている。この際、上位ストリームのＣＱＩを少ないビットでフィードバックするので、フィードバック情報におけるビット数は大きく削減できている。そこで、この変形例２では、削減されたフィードバックビットを使って、下位ストリームにおけるチャネル状況など、下位ストリームにおいて発生した誤りに関する誤り具合を示す情報を追加して報告する。
【０１４６】
この変形例２の場合のように、Ｎａｃｋとなったコードワードのチャネル状況などの誤り具合が分かれば、再送時にどの程度の再送データで誤りを改善できるかが分かるようになる。これにより、必要以上の再送データを送信することなく、新規にデータを追加することでスループットを改善することができる。
【０１４７】
（第４の実施形態）
第４の実施形態は、上述した第２の実施形態の一部を変更した例である。第２の実施形態と異なる点は、ストリームのランキング順位が変わったときに、ストリーム間のＣＱＩビット数の配分を変えることである。
【０１４８】
複数ストリームで送信する際に、ストリームのランキング順位が変わったときには、ストリーム間の品質差が近く、各ストリームの時間当たりの変化量は同程度となる。図２６はストリームのランキング順位が変わったときの様子を示す図である。図２６において、上位ストリームを太い破線で示している。スロット１（Slot1）では、上位ストリームはストリーム２で、下位ストリームはストリーム１である。そして、スロット２（Slot2）では、上位ストリームはストリーム１で、下位ストリームはストリーム２である。このように、スロット間で、ストリームのランキング順位が変わる場合がある。
【０１４９】
このとき、上位ストリームと下位ストリームの受信品質は近く、各ストリームの時間変化に対する受信品質の変化量は同程度となり、上位ストリームと下位ストリーム共に受信品質の変動量が小さい。このため、ダイナミックレンジが狭い相対値でＣＱＩを表現しても十分であるといえる。これにより、下位ストリームのＣＱＩに対してフィードバックビット数をさらに削減することができる。
【０１５０】
したがって、第４の実施形態では、上記の点に着目し、ストリームのランキング順位が変わったときには、上位ストリームと下位ストリームに同等のビット数を配分して、各ストリームで相対値（差分情報）のＣＱＩをフィードバックする。
【０１５１】
次に、第４の実施形態におけるＣＱＩビット数の配分の具体的な方法を例示する。図２７は、第４の実施形態におけるＣＱＩのフィードバックビット数の例を示す図である。図２７において、各項目の内容で図１３と異なる点は、Ａｃｋ／Ｎａｃｋの代わりにランキング順位が示されている。その他は図１３に示したものと同様である。
【０１５２】
図２７の例では、ランキング順位が前回のランキング順位から変化しているスロットは、スロット４、８、１０である。これらのスロットでは、各ストリームにおいて、図２６のような状況が発生していることから、上位ストリームと下位ストリーム共にＣＱＩの相対値（２ビット）を報告する。これにより、スロット４、８、１０において、フィードバックビット数を削減することができる。なお、ランキング順位が変化しないスロットにおいては、上位ストリームはＣＱＩの相対値（２ビット）を報告し、下位ストリームはＣＱＩの絶対値（５ビット）を報告する。
【０１５３】
次に、第４の実施形態に係る無線通信装置の具体的な構成例を示す。図２８は第４の実施形態の受信装置の構成を示すブロック図である。受信装置２８００は、アンテナ５０１、５０２、ＭＩＭＯ受信部５０３、チャネル推定部５０４、受信品質推定部５０５、ストリームランキング部５０６、ランキング情報生成部５０７、ストリーム順位変化検出部２８０８、ＣＱＩビット数配分決定部２８０９、フィードバックＣＱＩ情報生成部２８１０、フィードバック情報送信部２８１１を備えて構成される。ここでは、上述した第１及び第２の実施形態と異なる構成要素について説明し、第１及び第２の実施形態と同様の構成要素には同一符号を付して説明を省略する。
【０１５４】
第４の実施形態の受信装置２８００において、図１４に示した第２の実施形態と異なる部分は、Ｎａｃｋ検出部１４０８の代わりにストリーム順位変化検出部２８０８を設けたことである。ストリーム順位変化検出部２８０８は、ストリームランキング部５０６による各ストリームのランキング順位から、前回報告時（前回のスロット）に対して、ストリームのランキング順位に変化が発生しているかどうかを検出する。
【０１５５】
ＣＱＩビット数配分決定部２８０９は、ストリーム順位変化検出部２８０８における検出結果に応じて、ストリーム間のＣＱＩビット数の配分を決定する。本実施形態では、ストリーム順位に変化が発生している場合には、上位ストリームと下位ストリームのＣＱＩに対して同等に少ないビット数を配分する。また、ストリーム順位に変化が発生していない場合には、上位ストリームのＣＱＩビット数を少なくし、下位ストリームのＣＱＩビット数を多くするように配分する。
【０１５６】
フィードバックＣＱＩ情報生成部２８１０は、ストリームランキング部５０６で決定された各ストリームのランキング順位に対して、ＣＱＩビット数配分決定部２８０９で決定されたＣＱＩビット数に応じて、受信品質推定部５０５で推定した各ストリームの受信品質からフィードバック用のＣＱＩ情報を生成する。フィードバック情報送信部２８１１は、Ａｃｋ／Ｎａｃｋ情報、上記生成したＣＱＩ情報、ランキング情報を含むフィードバック情報として、送信装置へフィードバックするための送信処理を行う。
【０１５７】
図２９は第４の実施形態の送信装置の構成を示すブロック図である。送信装置２９００は、送信信号生成部６０１、ＭＩＭＯ送信部６０２、アンテナ６０３、６０４、フィードバック情報受信部６０５、ＣＱＩ情報抽出部６０７、ランキング情報抽出部６０８、ストリーム順位変化検出部２９０６、ＣＱＩビット数配分決定部２９０９、ＣＱＩ再現部２９１０、適応制御部２９１１を備えて構成される。ここでは、上述した第１及び第２の実施形態と異なる構成要素について説明し、第１及び第２の実施形態と同様の構成要素には同一符号を付して説明を省略する。
【０１５８】
第４の実施形態の送信装置２９００において、図１５に示した第２の実施形態と異なる部分は、Ｎａｃｋ抽出部１５０６の代わりにストリーム順位変化検出部２９０６を設けたことである。ストリーム順位変化検出部２９０６は、ランキング情報抽出部６０８で抽出したランキング情報を用いて、前回報告受信時（前回のスロット）に対して、ストリームのランキング順位に変化が発生しているかどうかを検出する。
【０１５９】
ＣＱＩビット数配分決定部２９０９は、ストリーム順位変化検出部２９０６における検出結果に応じて、受信装置２８００におけるＣＱＩビット数配分決定部２８０９と同様に、ストリーム間のＣＱＩビット数の配分を決定する。本実施形態では、ＣＱＩビット数配分決定部２９０９は、ストリームのランキング順位変化の有無によってＣＱＩビット数の配分を判定する。ここで、ストリーム順位に変化が発生している場合には上位ストリームと下位ストリームのＣＱＩに対して同等に少ないビット数を配分し、また、ストリーム順位に変化が発生していない場合には上位ストリームのＣＱＩビット数の配分を少なくして下位ストリームのＣＱＩビット数の配分を多くする。
【０１６０】
ＣＱＩ再現部２９１０は、ＣＱＩ情報抽出部６０７で抽出したＣＱＩ情報と、ランキング情報抽出部６０８で抽出した各ストリームのランキング情報と、ＣＱＩビット数配分決定部２９０９で決定した各ストリームのＣＱＩビット配分とを用いて、各ストリームの受信品質を示すＣＱＩを再現する。適応制御部２９１１は、再現されたＣＱＩに基づいて、送信信号の変調方式や符号化率を制御する。また、受信装置からＮａｃｋ信号を受けた場合の再送時には、再送制御を行う。
【０１６１】
次に、第４の実施形態の無線通信装置における処理フローについて説明する。図３０は第４の実施形態の受信装置の処理フローを示す図、図３１は第４の実施形態の送信装置の処理フローを示す図である。
【０１６２】
図３０に示した受信装置の処理フローにおいて、第２の実施形態と異なる部分は、ストリーム順位変化検出部２８０８とＣＱＩビット数配分決定部２８０９における処理にある。受信装置２８００では、図１７に示した第２の実施形態のステップＳ１７０１〜Ｓ１７０４と同様に、ＭＩＭＯ受信部５０３において送信装置２９００から送信された信号を受信し（Ｓ３００１）、チャネル推定部５０４においてパイロット信号からチャネル推定を行い（Ｓ３００２）、受信品質推定部５０５において、チャネル推定値を用いて各ストリームの受信品質を算出して推定し（Ｓ３００３）、ストリームランキング部５０６において、各ストリームの受信品質を用いて各ストリームに順位をつけてランキング順位を決定する（Ｓ３００４）。
【０１６３】
そして、ストリーム順位変化検出部２８０８において、ステップＳ３００４で決定した各ストリームのランキング順位を用いて、前回報告したストリームのランキング順位に対して、変化が発生しているかどうかを検出する（Ｓ３００５）。
【０１６４】
ＣＱＩビット数配分決定部２８０９は、ストリームの順位変化発生の有無に応じてストリーム間のＣＱＩビット数の配分を決定する。ここで、ステップＳ３００５の判定でストリーム順位に変化が発生したことが検出された場合は、上位ストリームと下位ストリームに対して同等のＣＱＩビット数を配分するように決定する（Ｓ３００６）。一方、ステップＳ３００５の判定でストリーム順位の変化の発生が検出されない場合には、上位ストリームに少ないＣＱＩビット数を配分し、下位ストリームに多くのＣＱＩビット数を配分するように決定する（Ｓ３００７）。
【０１６５】
次に、フィードバックＣＱＩ情報生成部２８１０において、ステップＳ３００３で推定した各ストリームの受信品質と、ステップＳ３００４で決定した各ストリームのランキング順位と、ステップＳ３００６、Ｓ３００７で決定した各ストリームのＣＱＩビット数に応じて、各ストリームのＣＱＩ情報を生成する（Ｓ３００８）。そして、フィードバック情報送信部２８１１により、Ａｃｋ／Ｎａｃｋ情報、ＣＱＩ情報、ランキング情報を送信装置２９００にフィードバックする（Ｓ３００９）。
【０１６６】
また、図３１に示した送信装置の処理フローにおいて、第２の実施形態と異なる部分は、ストリーム順位変化検出部２９０６とＣＱＩビット数配分決定部２９０９における処理にある。送信装置２９００では、フィードバック情報受信部６０５により、受信装置２８００からのフィードバック情報を受信する（Ｓ３１０１）。そして、ステップＳ３１０１で受信した受信したフィードバック情報から、ＣＱＩ情報抽出部６０７でＣＱＩ情報を、ランキング情報抽出部６０８でランキング情報をそれぞれ抽出する（Ｓ３１０２）。
【０１６７】
また、ストリーム順位変化検出部２９０６において、Ｓ３１０２で抽出したランキング情報から、前回報告されたストリームのランキング順位に対して、変化が発生しているかどうかを判定し（Ｓ３１０３）、ストリーム順位に変化が発生したことを検出する。そして、ＣＱＩビット数配分決定部２９０９において、ストリームの順位変化発生の有無に応じてストリーム間のＣＱＩビット数の配分を決定する。ここで、ＣＱＩビット数配分決定部２９０９は、ストリーム順位に変化が発生した場合には、上位ストリームと下位ストリームに対して同等のＣＱＩビット数を配分するように決定する（Ｓ３１０４）。一方、ストリーム順位に変化が発生していない場合には、上位ストリームに少ないＣＱＩビット数を配分し、下位ストリームに多くのＣＱＩビット数を配分するように決定する（Ｓ３１０５）。
【０１６８】
そして、ＣＱＩ再現部２９１０において、ステップＳ３１０４、Ｓ３１０５で決定したＣＱＩビット数の配分に応じて、ステップＳ３１０２で抽出したＣＱＩ情報とランキング情報を用い、各ストリームのＣＱＩを再現する（Ｓ３１０６）。次に、適応制御部２９１１において、ステップＳ３１０６で再現した各ストリームのＣＱＩに基づいて、各ストリームで送信するコードワードの符号化率、変調方式を決定する。また、再送時には再送制御を行う（Ｓ３１０７）。そして、送信信号生成部６０１及びＭＩＭＯ送信部６０２により、ステップＳ３１０７で決定した、各コードワードの符号化率、変調方式により、送信信号を生成して、ＭＩＭＯ送信する（Ｓ３１０８）。
【０１６９】
このように、第４の実施形態によれば、ストリームのランキング順位に変化があった場合にＣＱＩビット数配分を変更し、上位ストリームと下位ストリームに同等に少ないＣＱＩビット数を配分することによって、第２の実施形態と同様に、コードワードが増加しても、コードワード毎にフィードバックする際の情報量を削減できる。
【０１７０】
なお、本発明は上記の実施形態において示されたものに限定されるものではなく、明細書の記載、並びに周知の技術に基づいて、当業者が変更、応用することも本発明の予定するところであり、保護を求める範囲に含まれる。
【０１７１】
複数のストリームやコードワードの数は２つ、４つの場合を例示したが、これに限らず、いずれの数であっても適用可能である。
【０１７２】
上記各実施の形態では、本発明をハードウェアで構成する場合を例にとって説明したが、本発明はソフトウェアで実現することも可能である。
【０１７３】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１７４】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１７５】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。
【０１７６】
本出願は、２００７年８月１５日出願の日本特許出願（特願２００７−２１１８９４）、に基づくものであり、その内容はここに参照として取り込まれる。
【産業上の利用可能性】
【０１７７】
本発明は、ＭＣＷなどの複数のストリームを用いたデータ伝送においてストリーム毎にフィードバックする際の情報量を削減しつつ、フィードバック情報の誤差を抑制することが可能となる効果を有し、複数のアンテナを使用して通信を行うＭＩＭＯ等に適用可能な無線通信装置、無線通信システム及び無線通信方法等として有用である。
【符号の説明】
【０１７８】
５００、１４００、２２００、２８００  受信装置
５０１、５０２  アンテナ
５０３  ＭＩＭＯ受信部
５０４  チャネル推定部
５０５  受信品質推定部
５０６  ストリームランキング部
５０７  ランキング情報生成部
５０９、１４０９、２２０９、２８０９  ＣＱＩビット数配分決定部
５１０、１４１０、２２１０、２８１０  フィードバックＣＱＩ情報生成部
５１１、１４１１、２２１１、２８１１  フィードバック情報送信部
１４０８  Ｎａｃｋ検出部
２２０８  ＣＷ順位別Ｎａｃｋ検出部
２８０８  ストリーム順位変化検出部
６００、１５００、２３００、２９００  送信装置
６０１  送信信号生成部
６０２  ＭＩＭＯ送信部
６０３、６０４  アンテナ
６０５  フィードバック情報受信部
６０７  ＣＱＩ情報抽出部
６０８  ランキング情報抽出部
６０９、１５０９、２３０９、２９０９  ＣＱＩビット数配分決定部
６１０、１５１０、２３１０、２９１０  ＣＱＩ再現部
６１１、１５１１、２３１１、２９１１  適応制御部
１５０６  Ｎａｃｋ抽出部
２３０６  ＣＷ順位別Ｎａｃｋ抽出部
２９０６  ストリーム順位変化検出部
【手続補正２】
【補正対象書類名】特許請求の範囲
【補正対象項目名】全文
【補正方法】変更
【補正の内容】
【特許請求の範囲】
【請求項１】
複数のストリームにおいて複数のコードワードによるデータ伝送を行い、前記コードワードの再送時には通信相手局との間で前記複数のストリームのうちの受信品質の良好な上位ストリームのみで再送がなされるブランキング（Blanking）送信が行われる無線通信装置であって、
前記複数のストリームにより通信相手局から送信されたコードワードの受信結果に対応する応答信号を生成する応答信号生成部と、
前記複数のストリームの各ストリームの受信品質を示す受信品質情報を生成する受信品質情報生成部と、
前記応答信号としてＮａｃｋ信号の有無に応じて、前記複数のストリーム間の受信品質情報のリソース配分を変更するリソース配分制御部と、
前記応答信号及び前記受信品質情報を含むフィードバック情報を前記通信相手局へ送信するフィードバック情報送信部と、
を備える無線通信装置。
【請求項２】
請求項１に記載の無線通信装置であって、
前記リソース配分制御部は、前記Ｎａｃｋ信号を検出しない場合には、前記ブランキング送信が実施されない送信の前に通知する受信品質情報において、前記複数のストリームのうちの上位ストリームのリソースを少なくしたリソース配分とする無線通信装置。
【請求項３】
請求項１に記載の無線通信装置であって、
前記リソース配分制御部は、前記Ｎａｃｋ信号を検出した場合は、前記ブランキング送信が実施される送信の前に通知する受信品質情報において、前記複数のストリームのうちの上位ストリームのリソースを多くしたリソース配分とする無線通信装置。
【請求項４】
請求項１に記載の無線通信装置であって、
前記リソース配分制御部は、前記Ｎａｃｋ信号を検出しない場合には、前記ブランキング送信が実施されない送信の前に通知する受信品質情報において、前記複数のストリームのうちの下位ストリームのリソースを上位ストリームのリソースよりも多くしたリソース配分とする無線通信装置。
【請求項５】
請求項１に記載の無線通信装置であって、
前記複数のストリームとして４つのストリームを用いたデータ伝送を行う場合に、
前記リソース配分制御部は、前記Ｎａｃｋ信号を検出した場合は、前記ブランキング送信が実施される送信の前に通知する受信品質情報において、前記４つのストリームのうちの上位２つのストリームのリソースを多くしたリソース配分とする無線通信装置。
【請求項６】
請求項３に記載の無線通信装置であって、
前記リソース配分制御部は、前記複数のストリームのうちの上位ストリームで送信されたコードワードにおいて前記Ｎａｃｋ信号が発生した場合は、前記上位ストリームのリソースを多くしたリソース配分とし、前記複数のストリームのうちの下位ストリームで送信されたコードワードにおいて前記Ｎａｃｋ信号が発生した場合は、前記上位ストリームのリソースを少なくしたリソース配分とする無線通信装置。
【請求項７】
請求項６に記載の無線通信装置であって、
前記フィードバック情報送信部は、前記下位ストリームで送信されたコードワードにおいて前記Ｎａｃｋ信号が発生した場合は、前記下位ストリームで送信されたコードワードの誤り具合を示す情報を前記フィードバック情報に含める無線通信装置。
【請求項８】
複数のストリームにおいて複数のコードワードによるデータ伝送を行い、前記コードワードの再送時には通信相手局との間で前記複数のストリームのうちの受信品質の良好な上位ストリームのみで再送するブランキング（Blanking）送信を行う無線通信装置であって、
前記通信相手局からのフィードバック情報を受信するフィードバック情報受信部と、
前記フィードバック情報に含まれる前記コードワードの受信結果に対応する応答信号を抽出する応答信号抽出部と、
前記応答信号としてＮａｃｋ信号の有無に応じて、前記フィードバック情報に含まれる受信品質情報のリソース配分を判定するリソース配分判定部と、
前記リソース配分に基づき、前記受信品質情報から前記複数のストリームの各ストリームの受信品質を再現する受信品質再現部と、
前記受信品質に基づいて前記各ストリームで送信するコードワードの適応制御を行う適応制御部と、
を備える無線通信装置。
【請求項９】
請求項８に記載の無線通信装置であって、
前記リソース配分判定部は、前記Ｎａｃｋ信号を検出しない場合には、前記複数のストリームのうちの上位ストリームのリソースを少なくしたリソース配分と判定し、前記適応制御部は、前記リソース配分に基づき再現された受信品質によって適応制御を行って前記ブランキング送信を実施しない通常の送信を行う無線通信装置。
【請求項１０】
請求項８に記載の無線通信装置であって、
前記リソース配分判定部は、前記Ｎａｃｋ信号を検出した場合は、前記複数のストリームのうちの上位ストリームのリソースを多くしたリソース配分と判定し、前記適応制御部は、前記リソース配分に基づき再現された受信品質によって適応制御を行って前記上位ストリームを用いたブランキング送信を行う無線通信装置。
【請求項１１】
請求項８に記載の無線通信装置であって、
前記リソース配分判定部は、前記Ｎａｃｋ信号を検出しない場合には、前記複数のストリームのうちの下位ストリームのリソースを上位ストリームのリソースよりも多くしたリソース配分と判定し、前記適応制御部は、前記リソース配分に基づき再現された受信品質によって適応制御を行って前記ブランキング送信を実施しない通常の送信を行う無線通信装置。
【請求項１２】
請求項８に記載の無線通信装置であって、
前記複数のストリームとして４つのストリームを用いたデータ伝送を行う場合に、
前記リソース配分判定部は、前記Ｎａｃｋ信号を検出した場合は、前記４つのストリームのうちの上位２つのストリームのリソースを多くしたリソース配分と判定し、前記適応制御部は、前記リソース配分に基づき再現された受信品質によって適応制御を行って前記上位２つのストリームを用いたブランキング送信を行う無線通信装置。
【請求項１３】
請求項１０に記載の無線通信装置であって、
前記リソース配分判定部は、前記複数のストリームのうちの上位ストリームで送信されたコードワードにおいて前記Ｎａｃｋ信号が発生した場合は、前記
上位ストリームのリソースを多くしたリソース配分と判定し、前記複数のストリームのうちの下位ストリームで送信されたコードワードにおいて前記Ｎａｃｋ信号が発生した場合は、前記上位ストリームのリソースを少なくしたリソース配分と判定し、前記適応制御部は、前記リソース配分に基づき再現された受信品質によって適応制御を行って前記上位ストリームを用いたブランキング送信を行う無線通信装置。
【請求項１４】
請求項１〜１３のいずれかに記載の無線通信装置を備える無線通信基地局装置。
【請求項１５】
請求項１〜１３のいずれかに記載の無線通信装置を備える無線通信移動局装置。
【請求項１６】
複数のストリームにおいて複数のコードワードによるデータ伝送を行い、前記コードワードの再送時には通信相手局との間で前記複数のストリームのうちの受信品質の良好な上位ストリームのみで再送がなされるブランキング（Blanking）送信が行われる無線通信装置における無線通信方法であって、
前記複数のストリームにより通信相手局から送信されたコードワードの受信結果に対応する応答信号を生成し、
前記複数のストリームの各ストリームの受信品質を示す受信品質情報を生成し、
前記応答信号としてＮａｃｋ信号の有無に応じて、前記複数のストリーム間の受信品質情報のリソース配分を変更し、
前記応答信号及び前記受信品質情報を含むフィードバック情報を前記通信相手局へ送信する無線通信方法。
【請求項１７】
複数のストリームにおいて複数のコードワードによるデータ伝送を行い、前記コードワードの再送時には通信相手局との間で前記複数のストリームのうちの受信品質の良好な上位ストリームのみで再送するブランキング（Blanking）送信を行う無線通信装置における無線通信方法であって、
前記通信相手局からのフィードバック情報を受信し、
前記フィードバック情報に含まれる前記コードワードの受信結果に対応する応答信号を抽出し、
前記応答信号としてＮａｃｋ信号の有無に応じて、前記フィードバック情報に含まれる受信品質情報のリソース配分を判定し、
前記リソース配分に基づき、前記受信品質情報から前記複数のストリームの各ストリームの受信品質を再現し、
前記受信品質に基づいて前記各ストリームで送信するコードワードの適応制御を行う無線通信方法。
【手続補正３】
【補正対象書類名】図面
【補正対象項目名】全図
【補正方法】変更
【補正の内容】
【図１】
2009022468.tif 000034
【図２】
2009022468.tif 000035
【図３】
2009022468.tif 000036
【図４】
2009022468.tif 000037
【図５】
2009022468.tif 000038
【図６】
2009022468.tif 000039
【図７】
2009022468.tif 000040
【図８】
2009022468.tif 000041
【図９】
2009022468.tif 000042
【図１０】
2009022468.tif 000043
【図１１】
2009022468.tif 000044
【図１２】
2009022468.tif 000045
【図１３】
2009022468.tif 000046
【図１４】
2009022468.tif 000047
【図１５】
2009022468.tif 000048
【図１６】
2009022468.tif 000049
【図１７】
2009022468.tif 000050
【図１８】
2009022468.tif 000051
【図１９】
2009022468.tif 000052
【図２０】
2009022468.tif 000053
【図２１】
2009022468.tif 000054
【図２２】
2009022468.tif 000055
【図２３】
2009022468.tif 000056
【図２４】
2009022468.tif 000057
【図２５】
2009022468.tif 000058
【図２６】
2009022468.tif 000059
【図２７】
2009022468.tif 000060
【図２８】
2009022468.tif 000061
【図２９】
2009022468.tif 000062
【図３０】
2009022468.tif 000063
【図３１】
2009022468.tif 000064
【国際調査報告】
2009022468.tif 000065
2009022468.tif 000066